(57)【要約】【課題】  手術野などのフィールドから物質の流れを吸引する。【解決手段】  物質の流れを分離するためのシステムが示され、記載されている。システムは、１つ以上の流れ分離装置と、１つ以上の手術器具と、１つ以上の吸引源とを含む。いくつかの実施形態において、物質の流れは、生物学的材料を含む。いくつかの実施形態において、物質の流れは、外科廃棄物を有する。【選択図】図１
2018175878.tif 000002
【特許請求の範囲】
【請求項１】
円筒状キャビティ壁、第１の円筒形のキャビティ端部、および第２の円筒形のキャビティ端部を含む円筒状キャビティであって、セパレータは、前記第１の円筒形のキャビティ端部を上にして動作するように構成される円筒状キャビティと、
吸引源に連結される吸引口であって、前記第１の円筒形のキャビティ端部にある前記吸引口と、
広い端部と細い端部を有する円すい空洞であって、前記広い端部が前記第２の円筒形のキャビティ端部に嵌合する前記円すい空洞と、
前記円すい空洞の前記細い端部の回収口と、
液体と気体の混合物を含む物質の流れを受け取る入力ポートであって、前記円筒状キャビティ壁内にある前記入力ポートであって、前記吸引源によって前記物質の流れが前記セパレータ内に誘導され、前記物質の流れの液体が前記円筒状キャビティ壁にくっつくように案内するように構成されている前記入力ポートと、
前記入力ポートと前記吸引口との間に配置されたバッフルであって、前記バッフルは、前記円筒状キャビティ壁の円周の少なくとも第１の部分を横切ることなく、前記物質の流れの中の液体が前記入力ポートから前記吸引口へ直接引き出されるのを防止するように構成され、前記物質の流れの中の気体が、前記物質の流れの中の前記液体から分離され、前記吸引口を介して前記セパレータから引き出されるのを可能にするように構成される前記バッフルと、
前記円筒状キャビティ内に配置されている円筒状中央部材であって、前記中央部材は、前記円筒状中央部材と前記円筒状キャビティ壁との間に環状キャビティを形成するように配置され、前記物質の流れの中の前記液体は、前記回収口から落ちる前に、前記環状キャビティを通過する円筒状中央部材とを備える液体ー気体流セパレータ。
【請求項２】
前記物質の流れは更に、個体を含み、前記物質の流れの中の前記固体は、前記回収口から落ちる前に前記環状キャビティを通過する請求項１のセパレータ。
【請求項３】
前記バッフルは、複数の開口を有し、前記開口は、前記物質の流れの中の前記気体が、前記吸引口を介して、前記セパレータから引き出されることを可能にする請求項２のセパレータ。
【請求項４】
前記バッフルは、固体部分を有し、前記固体部分は、前記物質の流れの中の液体が、直接、前記入力ポートから前記吸引口へ引き出されることを防止し、前記固体部分は、前記円周の少なくとも前記第１の部分に対応する請求項３のセパレータ。
【請求項５】
前記中央部材は、前記円すい空洞内に配置されたテーパ部分を含む請求項１のセパレータ。
【請求項６】
前記中央部材は、異なる直径の複数の円筒部分を有する請求項１のセパレータ。
【請求項７】
複数の円筒部分は、前記環状キャビティの第１の部分を画成する第１のセクションと、前記環状キャビティの第２の部分を画成する第２のセクションとを有する請求項６のセパレータ。
【請求項８】
前記第１の部分は、前記バッフルと前記第２の部分との間に配置され、前記第２の部分は、前記第１の部分と前記円すい空洞との間に配置される請求項７のセパレータ。
【請求項９】
前記中央部材は、更に、前記円すい空洞内に配置されたテーパ部分を有し、それにより、中空円錐形の空洞を形成し、前記中空円錐形の空洞は、前記第２の部分と前記第２のポートの間に配置される請求項８のセパレータ。
【発明の詳細な説明】
【技術分野】
【０００１】
本明細書に記載されているのは、手術野などのフィールドから物質の流れを吸引するための装置、システム、および方法である。
【背景技術】
【０００２】
本出願は、２０１５年１０月１９日に出願された米国仮特許出願第６２／２４３，４１７号および２０１５年１１月１８日に出願された米国仮特許出願第６２／２５７，２１４号の利益を主張するものであり、参照によりその全体が本明細書に援用される。
【発明の概要】
【０００３】
フィールドから吸引された吸引製品は、固体、液体および気体の混合物を含んでいてもよい。
【０００４】
本開示の態様は、物質の流れを分離するためのシステムを提供する。システムは、流れ分離装置と、手術器具と、吸引源とを備える。流れ分離装置は、（ａ）第１の端部と、第２の端部と、第１の端部と第２の端部との間の内部容積を有する中空体と、（ｂ）第１の端部に配置された吸引口と、（ｃ）第２の端部に配置された回収口と、（ｄ）第１の端部と第２の端部との間に配置され、内部容積に流体接続された入力ポートと、（ｅ）第１の端部と第２の端部との間の内部容積内に配置された１つ以上のバッフルと（ｆ）内部容積内に配置されたシャフトとを含む。いくつかの実施形態において、入力ポートは、気体、液体、固体、またはそれらの組み合わせを含む物質の流れを受けるように構成される。いくつかの実施形態において、シャフトは、中空体内に受け入れられた物質の流れを案内するように構成される。いくつかの実施形態において、物質の流れの液体の少なくとも一部は、ポートを介して、中空体から抜け出て、該ポートは、物質の流れの気体の少なくとも一部が出るポートとは異なる。
【０００５】
いくつかの実施形態において、シャフトは、中空体の内面に沿ったサイクロンパターンの物質の流れの少なくとも一部を案内する。いくつかの実施形態において、気体は、吸引口から抜け出て、液体は回収口から抜け出る。いくつかの実施形態において、１つ以上のバッフルは、内面の円周の少なくとも一部を横切ることなく、物質の流れが直接、入力ポートから吸引口を通過するのを防止するように構成される。いくつかの実施形態において、１つ以上のバッフルは複数の開口を有し、該複数の開口は、物質の流れの少なくとも一部を受け取るように構成される。いくつかの実施形態において、複数の開口は、入力ポートに対して遠位にある。いくつかの実施形態において、１つ以上のバッフルは、テーパ部分または異なる直径を有する複数の円筒部分を含む。いくつかの実施形態において、第２の端部は、円錐形を有する。いくつかの実施形態において、中空体は、円筒形を有する。いくつかの実施形態において、物質の流れは、外科廃棄物を含む。いくつかの実施形態において、物質の流れは、生物学的材料を含む。
【０００６】
いくつかの実施形態において、入力ポートは、吸引口に対して近位にあり、回収口から遠位にある。いくつかの実施形態において、吸引口は、吸引源に連結するように構成されている。いくつかの実施形態において、吸引源は、受動的な吸引源である。いくつかの実施形態において、回収口は、回収容器に連結するように構成されている。いくつかの実施形態において、流れ分離装置は、回収容器に取り付け可能またはその中に形成されている。いくつかの実施形態において、１つ以上のバッフルは、気体、液体、またはそれらの組み合わせの物質の流れからの分離を助ける。
【０００７】
いくつかの実施形態において、入力ポートは、中空体の中心軸に対して、９０度未満の角度をなす。いくつかの実施形態において、斜めの入力ポートは、入力ポートへの物質の流れの進入を強化し、中空体の内面に沿う流れのサイクロンパターンを強化するか、またはそれらの組み合わせを強化する。
【０００８】
いくつかの実施形態において、流れ分離装置は、入力ポートに動作可能に連結された外科器具の吸引能力を強化する。いくつかの実施形態において、流れ分離装置に動作可能に連結されていない手術器具と比較して、吸引能力は、少なくとも約１．２５倍増加する。
【０００９】
いくつかの実施形態において、流れ分離装置は使い捨て可能である。いくつかの実施形態において、流れ分離装置は、更に１つ以上のフィルタを含んでいる。いくつかの実施形態において、１つ以上のフィルタは、回収口に隣接して配置される。いくつかの実施形態において、１つ以上のフィルタの細孔径は、約１ミクロン未満である。いくつかの実施形態において、１つ以上のフィルタは、１つ以上の固体を収集する。
【００１０】
いくつかの実施形態において、１つ以上の固体は、バクテリア、細菌の断片、細菌粒子、ウイルス、ウイルスフラグメント、ウイルス粒子、またはそれらの任意の組み合わせである。いくつかの実施形態において、流れ分離装置は、更に、１つ以上の正に荷電したマトリックス、１つ以上の負に荷電したマトリックス、またはそれらの任意の組み合わせを含む。いくつかの実施形態において、１つ以上の正に荷電したマトリックス、１つ以上の負に荷電したマトリックス、またはそれらの任意の組み合わせは、吸引口に動作可能に接続される。いくつかの実施形態において、流れ分離装置は、１つ以上の手術器具、１つ以上の吸引器具、１つ以上の吸引源、１つ以上のキャニスタ、１つ以上の濾過ユニット、１つ以上の荷電マトリックス、またはそれらの任意の組み合わせに動作可能に連結される。
【００１１】
本開示の別の態様は、流れ分離装置を提供する。いくつかの実施形態において、流れ分離装置は、（ａ）円筒形の壁、第１の円筒形のキャビティ端部、および第２の円筒形のキャビティ端部を有する円筒状キャビティを含み、第１の円筒形のキャビティ端部が上になるように動作するよう構成されるセパレータ本体と、（ｂ）細い端部と広い端部とを有する円すい空洞であって、第２の円筒形のキャビティ端部と広い端部が嵌合する円すい空洞と、（ｃ）円筒状キャビティ壁に配置され、物質の流れを受け取るように構成された入力ポートと、（ｄ）第１の円筒形のキャビティ端部と嵌合し、真空源に連結するように構成された吸引口と、（ｅ）円すい空洞の細い端部に嵌合し、廃棄物堆積に連結するように構成された回収口と、（ｆ）入力ポートと吸引口との間に配置され、円筒形の壁の内部の円周の少なくとも一部を横切ることなく、物質の流れが直接入力ポートから吸引口に通過することを防止するように構成されたとバッフルと、（ｇ）円筒状キャビティの中心に配置され、円筒状キャビティ内の物質の流れを案内するように構成された円筒形シャフトとを含む。
【００１２】
いくつかの実施形態において、入力ポートは、セパレータ本体の縦方向の中心によって画成される軸の軸外に配置される。いくつかの実施形態において、入力ポートは第２の円筒形端部よりも第１の円筒形端部の近くに配置される。いくつかの実施形態において、吸引源は、真空ポンプを含む。
【００１３】
いくつかの実施形態において、吸引源は、コアンダ効果を使用する正圧作動吸引発生器を含む。いくつかの実施形態において、吸引源は、ベンチュリ効果を使用した正圧作動吸引発生器を含む。
【００１４】
いくつかの実施形態において、バッフルは、複数の開口を有し、該複数の開口は、吸引口を介しての、分離された部分を含む物質の流れの通過を可能にする。いくつかの実施形態において、バッフルは、入力ポートの近位にあり、複数の開口の遠位にある固体表面を含み、円筒状キャビティ壁の円周の少なくとも一部を横切ることなく、分離された部分を含む物質の流れが直接入力ポートから吸引口に通過することを防止するように構成される。
【００１５】
いくつかの実施形態において、バッフルは、円筒形シャフトと一体化されている。いくつかの実施形態において、円筒形シャフトは、複数の円錐形部分をそなえており、該円錐形部分のそれぞれは、様々な直径の広い端部と細い端部を有しており、また、円筒形シャフトは、様々な直径の複数の円筒部分を有しており、該複数の円筒部分は、円筒状キャビティ内の物質の流れを案内するように構成される。いくつかの実施形態において、物質の流れがもはや回収口から排出されない場合、セパレータは、分離されていない物質の流れを入力ポートから吸引口へと通過させるように構成されている。
【００１６】
本開示の別の態様は、セパレータを操作する方法を提供する。いくつかの実施形態において、該方法は、（ａ）セパレータ本体を含むセパレータを提供する工程を含み、セパレータ本体は、（ｉ）円筒形の壁と第１の円筒形のキャビティ端部と第２の円筒形のキャビティ端部とを有し、第１の円筒形のキャビティ端部と動作するように構成される円筒状キャビティと、（ｉｉ）細い端部と広い端部とを有する円すい空洞であって、第２の円筒形のキャビティ端部は広い端部と嵌合する円すい空洞と（ｉｉｉ）円筒状キャビティ壁に配置され、物質の流れを受け取る様に構成された入力ポートと（ｉｖ）第１の円筒形のキャビティ端部と嵌合し、真空源に連結するように構成される吸引口と、（ｖ）円すい空洞の細い端部と嵌合し、廃棄物堆積に連結するように構成される回収口と、（ｖｉ）入力ポートと吸引口との間に配置されバッフルであって、円筒形の壁の内部の円周の少なくとも一部を横切ることなく、物質の流れが直接入力ポートから吸引口に通過することを防止するように構成されるバッフルと、（ｖｉｉ）円筒状キャビティの中心に配置される円筒形シャフトであって、円筒状キャビティ内の物質の流れを案内するように構成される円筒形シャフトとを含み、該方法は、（ｂ）吸引口を吸引源に取り付ける工程と、（ｃ）回収口を廃棄物堆積に一致させる工程と、（ｄ）吸引源を作動させて、入力ポートへの物質の流れを生成する工程と、（ｅ）回収口から、物質の流れの一部を排出する工程と、（ｆ）物質の流れの一部を吸引口から引き出す工程とを含む。
【００１７】
いくつかの実施形態において、該方法は、更に、セパレータ本体の縦方向の中心によって画成される軸の軸外に入力ポートを配置する工程を含む。いくつかの実施形態において、該方法は更に、入力ポートを第２の円筒形端部より、より第１の円筒形端部の近くに配置する工程を含む。いくつかの実施形態において、該方法は、更に真空ポンプを使用して吸引源を提供する工程を含む。
【００１８】
いくつかの実施形態において、該方法は、コアンダ効果を利用する正圧作動吸引発生器を使用して吸引源を提供する工程を含む。いくつかの実施形態において、該方法は、更に、ベンチュリ効果を使用する正圧作動吸引発生器を使用して吸引源を提供する工程を含む。
【００１９】
いくつかの実施形態において、方法は、複数の開口を有するバッフルを提供する工程を含み、該複数の開口は、吸引口を介した分離された部分を含む物質の流れの通過を可能にする工程を含む。いくつかの実施形態において、該方法は、バッフルに、入力ポートの近位に位置しかつ開口の遠位に位置する固体表面を提供する工程を含み、円筒状キャビティ壁の円周の少なくとも一部を横切ることなく、それにより分離された部分を含む物質の流れが直接、入力ポートから吸引口へと通過することを防ぐ工程を含む。
【００２０】
いくつかの実施形態において、該方法は、バッフルを円筒形シャフトに一体化する工程を含む。いくつかの実施形態において、該方法は、円筒形シャフトに、それぞれが様々な直径の広い端部および細い端を有する複数の円錐形部分と、様々な直径の複数の円筒部分を提供し、それにより、円筒状キャビティ壁に沿って物質の流れを案内する工程を含む。いくつかの実施形態において、該方法は、物質の流れがもはや回収口から排出されないとき、分離されていない物質の流れの入力ポートから吸引口への通過を可能にする工程を含む。いくつかの実施形態において、該方法は、真空ポンプを使用して吸引源を提供する工程を含む。いくつかの実施形態において、該方法は、コアンダ効果を利用する正圧作動式吸引装置を使用して吸引源を提供する工程を含む。いくつかの実施形態において、該方法は、セパレータをキャニスタに結合させる工程を含む。
【００２１】
本開示の別の態様は、フローセパレータのシステムを提供する。いくつかの実施形態において、フローセパレータのシステムは、（ａ）それぞれがセパレータ本体を有している１つ以上のセパレータを備え、セパレータ本体は、（ｉ）円筒形の壁と、第１の円筒形のキャビティ端部と、第２の円筒形のキャビティ端部とを有し、第１の円筒形のキャビティ端部と動作するように構成された円筒状キャビティと、（ｉｉ）細い端部と広い端部とを有する円すい空洞であって、第２の円筒形のキャビティ端部は、広い端部と嵌合する円すい空洞と、（ｉｉｉ）円筒状キャビティ壁内に配置され、物質の流れを受け取るように構成された入力ポートと、と第１の円筒形のキャビティ端部と嵌合し、真空源と連結するように構成された吸引口と、（ｉｖ）円すい空洞の細い端部と嵌合し、廃棄物堆積と連結するように構成された回収口と、（ｖ）入力ポートと吸引口との間に配置され、物質の流れが直接、円筒形の壁の内部の円周のなくとも一部を横切ることなく、入力ポートから吸引口に通過することを防止するように構成されえているバッフルと、（ｖｉ）円筒状キャビティの中心に配置され、流れを円筒状キャビティ内に案内するように構成される円筒形シャフトとを含み、該システムは、（ｂ）関連するセパレータに結合するように構成された１つ以上のキャニスタを備える。
【００２２】
いくつかの実施形態において、一方のセパレータの吸込口は、他方のセパレータの入力ポートに連結されている。いくつかの実施形態において、第１のキャニスタが所定量に達した場合、１つ以上のセパレータは、第１のキャニスタの充填を中止するように構成され、分離されていない物質の流れ、入力ポートを通過し、第１のセパレータの出力ポートから第２のセパレータの入力ポートを通過させ、第２のセパレータは、所定の容量まで充填されていないキャニスタに結合される。
【００２３】
本開示の別の態様は、セパレータシステムを操作する方法を提供する。いくつかの実施形態において、該システムは、（ａ）それぞれがセパレータ本体を有する１つ以上のセパレータを提供することを含んでおり、セパレータ本体は、（ｉ）円筒形の壁、第１の円筒形のキャビティ端部、及び第２の円筒形のキャビティ端部を有し、第１の円筒形のキャビティ端部と作動するように構成された円筒状キャビティと、（ｉｉ）細い端部と広い端部とを有する円すい空洞であって、第２の円筒形のキャビティ端部は、広い端部と嵌合する、円すい空洞と（ｉｉｉ）円筒状キャビティ壁内に配置され、物質の流れを受け取るように構成された入力ポートと、（ｉｖ）第１の円筒形のキャビティ端部と嵌合し、真空源と連結するように構成された吸引口と、（ｖ）円すい空洞の細い端部と嵌合し、廃棄物堆積と連結するように構成された回収口と、（ｖｉ）入力ポートと吸引口との間に配置され、円筒形の壁の内部の円周の少なくとも一部が横切ることなく、物質の流れが直接、入力ポートから吸引口に通過することを防止するように構成されるバッフルと、（ｖｉｉ）円筒状キャビティの中心に配置され、円筒状キャビティ内の物質の流れを案内するように構成される円筒形シャフトとを含み、該システムは、（ｂ）一方のセパレータの吸込口を他方のセパレータの入力ポートに連結し、一連のセパレータを形成することと、（ｃ）一連のセパレータの最後のセパレータの吸引口を吸引源に取り付けることと、（ｄ）吸引源を作動させて、それにより一連のセパレータを介して物質の流れを作ることと、（ｅ）一連のセパレータ内の第１セパレータの入力ポートへの物質の流れを受け取ることと、（ｆ）関連するキャニスタは所定容量未満で充填される間、第１セパレータの吸引口からガスを引き出し、関連するキャニスタが所定のリミットまで充填されるまで、第１のセパレータの回収口から物質の流れの一部を排出することと、（ｇ）所定のリミットまで充填されていないキャニスタに連結された一連のセパレータ内の第１のセパレータの吸引口から第２のセパレータの入力ポートまで物質の流れを通過させ、第２のセパレータの入力ポートへの物質の流れを受け取ることと、（ｈ）関連するキャニスタは所定容量未満で充填される間、第２のセパレータの吸引口から気体を引き出すこと、及び（ｉ）関連するキャニスタが所定のリミットまで充填されるまで、第２のセパレータの回収口から物質の流れの一部を排出すること、とを含む。
【００２４】
いくつかの実施形態において、該方法は、真空ポンプを使用して吸引源を提供する工程を含む。いくつかの実施形態において、該方法は、コアンダ効果を利用する正圧作動吸引発生器を使用して吸引源を提供する工程を含む。
【００２５】
本開示の別の態様は、液体ー気体流セパレータを提供する。いくつかの実施形態において、セパレータは、（ａ）円筒状キャビティ壁、第１の円筒形のキャビティ端部、及び第２の円筒形のキャビティ端部を有する、円筒状キャビティであって、セパレータは、第１の円筒形のキャビティ端部を上にして動作するように構成された、円筒状キャビティと、（ｂ）吸引源に連結される吸引口であって、第１の円筒形のキャビティ端部にある吸引口と、（ｃ）広い端部と細い端部を有する円すい空洞であって、広い端部は、第２の円筒形のキャビティ端部と嵌合する円すい空洞と、（ｄ）円すい空洞の細い端部の回収口と、（ｅ）液体と気体の混合物を含む物質の流れを受け取る入力ポートであって、入力ポートは、円筒状キャビティ壁内にあり、吸引源によって物質の流れがセパレータ内に誘導され、入力ポートは物質の流れの液体が円筒状キャビティ壁にくっつくように案内するように構成されている、入力ポートと、（ｆ）入力ポートと吸引口との間に配置されるバッフルであって、円筒状キャビティ壁の円周の少なくとも第１の部分を横切ることなく、バッフルは、物質の流れの中の液体が入力ポートから吸引口へ直接引き出されるのを防止するように構成され、物質の流れの中の気体が、物質の流れの中の液体から分離され、吸引口を介してセパレータから引き出されるのを可能にするように構成されるバッフルと、円筒状キャビティ内に配置される円筒状中央部材であって、中央部材は、円筒状中央部材と円筒状キャビティ壁との間に環状キャビティを形成するように配置され、物質の流れの中の液体は、回収口から落ちる前に、環状キャビティを通過する、円筒状中央部材とを含む。
【００２６】
いくつかの実施形態において、物質の流れは、更に固体を有し、物質の流れの中の固体は、回収口から落ちる前に環状キャビティを通過する。いくつかの実施形態において、バッフルは、複数の開口を有し、物質の流れの中の気体が、吸引口を介して、セパレータから引き出されることが可能になる。いくつかの実施形態において、バッフルは、固体部分を有し、固体部分は、物質の流れの中の液体が、直接、入力ポートから吸引口へ引き出されるのを防止し、固体部分は、円周の少なくとも第１の部分に対応する。
【００２７】
いくつかの実施形態において、中央部材は、円すい空洞内に配置されたテーパ部分を含む。いくつかの実施形態において、中央部材は、異なる直径の複数の円筒部分を有する。
【００２８】
いくつかの実施形態において、複数の円筒部分は、環状キャビティの第１の部分を画成する第１のセクションと、環状キャビティの第２の部分を画成する第２のセクションとを有する。いくつかの実施形態において、第１の部分は、バッフルと第２の部分との間に配置され、第２の部分は、第１の部分と円すい空洞との間に配置される。いくつかの実施形態において、中央部材は、更に、円すい空洞内に配置されたテーパ部分を有し、それにより、中空円錐形の空洞を形成し、中空円錐形の空洞は、第２の部分と第２のポートの間に配置される。
【００２９】
本開示の別の態様は、液体ー気体流セパレータを操作する方法を提供する。いくつかの実施形態において、該方法は、（ａ）円筒状キャビティ壁、第１の円筒形のキャビティ端部、および第２の円筒形のキャビティ端部を有する円筒状キャビティを提供する工程であって、セパレータを第１の円筒形のキャビティ端部を上にして操作する、提供する工程と（ｂ）吸引口を吸引源に連結する工程であって、吸引口は、第１の円筒形のキャビティ端部にある、連結する工程と（ｃ）円すい空洞を提供する工程であって、円すい空洞は、広い端部と細い端部を有しており、広い端部を第２の円筒形のキャビティ端部に嵌合する、提供する工程と、（ｄ）円すい空洞の細い端部の回収口を提供する工程と、（ｅ）入力ポートで液体と気体の混合物を含む流れを受け取る工程であって、入力ポートは、円筒状キャビティ壁内にあり、吸引源を介して、セパレータに流れを誘導し、入力ポートを構成することによって、流れの中の液体を円筒状キャビティ壁にくっつけるように案内する、受け取る工程と、（ｆ）入力ポートと吸引口との間に配置されたバッフルを提供する工程であり、それにより、流れの中の液体が直接入力ポートから吸引口に引き出されることを防止し、円筒状キャビティ壁の円周の少なくとも第１の部分を横切ることなく、流れの中の気体が流れの中の液体から分離し、気体を吸引口を介してセパレータから引き出すことを可能にする、提供する工程と、（ｇ）円筒状キャビティ内に配置されている円筒状中央部材を提供する工程であって、環状キャビティを中央部材と円筒状キャビティ壁との間に形成するように中央部材を配置し、回収口から落ちる前に、環状キャビティを介して流れの中の液体を通過させる、提供する工程とを含む。
【００３０】
いくつかの実施形態において、該方法は、更に、固体をさらに含む流れを提供する工程と、回収口から落ちる前に、環状キャビティを介して流れ中の固体を通過させる工程とを含む。いくつかの実施形態において、該方法は、更に、複数の開口を含むバッフルを提供する工程であって、流れの中の気体が吸引口を介してセパレータから引き出されることを可能にする、提供する工程を含む。いくつかの実施形態において、該方法は、固体部分を含むバッフルを提供することにより、流れの中の液体が直接入力ポートから吸引口に引き出されることを防ぐ工程を含み、固体部分は、円周の少なくとも第１の部分に対応する、防ぐ工程を含む。
【００３１】
いくつかの実施形態において、該方法は、円すい空洞内に配置されたテーパ部分を含む中央部材を提供する工程を含む。いくつかの実施形態において、該方法は、異なる直径の複数の円筒部分を有する中央部材を提供する工程を含む。いくつかの実施形態において、該方法は、環状キャビティの第１の部分を画定する第１のセクションと、環状キャビティの第２の部分を画定する第２のセクションとを含む複数の円筒部分を提供する工程を含む。
【００３２】
いくつかの実施形態において、該方法は、第１の部分を、バッフルと第２の部分との間に配置する工程と、第２の部分を、第１の部分と円すい空洞との間に配置する工程を含む。いくつかの実施形態において、該方法は、中央部材に、円すい空洞内に配置されたテーパ部分を設ける工程であって、それにより、中空円錐形の空洞を形成し、中空円錐形の空洞を第２の部分と回収口との間に配置する、設ける工程を含む。
【００３３】
本開示の別の態様は、フローセパレータを提供する。いくつかの実施形態において、フローセパレータは、（ａ）第１の端部と第２の端部を有する円筒形の壁を含む円筒状キャビティであって、第１の端部が上向きの位置に配置され、円筒状キャビティ壁の円周に沿って物質の流れを案内するための手段と、（ｂ）円筒状キャビティ壁と嵌合される入力ポートであって、物質の流れを受け取り、物質の流れを円筒状キャビティに案内する手段と、（ｃ）円筒状キャビティの第１の端部と嵌合される吸引口であって、セパレータを吸引源に連結するための手段と、（ｄ）少なくともセパレータから気体を排出するための手段を有する吸引口と、（ｅ）広い端部と細い端部を有する円すい空洞と、円錐状の空洞壁であって、広い端部は円筒状キャビティの第２の端部に嵌合し、物質の流れを案内して円筒状キャビティ内に流れを生成する手段であって、それにより、気体が吸引口から導出され少なくとも液体が円すい空洞の細い端部から導出される手段と、（ｆ）円すい空洞の細い端部に嵌合された回収口であって、収集のために少なくとも液体を排出するための手段と、（ｇ）入力ポートと円筒状キャビティの第１の端部との間に配置されたバッフルであって、円筒状キャビティ壁の円周の少なくとも一部を横切ることなく、液体および／または固体が入力ポートから吸引口へと通過するのを防止するための手段と、（ｈ）少なくとも、液体の通過を可能にする、円筒状中央部材と円筒状キャビティ壁との間に環状キャビティを形成する円筒状キャビティ内に同心円状に配置された円筒状中央部材であって、収集のために回収口から少なくとも液体を排出するための手段を含む。
【００３４】
いくつかの実施形態において、物質の流れは、液体、固体および気体のうちの１つ以上を含み、液体および／または固体が環状キャビティを通過して回収口からでるための手段を含む。
【００３５】
いくつかの実施形態において、バッフルは、複数の開口と、円筒状キャビティ壁の円周の少なくとも一部を横切った後、物質がバッフルを通過して吸引口から出るようにするための手段を含む。いくつかの実施形態において、バッフルは、入力ポートの近位に配置された固体部分と、円筒状キャビティ壁の円周の少なくとも一部を横切る前に、物質の流れの中の液体および／または固体が直接入力ポートから吸引口へ引き出されるのを防止するための手段とを含む。
【００３６】
いくつかの実施形態において、中央部材は、円すい空洞内に配置されたテーパ部分と、セパレータ内の物質の流れを案内するための手段とを含む。いくつかの実施形態において、中央部材は、異なる直径の複数の円筒部分と、セパレータ内の物質の流れを案内するための手段とを有する。
【００３７】
いくつかの実施形態において、複数の円筒部分は、環状キャビティの第１の部分を画成する第１のセクションと、環状キャビティの第２の部分を画成する第２のセクションと、セパレータ内の物質の流れを案内するための手段とを含む。いくつかの実施形態において、第１の部分は、バッフルと第２の部分との間に配置され、第２の部分は、第１の部分と円すい空洞との間に配置され、セパレータ内の物質の流れを案内するための手段が含まれる。いくつかの実施形態において、中央部材は、更に、円すい空洞内に配置されたテーパ部分を有しており、それにより、中空円錐形の空洞を形成しており、中空円錐形の空洞は、第２の部分と回収口との間に配置され、中空円錐形の空洞を介して物質の流れを案内するための手段が含まれる。
【００３８】
本開示の別の態様は、液体ガス分離装置のシステムを提供する。いくつかの実施形態において、該システムは、（ａ）１つ以上のセパレータを含み、セパレータは、（ｉ）第１の端部と第２の端部を有する円筒形の壁を含む円筒状キャビティであって、第１の端部が上向きの位置に配置され、円筒状キャビティ壁の円周に沿って物質の流れを案内するための手段と（ｉｉ）円筒状キャビティ壁と嵌合される入力ポートであって、物質の流れを受け取り、物質の流れを円筒状キャビティに案内する手段と、（ｉｉｉ）円筒状キャビティの第１の端部と嵌合される吸引口であって、セパレータを吸引源に連結するための手段と、（ｉｖ）少なくともセパレータから気体を排出するための手段を有する吸引口と、（ｖ）広い端部と細い端部を有する円すい空洞と、円錐状の空洞壁であって、広い端部は円筒状キャビティの第２の端部に嵌合し、物質の流れを案内して円筒状キャビティ内に流れを生成する手段であって、それにより、気体が吸引口から導出され少なくとも液体が円すい空洞の細い端部から導出される手段と、（ｖｉ）円すい空洞の細い端部に嵌合された回収口であって、収集のために少なくとも液体を排出するための手段と、（ｖｉｉ）入力ポートと円筒状キャビティの第１の端部との間に配置されたバッフルであって、円筒状キャビティ壁の円周の少なくとも一部を横切ることなく、液体および／または固体が入力ポートから吸引口へと通過するのを防止するための手段と、（ｖｉｉｉ）少なくとも、液体の通過を可能にする、円筒状中央部材と円筒状キャビティ壁との間に環状キャビティを形成する円筒状キャビティ内に同心円状に配置された円筒状中央部材であって、収集のために回収口から少なくとも液体を排出するための手段とを含み、該システムは、（ｂ）対応するセパレータにそれぞれ嵌合された１つ以上のキャニスタであって、セパレータに連結し、回収口から物質の流れの少なくとも一部を収集する手段と、（ｃ）吸引源であって、吸引口に吸引を提供するための手段とを含む。
【００３９】
いくつかの実施形態において、物質の流れは、液体、固体および気体のうちの１つ以上と、液体および／または固体が環状キャビティを通過して回収口からでるための手段とを含む。いくつかの実施形態において、バッフルは、複数の開口と、円筒状キャビティ壁の円周の少なくとも一部を横切った後、物質がバッフルを通過して吸引口から出るようにするための手段とを含む。いくつかの実施形態において、バッフルは、入力ポートの近位に配置された固体部分と、円筒状キャビティ壁の円周の少なくとも一部を横切る前に、流れの中の液体および／または固体が入力ポートから吸引口へ直接引き出されるのを防止する手段とを含む。
【００４０】
いくつかの実施形態において、中央部材は、円すい空洞内に配置されたテーパ部分と、セパレータ内の物質の流れを案内するための手段とを含む。いくつかの実施形態において、中央部材は、異なる直径の複数の円筒部分と、セパレータ内の物質の流れを案内するための手段とを有する。
【００４１】
いくつかの実施形態において、複数の円筒部分は、環状キャビティの第１の部分を画成する第１のセクションと、環状キャビティの第２の部分を画成する第２のセクションと、セパレータ内の物質の流れを案内するための手段とを含む。いくつかの実施形態において、第１の部分は、バッフルと第２の部分との間に配置され、第２の部分は、第１の部分と円すい空洞との間に配置され、セパレータ内の物質の流れを案内するための手段が含まれる。いくつかの実施形態において、中央部材は、円すい空洞内に配置されたテーパ部分を有しており、それにより中空円錐形の空洞を形成しており、中空円錐形の空洞は、第２の部分と第２のポートの間に配置され、中空円錐形の空洞を介して物質の流れを案内するための手段が含まれている。いくつかの実施形態において、第１のセパレータの吸引口は、第２のセパレータの入力ポートに連結されており、第２のセパレータを介して第１のセパレータに吸引を提供するための手段が含まれる。
【００４２】
いくつかの実施形態において、該システムは、第１のセパレータに対応するキャニスタが容量まで充填されると、物質の流れを入力ポートから第１のセパレータの吸引口へ通過させ、第２のセパレータに対応するキャニスタ内の物質の流れの少なくとも一部を収集する手段を有する。いくつかの実施形態において、吸引源は、真空ポンプと、吸引口に真空を提供する手段とを含む。
【００４３】
いくつかの実施形態において、吸引源は、コアンダ効果に基づいて吸引を生成する手段を有する。いくつかの実施形態において、吸引源は、ベンチュリ効果に基づいて吸引を生成する手段を有する。
【００４４】
本開示の別の態様は、医療環境で使用するためのセパレータを提供する。いくつかの実施形態において、セパレータは、（ａ）円筒状キャビティ壁、第１の円筒形のキャビティ端部、および第２の円筒形のキャビティ端部を有する円筒状キャビティであって、セパレータは、第１の円筒形のキャビティ端部を上にして動作するように構成される、円筒状キャビティと（ｂ）手術室の吸引源に連結される吸引口であって、第１の円筒形のキャビティ端部にある吸引口と、（ｃ）円すい空洞であって、円すい空洞は、広い端部と細い端部を有しており、広い端部が第２の円筒形のキャビティ端部に嵌合する、円すい空洞と（ｄ）円すい空洞の細い端部の回収口と、（ｅ）液体と気体の混合物を含む流れを受けるための入力ポートであり、入力ポートは、円筒状キャビティ壁内にあり、流れは、吸引源によりセパレータ内に誘導され、流れの中の液体が円筒状キャビティ壁にくっつくように案内するように構成された入力ポートと、（ｆ）入力ポートと吸引口との間に配置されたバッフルであって、円筒状キャビティ壁の円周の少なくとも第１の部分を横切ることなく、流れの中の液体が直接入力ポートから吸引口へ引き出されるのを防止するためのバッフルであって、流れの中の気体が流れの中の液体から分離し、吸引口を介してセパレータから引き出されるようにするバッフルと（ｇ）円筒状キャビティ内に配置されている円筒状中央部材であって、中央部材と円筒状キャビティ壁の間に環状キャビティを形成するように中央部材が配置され、回収口から落ちる前に、流れの中の液体は環状キャビティを通過する、円筒状中央部材とを含む。
【００４５】
いくつかの実施形態において、流れは、更に固体を有し、流れの中の固体は、第２のポートから落ちる前に環状キャビティを通過する。いくつかの実施形態において、液体は、細胞内液と、細胞外液とを含む。いくつかの実施形態において、液体は、血液を含む。いくつかの実施形態において、気体は、ｂｏｖｉｅ、高調波メス、電気外科ペンシルおよびレーザーを含む電気外科ツールから生成される煙を含む。
【００４６】
いくつかの実施形態において、バッフルは、複数の開口を有し、それにより、流れの中の気体が、第１のポートを介してセパレータから引き出されることが可能になる。いくつかの実施形態において、バッフルは固体部分を有し、固体部分は、流れの中の液体が直接、回収口から第１のポートに引き出されることを防止し、固体部分は、円周の少なくとも第１の部分に対応する。
【００４７】
いくつかの実施形態において、中央部材は、円すい空洞内に配置されたテーパ部分を有する。いくつかの実施形態において、中央部材は、異なる直径の複数の円筒部分を有する。
【００４８】
いくつかの実施形態において、複数の円筒部分は、環状キャビティの第１の部分を画成する第１のセクションと、環状キャビティの第２の部分を画成する第２のセクションとを有する。いくつかの実施形態において、第１の部分は、バッフルと第２の部分との間に配置され、第２の部分は、第１の部分と円すい空洞との間に配置される。いくつかの実施形態において、中央部材は更に、円すい空洞内に配置されたテーパ部分を有し、それにより、中空円錐形の空洞を形成し、中空円錐形の空洞は、第２の部分と第２のポートの間に配置される。
【００４９】
本開示の別の態様は、医療環境においてセパレータを操作する方法を提供する。いくつかの実施形態において、該方法は、（ａ）１つ以上の流体セパレータを提供する工程を含み、流体セパレータは、（ｉ）円筒状キャビティ壁、第１の円筒形のキャビティ端部、および第２の円筒形のキャビティ端部を有する円筒状キャビティであって、流体セパレータは、第１の円筒形のキャビティ端部を上にして動作するように構成される、円筒状キャビティと、（ｉｉ）吸引源に動作可能に連結される吸引口であって、第１の円筒形のキャビティ端部にある吸引口と、（ｉｉｉ）円すい空洞であって、広い端部と細い端部を有する円すい空洞であって、第２の円筒形のキャビティ端部は、広い端部と嵌合する円すい空洞と、（ｉｖ）円すい空洞の細い端部の回収口と、（ｖ）液体と気体の混合物を含む流れを受けるための入力ポートであって、入力ポートは、円筒状キャビティ壁内にあり、流れは、吸引源によりセパレータ内に誘導され、流れの中の液体が円筒状キャビティ壁にくっつくように案内するように構成された入力ポートと、（ｖｉ）入力ポートと吸引口との間に配置されたバッフルであって、円筒状キャビティ壁の円周の少なくとも第１の部分を横切ることなく、流れの中の液体が直接入力ポートから吸引口へ引き出されるのを防止するためのバッフルであって、流れの中の気体が流れの中の液体から分離し、吸引口を介してセパレータから引き出されるようにするバッフルと（ｖｉｉ）円筒状キャビティ内に配置されている円筒状中央部材であって、中央部材と円筒状キャビティ壁の間に環状キャビティを形成するように中央部材が配置され、回収口から落ちる前に、流れの中の液体は環状キャビティを通過する、円筒状中央部材とを含み、該方法は、（ｂ）１つ以上のセパレータをそれぞれ関連する廃棄物堆積に取り付ける工程と、（ｃ）吸引口を吸引源に取り付ける工程と、（ｄ）吸引源を作動させて、それにより１つ以上のセパレータを介して流れを作る工程と、（ｅ）円筒状キャビティおよび円筒状中央部材を使用して流れを案内し、流れを含むエレメントを分離する工程と、（ｆ）液体および／または固体を、流れから分離された回収口から排出する工程と、（ｇ）吸引源を用いて、吸引口から気体を引き出す工程とを含む。いくつかの実施形態において、該方法は、更に、廃棄物堆積として、キャニスタを提供する工程を含む。
【００５０】
いくつかの実施形態において、吸引口を吸引源に取り付ける工程は、第１のセパレータの吸引口を、吸引源に取り付けられた第２のセパレータの入力ポートに取り付ける工程を含む。いくつかの実施形態において、該方法は、更に、セパレータの入力ポートを吸引装置に取り付ける工程を含む。いくつかの実施形態において、該方法は、更に、吸引装置を手術器具に取り付ける工程を含む。
【００５１】
いくつかの実施形態において、該方法は、一方のセパレータの吸込口を他方のセパレータの入力ポートに連結することにより、順次１つ以上のセパレータを動作させることと、一連のセパレータの最後のセパレータの吸引口と吸引源を連結して、一連のセパレータの第１のセパレータの入力で流れを受け取ることとを含む。いくつかの実施形態において、該方法は、一連のセパレータの最後のセパレータの吸引口に適用された吸引源を介して、一連のセパレータの第１セパレータの入力ポートに物質を受け取ることと、関連するキャニスタが所定容量未満で充填される間、一連のセパレータの他方のセパレータの吸引口から気体を引き出すことと、関連するキャニスタが所定のリミットまで充填されるまで、一連のセパレータの他方のセパレータの回収口から流れでる部分を排出することを含む。いくつかの実施形態において、該方法は、一連のセパレータの第１のセパレータの吸引口からの入力ポートから分離されていない流れを通過させることと、流れがもはや、第１のセパレータの回収口から他方のセパレータの入力ポートに排出されない場合、流れ、またはその一部を回収口から排出することとを含む。
【００５２】
本開示の別の態様は、物質の流れを分離するためのシステムを提供する。いくつかの実施形態において、該システムは、（ａ）流れ分離装置を備えており、流れ分離装置は、（ｉ）第１の端部と、第２の端部と、及び第１の端部と第２の端部との間の内部容積を含む中空体と、（ｉｉ）第１の端部に配置された吸引口と、（ｉｉｉ）第２の端部に配置された回収口と、（ｉｖ）第１の端部と第２の端部との間に配置され、内部容積と流体連通する入力ポートと、（ｖ）第１の端部と第２の端部との間の内部容積に配置された１つ以上のバッフルと、（ｖｉ）内部容積内に配置されたシャフトとを含み、該システムは、（ｂ）手術器具と、（ｃ）吸引源であって、入力ポートは、手術器具からの物質の流れを受け取るように構成され、物質の流れは、気体、液体、固体または、それらの任意の組み合わせを含み、シャフトは、中空体内に受け入れられた物質の流れを案内するように構成され、物質の流れの液体の少なくとも一部が、ポートを介して、中空体から抜け出て、該ポートは、物質の流れの気体の少なくとも一部が抜け出るポートとは異なる、吸引源を含む。
【００５３】
いくつかの実施形態において、シャフトは、中空体の内面に沿ったサイクロンパターンの物質の流れの少なくとも一部を案内する。いくつかの実施形態において、気体は吸引口から抜け出て、液体は、回収口から抜け出る。
【００５４】
いくつかの実施形態において、中空体の内面の円周の少なくとも一部を最初に横切ることなく、１つ以上のバッフルは、物質の流れが直接、入力ポートから吸引口へ通過することを防止するように構成される。いくつかの実施形態において、１つ以上のバッフルは、複数の開口を有し、複数の開口は、物質の流れの少なくとも一部を受け取るように構成される。いくつかの実施形態において、複数の開口は、入力ポートに対して遠位にある。いくつかの実施形態において、１つ以上のバッフルは、テーパ部分を備えるか、または、異なる直径の複数の円筒部分を有する。
【００５５】
いくつかの実施形態において、第２の端部は、円錐形を有する。いくつかの実施形態において、中空体は、円筒形を有する。いくつかの実施形態において、物質の流れは、外科廃棄物を含む。いくつかの実施形態において、物質の流れは、生物学的材料を含む。
【００５６】
いくつかの実施形態において、入力ポートは、吸引口に対して近位にあり、回収口から遠位にある。いくつかの実施形態において、吸引口は、吸引源に連結するように構成されている。いくつかの実施形態において、吸引源は、受動的な吸引源である。
【００５７】
いくつかの実施形態において、回収口は、回収容器に連結するように構成されている。いくつかの実施形態において、流れ分離装置は、回収容器に取り付け可能あるいは回収容器の中に形成される。いくつかの実施形態において、１つ以上のバッフルは、物質の流れからの気体、液体、またはそれらの組み合わせの分離を助ける。
【００５８】
いくつかの実施形態において、入力ポートは、中空体の中心軸に対して９０度未満の角度をなし、斜めの入力ポートを形成する。いくつかの実施形態において、斜めの入力ポートは、斜めの入力ポートへの物質の流れの進入を強化し、斜めの入力ポートは、中空体の内面に沿った流れのサイクロンパターン、またはそれらの組み合わせを強化する。
【００５９】
いくつかの実施形態において、流れ分離装置は、入力ポートに動作可能に連結された外科器具の吸引能力を強化する。いくつかの実施形態において、流れ分離装置に動作可能に連結されていない手術器具と比較して、吸引能力は、少なくとも約１．２５倍に増加する。いくつかの実施形態において、流れ分離装置は、使い捨てである。
【００６０】
いくつかの実施形態において、システムは、１つ以上のフィルタを備える。いくつかの実施形態において、１つ以上のフィルタは、回収口に隣接して配置される。いくつかの実施形態において、１つ以上のフィルタの細孔径は、約１ミクロン未満である。いくつかの実施形態において、１つ以上のフィルタは、１つ以上の固体を収集する。いくつかの実施形態において、１つ以上の固体は、バクテリア、細菌の断片、細菌粒子、ウイルス、ウイルスフラグメント、ウイルス粒子、またはそれらの任意の組み合わせである。
【００６１】
いくつかの実施形態において、システムは、１つ以上の正に荷電したマトリックス、１つ以上の負に荷電したマトリックス、またはそれらの任意の組み合わせを含む。いくつかの実施形態において、１つ以上の正に荷電したマトリックス、１つ以上の負に荷電したマトリックス、またはそれらの任意の組み合わせは、吸引口と動作可能に接続されている。いくつかの実施形態において、流れ分離装置は、１つ以上の手術器具、１つ以上の吸引器具、１つ以上の吸引源、１つ以上のキャニスタ、１つ以上の濾過ユニット、１つ以上の荷電マトリックス、またはそれらの任意の組み合わせに動作可能に連結されている。
【００６２】
本開示の追加の態様および利点は、以下の詳細な説明から当業者に容易に明らかになり、本開示の例示的な実施形態のみが示され、記載される。認識されるように、本開示は、他の異なる実施形態が可能であり、そのいくつかの詳細は、開示から逸脱することなく様々な明白な点で変更可能である。したがって、図面および説明は本質的に例示的であると見なされるべきであり、限定的ではない。
【００６３】
（参照による組み込み）
本明細書で述べた全ての刊行物、特許および特許出願は、参照により本明細書に各個々の刊行物、特許、または特許出願が、具体的かつ個々に、参照により組み込まれることが示されたのと同程度に組み込まれる。
【図面の簡単な説明】
【００６４】
本明細書に記載の主題の新規な特徴は、添付の特許請求の範囲に詳細に記載されている。本主題の特徴および利点のより良い理解は、以下の詳細な説明を参照することによって得られ、詳細な説明は、本明細書に記載される主題の原理が利用される例示的な実施形態を規定し、添付の図面において：
【図１】図１は、セパレータのブロック図を示す。
【図２Ａ】図２Ａは、セパレータとキャニスタシステムのブロック図を示す。
【図２Ｂ】図２Ｂは、セパレータとキャニスタシステムの動作を示す図である。
【図３】図３は、セパレータとキャニスタシステムを操作する方法を示す図である。
【図４Ａ】図４Ａは、セパレータシステムを示すブロック図である。
【図４Ｂ】図４Ｂは、セパレータシステムの動作を示すブロック図である。
【図４Ｃ】図４Ｃは、セパレータシステムの動作を示すブロック図である。
【図５】図５は、セパレータシステムを操作する方法を示す図である。
【図６】図６は、吸引システムを示すブロック図である。
【図７】図７は、吸引システムの動作方法を示す図である。
【図８Ａ】図８Ａは、セパレータの分解図を示す。
【図８Ｂ】図８Ｂは、シャフト（渦要素等）を示す図である。
【図８Ｃ】図８Ｃは、セパレータの動作を示す上面図である。
【図８Ｄ】図８Ｄは、セパレータの動作を示す断面図である。
【図９Ａ】図９Ａは、セパレータを示す分解図である。
【図９Ｂ】図９Ｂは、シャフト（渦要素等）を示す図である。
【図９Ｃ】図９Ｃは、セパレータの動作を示す上面図である。
【図９Ｄ】図９Ｄは、セパレータの動作を示す断面図である。
【図１０Ａ】図１０Ａは、セパレータを示す分解図である。
【図１０Ｂ】図１０Ｂは、シャフト（渦要素等）を示す図である。
【図１０Ｃ】図１０Ｃは、セパレータの動作を示す上面図である。
【図１０Ｄ】図１０Ｄは、セパレータの動作を示す断面図である。
【図１１Ａ】図１１Ａは、セパレータの分解図である。
【図１１Ｂ】図１１Ｂは、セパレータの動作を示す上面図である。
【図１１Ｃ】図１１Ｃは、セパレータの動作を示す断面図である。
【図１２】図１２は、パレータシステムを示す図である。
【図１３Ａ】図１３Ａは、フィルタ付セパレータを示すブロック図である。
【図１３Ｂ】図１３Ｂは、フィルタ付セパレータを示すブロック図である。
【図１３Ｃ】図１３Ｃは、フィルタ付セパレータを示すブロック図である。
【図１４】図１４は、セパレータキャニスタシステムを示すブロック図である。
【図１５】図１５は、セパレータを示すブロック図である。
【図１６】図１６は、セパレータを示すブロック図である。
【図１７】図１７は、セパレータシステムを示すブロック図である。
【図１８】図１８は、逆止め弁付きセパレータを示すブロック図である。
【図１９】図１９は、手術使用設定におけるシステムを示す図である。
【図２０Ａ】図２０Ａは、キャニスタ蓋に取り付け可能またはその中に形成される流れ分離装置を示す図である。
【図２０Ｂ】図２０Ｂは、キャニスタ蓋に取り付け可能またはその中に形成される流れ分離装置を示す図である。
【図２１Ａ】図２１Ａは、斜めの入力ポートを有する流れ分離装置を示す図である。
【図２１Ｂ】図２１Ｂは、斜めの入力ポートを有する流れ分離装置を示す図である。
【図２１Ｃ】図２１Ｃは、斜めの入力ポートを有する流れ分離装置の断面を示す。
【図２１Ｄ】図２１Ｄは、中空体内の入力ポートとバッフルとの関係を示す流れ分離装置を示す上面図である。
【図２２Ａ】図２２Ａは、流れ分離装置の断面を示す。
【図２２Ｂ】図２２Ｂは、中空体内の入力ポートとバッフルとの関係を示す流れ分離装置の上面図である。
【図２３Ａ】図２３Ａは、らせん状のバッフルを示す図である。
【図２３Ｂ】図２３Bは、らせん状のバッフルを示す図である
【図２３Ｃ】図２３Ｃは、流れ分離装置の入力ポートへの流路を示す図である。
【図２３Ｄ】図２３Ｄは、らせん状のバッフルを示す流れ分離装置の断面である。
【図２４Ａ】図２４Ａは、球形端部を有するシャフトを示す図である。
【図２４Ｂ】図２４Ｂは、装置のバッフル上の開口を示す図である。
【図２４Ｃ】図２４Ｃは、装置のバッフル上の開口を示す図である。
【発明を実施するための形態】
【００６５】
様々な実施形態が本明細書に示され説明されてきたが、そのような実施形態が一例としてのみ提供されることは、当業者には明らかであろう。本明細書に記載された主題から逸脱することなく、多数の変形、変更、および置換が当業者には可能であろう。本明細書に記載される主題の実施形態に対する様々な代替案が採用されることを理解されたい。
【００６６】
図１は、セパレータ１００を示すブロック図である。動作中、セパレータ１００は、物質の流れの中の液体、固体および気体を分離するように構成される。吸引口１０６から物質の流れから分離された少なくとも気体を吸引する一方で、セパレータ１００は、回収口１０８から物質の流れから分離された液体および／または固体を排出する。セパレータ１００は、吸引源から受け取った吸引によって作動する。本明細書で使用される「吸引」および「真空」といった用語は、周囲の大気圧より低い圧力を示すことを理解されたい。
【００６７】
いくつかの実施形態において、セパレータ１００は、中空体１０２、入力ポート１０４、吸引口１０６、回収口１０８、バッフル１１０、およびシャフト１１２を含む。
【００６８】
いくつかの実施形態において、中空体１０２は、円筒状キャビティを画成する円筒形の壁を備える。他の中空体１０２の形状は、円錐形や卵円筒形など、セパレータ１００との使用に適している。中空体１０２の壁は、第１の空洞端および第２の空洞端を有してもよい。中空体１０２の空洞は、広い端部と細い端部を有していてもよい。中空体１０２は、中空体１０２の形状に形成された単一の固体壁から構築されているか、または、中空体１０２の第１の広い端部が中空体１０２の第２の細い端部に嵌合され、幅狭部と幅広部を有する単一の中空体１０２が形成される。いくつかの実施形態において、中空体１０２は、第１の空洞端が上になるオリエンテーションで動作するように構成されている。物質の流れから分離された気体が吸引口１０６のうちの吸引によって引き出される一方、中空体１０２は、重力が回収口１０８から、物質の流れから分離された少なくとも液体および固体を引き出すように動作中方向づけられるように構成される。
【００６９】
入力ポート１０４は、物質の流れを受け取るように構成される。いくつかの実施形態において、入力ポート１０４は、中空体１０２と一体化されている。入力ポート１０４は、円筒状キャビティ壁内に配置されている。入力ポート１０４は、円筒状キャビティの長手方向中心により画成される軸から軸外に位置する。
【００７０】
入力ポート１０４は、中空体１０２の内部空洞壁に沿って、中空体１０２内に受け入れられた物質の流れを案内するように構成され位置決めされる。いくつかの実施形態において、中空体１０２は、円筒形、球形、または卵円筒形状を有するため、中空体１０２の空洞に生成された流れは、基本的にサイクロンの流れパターンを有する。
【００７１】
中空体１０２の内部空洞壁に沿って物質の流れを案内し、サイクロンの流れパターンを形成することにより、求心力の影響により、液体、固体および気体は、中空体１０２の内部空洞壁の壁にくっつく傾向がある。
【００７２】
物質の流れは、吸引または真空源による吸引口１０６から受け取った吸引により、セパレータ１００内に誘導される。いくつかの実施形態において、吸引口１０６は、さらにチェックバルブ機構（図１に図示せず）を有し、例えば、吸引口１０６を介する固体または液体の流れを防止する。
【００７３】
吸引口１０６は、吸引源に連結するように構成されている。特定の実施形態において、吸引源は、例えば、真空ポンプ、吸引装置、および／または、ベンチュリ効果またはコアンダ効果を活用する吸引源等の正圧作動吸引源を有していてもよい。吸引源からの吸引は、吸引口１０６から入力ポート１０４へ伝わる。吸引口１０６は、中空体１０２の第１の空洞端の近くに配置される。吸引口１０６は、セパレータ１００を操作するための吸引源から受け取った吸引を提供し、更に逆止め弁を有していてもよい。いくつかの実施形態において、吸引口１０６は、チューブを取り付けるように構成されたフィッティングを有する。例えば、とげのある、または迅速交換式のフィッティングを使用して、チューブを吸引口１０６に連結する。チューブは、例えば、吸引口１０６を吸引源または別のセパレータの入力ポート１０４に連結するために使用される。
【００７４】
回収口１０８は、少なくとも液体および／または固体を排出するように構成されている。回収口１０８は、中空体１０２の円すい空洞の細い端部に配置されている。いくつかの実施形態において、回収口１０８はキャニスタに連結するように構成されている。キャニスタは、セパレータ１００から受け取った物質を収集および測定するのに使用される。キャニスタは、セパレータ１００から受け取った廃棄物の安全な収集、輸送および廃棄に使用されてもよい。いくつかの実施形態において、回収口１０８は、チューブまたはパイプに連結されて、物質を廃棄物ドレーンに案内する。いくつかの実施形態において、回収口１０８は、回収口１０８とチューブまたはキャニスタとの間にシールを形成するように構成された取り付けリングを有してもよい。
【００７５】
バッフル１１０は、入力ポート１０４と吸引口１０６との間に配置される。流れの中の液体および／または固体が直接入力ポート１０４から吸引口１０６へ引き出されることを防止することにより、中空体１０２の円筒形の壁の円周の少なくとも第１の部分を横切ることなく、バッフル１１０は空洞１００内の物質のサイクロン流を促進するように構成される。いくつかの実施形態において、バッフル１１０は、開口を含み、開口は、少なくとも物質の流れの中の気体が流れに含まれる液体および／または固体から分離することを可能にする。１つ以上の気体が、バッフル１１０を介して、吸引口１０６から引き出される。いくつかの実施形態において、バッフル１１０は、入力ポート１０４の近位に位置する固体表面を有する。流れの中の液体および／または固体が直接入力ポート１０４から吸引口１０６へ引き出されるのを防止するために、バッフル１１０に含まれる固体表面は使用され、液体および／または固体がバッフル１１０内の開口に到達する前に、重力が液体および／または固体に作用する時間を可能にする。いくつかの実施形態において、バッフル１１０は、固体表面部分と開口を有する部分の両方を含む。これらの実施形態において、吸引口１０６を介した吸引力が液体および／または固体をバッフル１１０の開口部から引き出す前に、サイクロン流内の液体および／または固体に重力が作用するように、バッフル１１０の固体表面部分は、入力ポート１０４に対して位置決めされている。液体および／または固体がバッフル１１０の固体表面を横切るときに重力が液体および／または固体に作用する時間を可能にする一方、バッフル１１０の固体表面部分は、吸引口１０６からの液体および／または固体物の吸引を防止するように構成されている。液体および／または固体に対する、中空体１０２の空洞内の重力の影響は、通常それらを回収口１０８に向かって降下させ（入力流内で）、それにより、吸引口１０６から吸引されない。
【００７６】
シャフト１１２は、物質の流れをサイクロン流に案内するように構成される。重力に加えてサイクロン流は、液体および固体を物質の流れに含まれる気体から分離させる。いくつかの実施形態において、シャフト１１２は、中空体１０２の円筒状キャビティ内に配置された部材を含む。シャフト１１２の部材は、中空体１０２の空洞内に配置され、シャフト１１２の中央部材を囲む中空体１０２の空洞がシャフト１１２と中空体１０２中空壁との間の環状キャビティ形状を有する。
【００７７】
シャフト１１２は、流れの中の液体および／または固体を案内するように構成され、回収口１０８から落ちる前に、液体および／または固体は、シャフト１１２と中空体１０２中空壁の間の環状キャビティを通過する。いくつかの実施形態において、シャフト１１２は、中空体１０２の空洞に配置されたテーパ部分または円錐形の端部を含む。いくつかの実施形態において、シャフト１１２は、異なる直径の複数のセクションを含む。複数のセクションは、例えば、中空体１０２の空洞の環状部分の第１の部分を画成する第１の円筒形部分と環状キャビティの第２の部分を画成する第２のセクションとを有する。
シャフト１１２のテーパ部および円筒部は、中空体１０２内の流れをサイクロンの流れパターンに案内するように構成される。いくつかの実施形態において、バッフル１１０は、シャフト１１２と一体化されている。
【００７８】
図２Ａは、セパレータとキャニスタシステム２００を示すブロック図である。セパレータ２０２は、セパレータ１００の一例であるが、セパレータ２０２は、代替の構成と動作方法を含んでも良い。セパレータとキャニスタシステム２００は、セパレータ２０２とキャニスタ２１４を含んでも良い。
【００７９】
いくつかの実施形態において、セパレータ２０２は、入力ポート２０４、吸引口２０６、回収口２０８、バッフル２１０およびシャフト２１２を含む。
【００８０】
いくつかの実施形態において、セパレータ２０２は、通常、円筒状キャビティと中空壁を含む。セパレータ２０２の他の好適なキャビティ形状の非限定的な例は、球形および卵円筒形状を含む。
【００８１】
セパレータ２０２は、セパレータ２０２の空洞内に渦流を生成するように構成される。セパレータ２０２の空洞は、第１の端部と第２の空洞端を含む。いくつかの実施形態において、空洞は、広い端部と細い端部を有するように構成される。広い端部は、通常、空洞の第２の端部に連結される。いくつかの実施形態において、セパレータ２０２は、第１の端部が上方に位置する状態で、動作するように構成される。
【００８２】
入力ポート２０４は、物質の流れをセパレータ２０２に案内するように構成される。入力ポート２０４はまた、物質の流れをシャフト２１２に向かって案内する。物質の流れは、液体、固体および気体、および様々な比率でのそれらの組み合わせを含んでもよい。物質の流れのいくつかの成分は、外科的副産物を含んでもよい。物質の流れは、吸引源から受け取った吸引によって、入力ポート２０４に誘導される。いくつかの実施形態において、入力ポート２０４は、セパレータ２０２と一体化されている。入力ポート２０４は、通常、セパレータ２０２の円筒状キャビティの第１の端部の近くの中空壁に配置される。入力ポート２０４は、通常、本体の円筒状キャビティの縦方向の中心により画成される軸から軸外へ配置される。一実施形態において、入力ポート２０４は、吸引先端または外科装置に入力ポート２０４を連結するための、とげのある、または迅速交換式のフィッティング等のフィッティング含んでもよい。いくつかの実施形態において、入力ポート２０４は、流れの渦をセパレータ２０２の空洞内に生成するために構成され位置決めされる。
【００８３】
吸引口２０６は、吸引源に連結するように構成される。特定の実施形態において、吸引源は、真空ポンプ、吸引装置、および／または、ベンチュリ効果またはコアンダ効果を活用する吸引源等の正圧作動吸引源を含んでもよい。
吸引源からの吸引は、吸引口２０６から入力ポート２０４に伝わる。吸引口２０６は、第１の円筒形のキャビティ端部の近くに配置される。吸引口２０６は、吸引源から受け取った吸引を提供して、セパレータとキャニスタシステム２００を操作する。いくつかの実施形態において、吸引口２０６は、チューブを取り付けるように構成されたフィッティングを含んでもよい。例えば、とげのある、または迅速交換式のフィッティングを使用して、チューブを吸引口２０６に連結する。チューブを使用して、吸引口２０６を吸引源または別のセパレータの入力ポート２０４に連結する。
【００８４】
回収口２０８は、入力ポート２０４で受け取られた物質の流れから分離された少なくとも液体および／または固体を排出するように構成される。回収口２０８は、セパレータ２０２の中空体の円すい空洞の細い端部に配置される。回収口２０８は、セパレータ２０２をキャニスタ２１４に連結するように構成される。いくつかの実施形態において、セパレータ２０２が、キャニスタ２１４、チューブ、パイプまたは少なくとも液体および／または固体を廃棄するように構成された他のいくつかの要素に連結された場合、回収口２０８は、シールを形成するように構成された取り付けリングを含む。いくつかの実施形態において、回収口２０８は、回収口２０８をキャニスタ２１４またはチューブに連結するための、とげのある、または迅速交換式のフィッティング等のフィッティングを含んでもよい。
【００８５】
バッフル２１０は、気体が、吸引口２０６を介して、入力ポート２０４で受け取られた物質の流れの中の液体および／または固体から引き出されることができるように構成されている。バッフル２１０は、少なくともセパレータ２０２の円周の第１の部分を横切ることなく、入力ポート２０４で受け取られた物質の流れの中の液体または固体が直接、入力ポート２０４から吸引口２０６に引き出されるのを防止するように構成されている。バッフル２１０は、入力ポート２０４と吸引口２０６との間に配置されている。一実施形態において、バッフル２１０は、複数の開口を有し、少なくとも物質の流れの中の気体が吸引口２０６から引き出されることを可能にする。一実施形態において、バッフル２１０は、入力ポート２０４の近位に位置する固体表面を含む。固体表面は、図１を参照して説明したように、セパレータ２０２の少なくとも一部を横切ることなく、物質の流れの中の液体および／または固体が、直接、入力ポート２０４から吸引口２０６へ引き出されるのを防止するように構成される。
【００８６】
シャフト２１２は、セパレータ２０２の空洞内のシャフト２１２とセパレータ２０２の間に環状キャビティを形成するように構成される。いくつかの実施形態において、シャフト２１２は、通常、セパレータ２０２の円筒状キャビティ内に配置されている円筒状中央部材を含む。シャフト２１２は、セパレータ２０２内に渦流を生成するように構成される。渦流および重力は、入力ポート２０４で受け取られた物質の流れの中の液体および／または固体を気体から分離させる。物質の流れの中の液体および気体は、吸引口２０６から排出される。一実施形態において、シャフト２１２は、セパレータ２０２の円すい空洞の近くに配置されたテーパ部分を含んでもよい。いくつかの実施形態において、シャフト２１２は、異なる直径を有する複数の円筒部分を含んでもよい。いくつかの実施形態において、複数の円筒部分は、環状キャビティの第１の部分を画成する第１のセクションと環状キャビティの第２の部分を画成する第２のセクションを含んでいてもよい。いくつかの実施形態において、バッフル２１０はシャフト２１２と一体化されている。
【００８７】
キャニスタ２１４は、廃棄物をセパレータ２０２から受け取るように構成されている。廃棄物は、入力ポート２０４で受け取られた物質の流れから分離された少なくとも液体および／または固体を含んでいてもよい。キャニスタ２１４を使用して、入力ポート２０４で受け取られ物質の流れから分離された液体および／または固体の量を測定する。キャニスタ２１４は、廃棄物の安全な収集、輸送および廃棄を可能にするように構成される。いくつかの実施形態において、キャニスタ２１４が所定量まで充填された場合、キャニスタ２１４は、活性化するように構成されたバルブを有していてもよい。バルブを使用して、廃棄物が輸送中、キャニスタ２１４から出るのを防止する。いくつかの実施形態において、キャニスタ２１４は、市販のキャニスタを含んでいてもよい。
【００８８】
図２Ｂは、セパレータとキャニスタシステム２００の動作を示す図である。図２Ａに示されたエレメントに加えて、図２Ｂは、入力流２４０と、吸引流２４２と、回収流２４４とを含む。
【００８９】
動作中、吸引源は、吸引口２０６に連結されて、吸引流２４２を生成する。吸引源は、真空ポンプと、吸引装置、またはコアンダベースの吸引発生器を含んでもよい。吸引流２４２は、セパレータ２０２内に流れを生成する。吸引流２４２は、入力流２４０が入力ポート２０４に入るよう誘導する。入力流２４０は、液体、固体および気体、および様々な比率でのそれらの組み合わせを含んでもよい。入力流２４０のいくつかの成分は、外科的副産物を含んでもよい。液体、固体および気体を入力流２４０から分離するために、吸引流２４２は、セパレータ２０２内でサイクロン流または渦流を生成してもよい。
【００９０】
シャフト２１２と一緒にセパレータ２０２は、吸引流２４２を使用して入力流２４０からサイクロン流または渦流を生成するように構成される。バッフル２１０は、セパレータ２０２の少なくとも一部を横切ることなく、入力流２４０が直接、入力ポート２０４から吸引口２０６に通過するのを防止してもよい。重力に加えてサイクロン流は、回収流２４４および吸引流２４２を入力流２４０から分離する。１つ以上の気体が入力流２４０から分離され、吸引流２４２として吸引口２０６から引き出される。
【００９１】
吸引流２４２は、吸引口２０６によってセパレータ２０２の外に導出される。吸引口２０６は、少なくとも吸引流２４２をセパレータ２０２から排出するように構成される。いくつかの動作方法において吸引口２０６は、吸引口２０６から分離されていない入力流２４０を排出する。
【００９２】
回収流２４４は、回収口２０８から導出される。回収口２０８は、セパレータ２０２から少なくとも回収流２４４を排出するように構成される。回収口２０８は、回収流２４４をキャニスタ２１４に案内するように構成される。
【００９３】
いくつかの実施形態において、キャニスタ２１４は、吸引源（図示せず）に接続されている。液体および固体物（キャニスタ２１４に引き出される）と気体（吸引口２０６を介して引き出される）の分離を促進するために、吸引源からキャニスタ２１４に伝わる吸引は、更にセパレータ２０２内の流体および固体物を引き出す（即ち、重力に加えて）。
【００９４】
図３は、セパレータとキャニスタシステムを操作する方法を示す図である。図３に示すステップは、例えば、セパレータとキャニスタシステム２００の１つ以上のエレメントによって実施される。
【００９５】
ステップ３０２において、吸引源は、吸引口に適用されている。本明細書に記載されるように、いくつかの実施形態において、該吸引口は、セパレータシステムの一部である。いくつかの実施形態において、ユーザは、吸引口を、コアンダ効果またはベンチュリ効果に基づく空気増幅器を含む吸引源と接続する。いくつかの実施形態において、吸引は、外科手術中に手術野から吸引された吸引物質から分離するように構成された装置の吸引口に適用される。キャニスタシステム２００に限定されないが、キャニスタシステム２００に適用されるように、セパレータ２０２は、吸引口２０６を含む。吸引口２０６は、吸引流２４２を提供できる吸引源に連結されるように構成される。吸引源は、吸引流２４２を適用するように構成される。
【００９６】
ステップ３０４において、例えばセパレータ１００またはセパレータ２００等のセパレータによってサイクロン流または渦流は生成される。サイクロン流または渦流は、セパレータの吸引口に適用された吸引流から生成される。いくつかの実施形態において、吸引流の適用の結果、セパレータ内の空気が吸引口を介して吸引された場合、サイクロンまたは渦吸引流が生成される。セパレータ空洞内のシャフトは、セパレータ内にサイクロン流を生成するように構成されており、吸引の最初の適用により、セパレータに吸引されたセパレータ空洞内の空気は、シャフトの周りに引き出され、サイクロン流または渦流を形成する。いくつかの実施形態において、シャフトは、更に、サイクロン流を促進する円錐形ヘッドを有する。いくつかの実施形態において、吸引のサイクロン流または渦流は、固体、液体、気体、またはそれらの組み合わせを含む物質をサイクロンまたは渦入力流内のセパレータに引き出させる。いくつかの実施形態において、入力ポートの位置は、入力流のサイクロン流または渦流を生成するのに役立つ。いくつかの実施形態において、入口ポートは、セパレータの上部に向かって位置決めされる。いくつかの実施形態において、入口ポートは、本質的に直接流入をセパレータ空洞の内壁面に対して案内するような角度で位置決めされている。システム２００に限定されないが、システム２００に適用されるように、セパレータ２０２は、吸引流２４２から入力ポート２０４を介して受け取られる物質のサイクロン流を生成するように構成される。
【００９７】
ステップ３０６において、入力流は、入力ポートを介して受け取られる。吸引流は、入力ポートで吸引を生成する。吸引流の圧力は、周囲の気圧を下回る。したがって、吸引流は、約周囲圧力の入力流をセパレータ装置の入力ポートで受け取らせる。いくつかの実施形態において、入力流は、固体、液体、気体、またはそれらの組み合わせを含む。いくつかの実施形態において、入力流は、セパレータ内のサイクロンまたは渦流パターン内を進む。システム２００に限定されないが、システム２００に適用されるように、入力ポート２０４は、入力流２４０を受け取るように構成される。吸引流２４２は、入力ポート２０４で吸引を生成する。吸引流２４２の圧力は、周囲の気圧を下回る。したがって、吸引流２４２は、入力流２４０を入力ポート２０４で受け取らせる。
【００９８】
ステップ３０８において、固体および／または液体と気体の混合物を含む入力流の成分が分離される。入力流内の軽い成分（すなわち、気体、煙、エアロゾル）が吸引口での吸引によって、セパレータから引き出される一方、入力流の重い成分（すなわち、液体および／または固形物）を重い成分が回収口から抜け出るように重力が働くサイクロンの流れパターンに案内することによって、例えば、セパレータは、固体および／または液体を入力流の気体から分離するように構成される。したがって、回収口を介してセパレータから放出される回収流は、少なくとも液体および／または固体を含む。システム２００に限定されないが、システム２００に適用されるように、入力流２４０の軽い成分（すなわち、気体、煙、エアロゾル）が吸引口２０６における吸引によってセパレータ２０２から引き出される一方、入力流２４０の重い成分（すなわち、液体および固体）を、重い成分が回収口２０８から抜け出るよう重力が働くサイクロンの流れパターンに案内することにより、セパレータ２０２は、回収流２４４を入力流２４０から分離するように構成される。回収流２４４は、少なくとも液体および／または固体を含む。
【００９９】
ステップ３１０において、入力流から分離された固体および／または液体は、回収口に案内される。例えば、回収口は重い成分を受け取り、重い成分をキャニスタに案内するように構成される。液体および／または固体は、キャニスタに収集される。例えば、キャニスタは、回収口から回収流（液体および／または固体を含んでもよい）を受け取るように構成される。システム２００に限定されないが、システム２００に適用されるように、回収口２０８は、重い成分を受け取り、重い成分を収集キャニスタ２１４に案内するように構成される。
【０１００】
ステップ３１２において、分離された固体および／または液体は、収集キャニスタに収集される。システム２００に限定されないが、システム２００に適用されるように、収集キャニスタ２１４は、回収口２０８から回収流２４４（液体および固体を含んでもよい）を受け取るように構成されている。
【０１０１】
ステップ３１４において、気体は吸引口を介して吸引される。例えば、吸引流は、入力流から引き出された気体を含んでもよい。吸引口は、吸引流が吸引口を介して吸引されることを可能にするように構成されている。いくつかの実施形態において、セパレータは、更にバッフルを有しており、バッフルは、入力流内の液体および／または固体が、吸引流によって吸引口から吸引されることを防止している。システム２００に限定されないが、システム２００に適用されるように、吸引流２４２は、気体を含んでもよい。吸引口２０６は、吸引流２４２が吸引口２０６を介して吸引されることを可能にするように構成される。
【０１０２】
図４Ａは、セパレータシステム４００を示すブロック図である。この実施形態において、１つ以上のセパレータシステムは、順次、一列に並ぶ。図示されるように、セパレータ４０２およびセパレータ４２２は、セパレータ２０２の一例であるが、セパレータ４０２およびセパレータ４２２は、代替の構成および動作方法を含んでもよい。
【０１０３】
いくつかの実施形態において、セパレータシステム４００は、例えば、セパレータ４０２と、キャニスタ４１４と、セパレータ４２２と、キャニスタ４３４と、吸引源４１６とを含んでもよい。
【０１０４】
セパレータ４０２は、セパレータ４０２の空洞内に渦流を生成するように構成されている。セパレータ４０２の空洞は、第１の端部と第２の空洞端とを含む。いくつかの実施形態において、空洞は、広い端部と細い端部とを有するように構成されている。広い端部は、通常、空洞の第２の端部に連結されている。いくつかの実施形態において、セパレータ４０２は、上方に位置する第１の端部と動作するように構成される。
【０１０５】
入力ポート４０４は、物質の流れをセパレータ４０２に案内するように構成されている。入力ポート４０４は、物質の流れをシャフト４１２に向かって案内する。物質の流れは、液体、固体および気体、および様々な比率でのそれらの組み合わせを含んでもよい。物質の流れのいくつかの成分は、外科的副産物を含んでもよい。物質の流れは、吸引源から受け取った吸引によって、入力ポート４０４に誘導される。いくつかの実施形態において、入力ポート４０４は、セパレータ４０２と一体化されている。入力ポート４０４は、通常、セパレータ４０２の円筒状キャビティの第１の端部の近くの中空壁に配置されている。入力ポート４０４は、通常、本体の円筒状キャビティの縦方向の中心により画成される軸から軸外に配置されている。一実施形態において、入力ポート４０４は、入力ポート４０４を吸引先端または外科装置に連結するための、とげのある、または迅速交換式のフィッティング等のフィッティングを含んでもよい。いくつかの実施形態において、入力ポート４０４は、セパレータ４０２の空洞内に流れの渦を生成するように構成され位置決めされる。
【０１０６】
吸引口４０６は、吸引源に連結するように構成されている。特定の実施形態において、吸引源は、真空ポンプ、吸引装置、および／またはベンチュリ効果またはコアンダ効果を活用する吸引源等の正圧作動吸引源を含んでもよい。
吸引源からの吸引は、吸引口４０６から入力ポート２０４へ伝わる。吸引口４０６は、第１の円筒形のキャビティ端部の近くに配置される。吸引口４０６は、セパレータとキャニスタシステム４００を動作するために、吸引源から受け取った吸引を提供してもよい。いくつかの実施形態において、吸引口４０６は、チューブを取り付けるように構成されたフィッティングを含んでもよい。例えば、とげのある、または迅速交換式のフィッティングを使用して、チューブを吸引口４０６に連結する。チューブを使用して、吸引口４０６を、吸引源または別のセパレータの入力ポート４０４に連結する。
【０１０７】
回収口４０８は、少なくとも入力ポート４０４で受け取られた物質の流れから分離された液体および／または固体を排出するように構成される。回収口４０８は、セパレータ４０２の中空体の円すい空洞の細い端部に配置される。回収口４０８は、セパレータ４０２をキャニスタ４１４に連結するように構成される。いくつかの実施形態において、セパレータ４０２が、キャニスタ４１４、チューブ、パイプまたは少なくとも液体および／または固体を廃棄するように構成された他のいくつかの要素に連結された場合、回収口４０８は、シールを形成するように構成された取り付けリングを含む。いくつかの実施形態において、回収口４０８は、回収口４０８をキャニスタ４１４またはチューブに連結するために、とげのある、または迅速交換式のフィッティング等のフィッティングを含んでもよい。
【０１０８】
吸引口４０６を介して、入力ポート４０４で受け取られた物質の流れの中の液体および／または固体から気体が引き出されるのを可能にするようにバッフル４１０は構成される。バッフル４１０は、少なくともセパレータ４０２の円周の第１の部分を横切ることなく、入力ポート４０４で受け取られた物質の流れの中の液体または固体が、直接、入力ポート４０４から吸引口４０６へ引き出されるのを防止するように構成される。バッフル４１０は、入力ポート４０４と吸引口４０６との間に配置される。いくつかの実施形態において、バッフル４１０は、複数の開口を含んでおり、少なくとも物質の流れの中の気体を吸引口４０６から引き出すことを可能にする。いくつかの実施形態において、バッフル４１０は、入力ポート４０４の近位に位置する固体表面を有する。固体表面は、図１を参照して説明したように、セパレータ４０２の少なくとも一部を横切ることなく、物質の流れの中の液体および／または固体が、直接、入力ポート４０４から吸引口４０６へ引き出されることを防止するように構成される。
【０１０９】
シャフト４１２は、セパレータ４０２の空洞内のシャフト４１２とセパレータ４０２の間に環状キャビティを形成するように構成されている。いくつかの実施形態において、シャフト４１２は、通常、セパレータ４０２の円筒状キャビティ内に配置されている円筒状中央部材を含んでいる。シャフト４１２は、セパレータ４０２内に渦流を生成するように構成されている。渦流および重力は、入力ポート４０４で受け取られた物質の流れの中の液体および／または固体を気体から分離させる。物質の流れの中の液体および気体は、吸引口４０６から排出される。一実施形態において、シャフト４１２は、セパレータ４０２の円すい空洞の近くに配置されたテーパ部分を含む。いくつかの実施形態において、シャフト４１２は、異なる直径を有する複数の円筒部分を含む。いくつかの実施形態において、複数の円筒部分は、環状キャビティの第１の部分を画成する第１のセクションと、環状キャビティの第２の部分を画成する第２のセクションとを含む。いくつかの実施形態において、バッフル４１０は、シャフト４１２と一体化されている。
【０１１０】
キャニスタ４１４は、セパレータ４０２から廃棄物を受け取るように構成されている。廃棄物は、少なくとも、入力ポート４０４で受け取られた物質の流れから分離された液体および／または固体を含んでいても良い。キャニスタ４１４を使用して、入力ポート４０４で受け取られる物質の流れから分離された液体および／または固体の量が測定される。キャニスタ４１４は、廃棄物の安全な収集、輸送および廃棄を可能にするように構成される。いくつかの実施形態において、キャニスタ４１４が所定量まで充填されると、キャニスタ４１４は活性化するように構成されたバルブを含んでもよい。バルブを使用して、輸送中、廃棄物がキャニスタ４１４を出ることを防止する。いくつかの実施形態において、キャニスタ４１４は、市販のキャニスタを含んでもよい。
【０１１１】
セパレータ４２２は、セパレータ４０２と類似の構成および動作方法を含んでいてもよい。簡潔にするため、セパレータ４２２についてはこれ以上記載しない。同様に、収集キャニスタ４３４は、収集キャニスタ４１４と類似の構成および動作方法を備えていてもよい。簡潔にするため、収集キャニスタ４３４については、これ以上記載しない。
【０１１２】
セパレータシステム４００は、吸引源４１６を有している。吸引源４１６は、周囲の気圧を下回る圧力を生成するように構成された任意の装置であってよい。吸引源４１６は、真空ポンプ、吸引装置またはコアンダベースの正圧作動吸引源を含んでいてもよい。
【０１１３】
図４Ｂは、第１のモードにおけるセパレータシステム４００の例示的な動作を示したブロック図である。キャニスタ４１４が所定の充填量に達した場合、セパレータ４０２、４２２は、入力流４４０を、直接、入力ポート４０４から吸引口４０６へ案内するように構成されている。図４Ｂに示されているように、キャニスタ４１４は、所定の充填量に達していない可能性がある。充填量４３６は、所定の充填量未満である。
【０１１４】
動作中、吸引源４１６は、吸引流４４２を吸引口４２６に供給する。セパレータ４２２は、吸引流４４２をセパレータ４０２に伝えるように構成される。吸引流４４２は、周囲の気圧を下回る入力ポート４０４の近くの圧力を生成する。周囲の気圧は、吸引流４４２の圧力を克服し、それにより、入力流４４０を入力ポート４０４へ誘導する。入力ポート４０４は、入力流４４０を受け取るように構成される。入力流４４０は、液体、気体、固体、および様々な比率でのそれらの組み合わせを含む。入力流４４０は、外科的副産物を含んでいてもよい。シャフト４１２は、セパレータ４０２の内部空洞と共同して、吸引流４４２からセパレータ４０２内にサイクロン流を生成する。サイクロン流および重力は、回収流４４４を入力流４４０から分離させる。回収流４４４は、少なくとも液体および／または固体を有する。回収流４４４は、回収口４０８から排出される。回収口４０８は、回収流４４４をキャニスタ４４４に案内するように構成される。
【０１１５】
充填量４３６は、キャニスタ４１４に収容された回収流４４４の体積を表す。図４Ｂに示されているように、充填量４３６は、所定の充填量に達していない可能性がある。この場合、セパレータ４０２は、第１の動作モードで動作する。セパレータ４０２は、吸引流４４２を回収流４４４から分離する。第１の動作モードにおいて、吸引流４４２は、主に、入力流４４０から分離された気体を含む。
【０１１６】
吸引流４４２は、吸引源４１６によって、セパレータ４０２から引き出される。吸引流４４２は、吸引口４０６から入力ポート４２４へ通過する。吸引流４４２は、主に、液体および気体を備えていてもよい。充填量４３６が所定量に達するまで、セパレータ４０２は、第１の動作モードで動作し続ける。
【０１１７】
いくつかの実施形態において、セパレータシステム４００は、キャニスタ４１４と４３４との間の接続（図示せず）を含む。キャニスタ間の接続は、キャニスタ４３４とキャニスタ４１４との間に吸引力を伝えるように構成され、例えば吸引チューブを含む、本明細書に記載の吸引を伝達するための手段のいずれかを有していてもよい。この実施形態において、吸引源４１６によって生成された吸引は、セパレータ４４２のキャニスタ４３４に伝達され、キャニスタ間の接続を介して、吸引は、キャニスタ４１４に伝達される。キャニスタ４１４に伝わった吸引は、更にセパレータ４０２内の流体および固体物を引き出し、（すなわち重力に加えて）、液体および固体物（キャニスタ４１４に引き出す）の気体（吸引口４０６から引き出される）からの分離を促進する。
【０１１８】
図４Ｃは、第２のモードにおけるセパレータシステム４００の例示的な動作を示すブロック図である。キャニスタ４１４、４３４が所定の充填量に達すると、セパレータ４０２、４２２は、入力流４４０を入力ポート４０４、４２４から分離されていない吸引口４０６、４２６へ通過させるように構成されている。図４Ｃに示されているように、充填量４３６は、キャニスタ４１４の所定の充填量に達している。第２の動作モードにおいて、セパレータ４０２は、吸引口４０６を介して、入力流４４０を分離されていないセパレータ４２２へ通過させる。
【０１１９】
動作中、吸引源４１６は、吸引流４４２を吸引口４２６に供給するように構成される。セパレータ４２２は、吸引流４４２を、セパレータ４０２を通過させるように構成される。吸引流４４２は、入力流４４０を入力ポート４０４に引き出す。充填量４３６がキャニスタ４１４の所定の充填量に達したため、セパレータ４０２は、入力流４４０を、入力ポート４０４から吸引口４０６に通過させる。入力流４４０は、入力ポート４２４によって受け取られる。
【０１２０】
図示されるように、充填量４３８はキャニスタ４３４の所定の充填量に達していない。従って、セパレータ４２２は、回収流４４４を吸引流４４２から分離する。回収流４４４は、入力流４４０からの液体および／または固体を含んでもよい。セパレータ４２２は、吸引流４４２から回収流４４４を分離する。回収流４４４は、回収口４２８から排出される。回収口４２８は、キャニスタ４３４に連結されている。キャニスタ４３４は、回収口４２８から回収流４４４を受け取るように構成されている。吸引流４４２は、吸引源４１６によって吸引口４２６から引き出される。
【０１２１】
本明細書に記載のシステム、装置、および方法は、制御された速度で、液体から気体を分離するように構成されている。本明細書に記載されている通り、１つ以上の流れ分離装置が接続されている場合、システムによって適用された吸引の制御された速度は増加する。本明細書に記載の通り、システム内の２つ以上のセパレータは「順次」接続され、吸引源からの吸引は、第１のセパレータから第１のセパレータに接続された第２のセパレータに伝達される。代替の実施形態において、１つ以上のセパレータが、システム内で「並行に」接続され、２つ以上の相互接続されたセパレータ（記載されるように、相互に接続される）は、両方、１つ以上の吸引源に接続される。
【０１２２】
いくつかの実施形態において、システム内で接続された１つ以上のセパレータを介して伝達された吸引は、単一のセパレータを介して伝達された吸引より大きい。例えば、外科吸引器がセパレータシステムに接続された場合、外科吸引器が図２Ａ−２Ｃのいずれかのシステムに接続されている場合より、外科吸引器が、図４Ａ−４Ｃのいずれかのシステムに接続されている場合に、増加した吸引力は、外科吸引器で伝達される（すなわち、単一のセパレータへの接続とは対照的に、システム内の２つ以上のセパレータに接続された場合、外科吸引器で経験されるより大きい吸引）。
【０１２３】
本明細書に記載の通り、１つ以上の流れ分離装置が接続されている場合、少なくとも約１立方センチメートル／秒（ｃｃ／ｓ）の流速が生成されてもよく、例えば２ｃｃ／ｓ、３ｃｃ／ｓ、４ｃｃ／ｓ、５ｃｃ／ｓ、６ｃｃ／ｓ、７ｃｃ／ｓ、８ｃｃ／ｓ、９ｃｃ／ｓ、１０ｃｃ／ｓ、１１ｃｃ／ｓ、１２ｃｃ／ｓ、１３ｃｃ／ｓ、１４ｃｃ／ｓ、１５ｃｃ／ｓ、１６ｃｃ／ｓ、１７ｃｃ／ｓ、１８ｃｃ／ｓ、１９ｃｃ／ｓ、２０ｃｃ／ｓ、２５ｃｃ／ｓ、３０ｃｃ／ｓ、３５ｃｃ／ｓ、４０ｃｃ／ｓ、４５ｃｃ／ｓ、５０ｃｃ／ｓ、５５ｃｃ／ｓ、６０ｃｃ／ｓ、６５ｃｃ／ｓ、７０ｃｃ／ｓ、７５ｃｃ／ｓ、８０ｃｃ／ｓ、８５ｃｃ／ｓ、９０ｃｃ／ｓ、９５ｃｃ／ｓ、１００ｃｃ／ｓ以上である。システムは、少なくとも約５ｃｃ／ｓの速度で気体を液体から分離してもよい。システムは、少なくとも約１０ｃｃ／ｓの速度で、気体を液体から分離してもよい。システムは、少なくとも約２０ｃｃ／ｓの速度で、気体を液体から分離してもよい。システムは、少なくとも約３０ｃｃ／ｓの速度で気体を液体から分離してもよい。システムは、少なくとも約４０ｃｃ／ｓの速度で、気体を液体から分離してもよい。システムは、少なくとも約５０ｃｃ／ｓの速度で、気体を液体から分離してもよい。
【０１２４】
本明細書に記載の１つ以上の流れ分離装置は、流れにおける気体と液体との分離等の流れの分離を提供してもよく、流速は約１００ｍｍＨｇ、１５０ｍｍＨｇ、２００ｍｍＨｇ、２５０ｍｍＨｇ、３００ｍｍＨｇ、３５０ｍｍＨｇ、４００ｍｍＨｇ、４５０ｍｍＨｇ、５００ｍｍＨｇ、またはそれ以上である。流れの分離は、少なくとも約１５０ｍｍＨｇの流速で起こってもよい。流れの分離は、少なくとも約２００ｍｍＨｇの流速で起こってもよい。流れの分離は、少なくとも約２５０ｍｍＨｇの流速で起こってもよい。流れの分離は、少なくとも約３００ｍｍＨｇの流速で起こってもよい。流れの分離は、少なくとも約３５０ｍｍＨｇの流速で起こってもよい。流れの分離は、少なくとも約４００ｍｍＨｇの流速で起こってもよい。流れの分離は、少なくとも約５００ｍｍＨｇの流速で起こってもよい。流れの分離は、約１５０ｍｍＨｇから約３５０ｍｍＨｇの流速で起こってもよい。流れの分離は、約２００ｍｍＨｇから約３５０ｍｍＨｇの流速で起こってもよい。
【０１２５】
本明細書に記載の１つ以上の流れ分離装置は、流れの液体部分を、キャニスタに隣接するか、またはキャニスタに取り付けられた出口ポートにサイクロンし、ろ過装置等の別の出口ポートを介して流れの気体部分を転換するように構成される。１つ以上の流れ分離装置または分離装置の１つ以上の成分は使い捨てであってもよい。１つ以上の流れ分離装置または分離装置の１つ以上の成分は再利用可能であってもよい。
【０１２６】
動作可能に連結されていない手術器具と比較して、１つ以上の流れ分離装置に動作可能に連結されている手術器具の吸引能力は増加する。吸引能力は、約１倍、１．２５倍、１．５倍、１．７５倍、２倍、２．２５倍、２．５倍、２．７５倍、３倍、３．２５倍、３．５倍、３．７５倍、４倍、４．２５倍、４．５倍、４．７５倍、５倍、またはそれ以上に増加してもよい。吸引能力は、少なくとも約１．２５倍増加してもよい。吸引能力は、少なくとも約１．５倍増加してもよい。吸引能力は、少なくとも約１．７５倍増加してもよい。吸引能力は、少なくとも約２倍増加してもよい。吸引能力は、少なくとも約２．５倍増加してもよい。吸引能力は、少なくとも約３倍増加してもよい。
【０１２７】
動作可能に連結されていない手術器具と比較して、１つ以上の流れ分離装置に動作可能に連結されている手術器具の吸引能力は増加してもよい。吸引能力は、約２０％、２５％、３０％、３５％、４０％、４５％、５０％、５５％、６０％、６５％、７０％、７５％、８０％、８５％、９０％、９５％またはそれ以上増加してもよい。吸引能力は、少なくとも約２５％増加してもよい。吸引能力は、少なくとも約３０％増加してもよい。吸引能力は、少なくとも約３５％増加してもよい。吸引能力は、少なくとも約４０％増加してもよい。吸引能力は、少なくとも約４５％増加してもよい。吸引能力は、少なくとも約５０％増加してもよい。吸引能力は、少なくとも約５５％増加してもよい。吸引能力は、少なくとも約６０％増加してもよい。吸引能力は、少なくとも約６５％増加してもよい。吸引能力は、少なくとも約７０％増加してもよい。吸引能力は、少なくとも約７５％増加してもよい。吸引能力は、少なくとも約８０％増加してもよい。吸引能力は、少なくとも約８５％増加してもよい。吸引能力は、少なくとも約９０％増加してもよい。
【０１２８】
動作可能に連結されていない吸引源と比較して、１つ以上の流れ分離装置に動作可能に連結された受動的な吸引源等の吸引源の吸引能力は増加してもよい。吸引能力は、約１倍、１．２５倍、１．５倍、１．７５倍、２倍、２．２５倍、２．５倍、２．７５倍、３倍、３．２５倍、３．５倍、３．７５倍、４倍、４．２５倍、４．５倍、４．７５倍、５倍、またはそれ以上に増加してもよい。吸引能力は、少なくとも約１．２５倍増加してもよい。吸引能力は、少なくとも約１．５倍増加してもよい。吸引能力は、少なくとも約１．７５倍増加してもよい。吸引能力は、少なくとも約２倍増加してもよい。吸引能力は、少なくとも約２．５倍増加してもよい。吸引能力は、少なくとも約３倍増加してもよい。
【０１２９】
動作可能に連結されていない吸引源と比較して、１つ以上の流れ分離装置に動作可能に連結された受動的な吸引源等の吸引源の吸引能力は増加してもよい。吸引能力は、約２０％、２５％、３０％、３５％、４０％、４５％、５０％、５５％、６０％、６５％、７０％、７５％、８０％、８５％、９０％、９５％またはそれ以上増加してもよい。吸引能力は、少なくとも約２５％増加してもよい。吸引能力は、少なくとも約３０％増加してもよい。吸引能力は、少なくとも約３５％増加してもよい。吸引能力は、少なくとも約４０％増加してもよい。吸引能力は、少なくとも約４５％増加してもよい。吸引能力は、少なくとも約５０％増加してもよい。吸引能力は、少なくとも約５５％増加してもよい。吸引能力は、少なくとも約６０％増加してもよい。吸引能力は、少なくとも約６５％増加してもよい。吸引能力は、少なくとも約７０％増加してもよい。吸引能力は、少なくとも約７５％増加してもよい。
吸引能力は、少なくとも約８０％増加してもよい。吸引能力は、少なくとも約８５％増加してもよい。吸引能力は、少なくとも約９０％増加してもよい。
【０１３０】
図５は、順次、セパレータシステムを操作する例示的な方法を示す図である。図５に示されるステップは、例えば、セパレータシステム４００の１つ以上のエレメントによって実施される。
【０１３１】
ステップ５０２および５０４において、単一の吸引源は、第１のセパレータに接続された第２のセパレータの吸引口に吸引を適用する。第１のセパレータが第２のセパレータに接続され、第２のセパレータ内で生成された吸引流が、第１のセパレータに移転する。いくつかの実施形態において、標準吸引チューブ等の吸引管路によって、第２のセパレータの入力ポートは、第１のセパレータの吸引口に接続される。吸引源は、第１のセパレータに伝達される吸引流を生成する第２のセパレータの吸引口に直接適用される。システム４００に限定されないが、システム４００に適用されるように、吸引源４１６は、吸引を供給するように構成される。吸引口４２６は、吸引源４１６から吸引流４４２を受け取るように構成される。セパレータ４２２は、吸引流４４２を入力ポート４２４から吸引口４０６へ伝えるように構成される。
【０１３２】
ステップ５０６において、サイクロン流または渦流は、両方のセパレータ内で生成される。本明細書に記載の通り、吸引源が両方のセパレータに適用された場合、第１および第２セパレータは、サイクロンまたは渦吸引流を生成するように構成されている。システム４００に限定されないが、システム４００に適用されるように、セパレータ４０２、４２２は、吸引流４４２から、入力ポート４０４を介して受け取られる物質のサイクロン流を生成するように構成される。
【０１３３】
ステップ５０８において入力流は、第１のセパレータの入力ポートで受け取られる。システム４００に限定されないが、システム４００に適用されるように、入力ポート４０４は、入力流４４０を受け取るように構成される。吸引流４４２は、周囲の気圧を下回る圧力を有している。圧力差は、入力流４４０を入力ポート４０４に流させるように構成される。
【０１３４】
ステップ５１０において、液体および／または固体は、第１のセパレータでの入力流から分離され、第２のセパレータから吸引流が伝達される。システム４００に限定されないが、システム４００に適用されるように、入力流４４０内の軽い成分（すなわち、気体、煙、エアロゾル）が、吸引口４０６における吸引によってセパレータ４０２から引き出される一方、入力流４４０の重い成分（すなわち、液体および固体）を重い成分を回収口４０８から抜け出させるよう重力が働くサイクロンの流れパターンに案内することにより、セパレータ４０２は、吸引流４４２を分離するように構成される。回収流４４４は、少なくとも液体および固体を含む。
【０１３５】
ステップ５１２において、第１のセパレータからの液体および／または固体が収集される。記載されるように、例えば、回収口は、重い成分を受け取り、重い成分をキャニスタに案内するように構成される。システム４００に限定されないが、システム４００に適用されるように、回収口４０８は、重い成分を受け取り、重い成分を収集キャニスタ４１４に案内するように構成される。セパレータ４０２は、収集キャニスタ４１４に連結されている。収集キャニスタ４１４は、回収口４０８から回収流４４４を受け取るように構成される。充填量４３６が所定のレベルに達していない限り、セパレータ４０２は、回収流４４４を収集キャニスタ４１４に排出するように構成される。
【０１３６】
ステップ５１４において、１つ以上の気体が第１のセパレータの吸引口を介して吸引されている。システム４００に限定されないが、システム４００に適用されるように、吸引流４４２は、セパレータ４０２によって入力流４４０から分離された気体を含んでもよい。吸引口４０６は、セパレータ４０２から吸引流４４２を通過させるように構成される。
【０１３７】
ステップ５１６において、第１のキャニスタが所定の充填量に達した場合、入力流は、第２のセパレータの入力ポートへ、第１のセパレータの吸引口を通過する。システム４００に限定されないが、システム４００に適用されるように、充填量４３６が所定の充填量に達している場合、セパレータ４０２は、入力流４４０を吸引口４０６から分離されていない入力ポート４２４へ通過させるように構成される。
【０１３８】
ステップ５１８において、入力流は第２のセパレータの入力ポートで受け取られる。システム４００に限定されないが、システム４００に適用されるように、入力ポート４２４は、入力流４４０を受け取るように構成される。
【０１３９】
ステップ５２０において、液体および／または固体は、第２のセパレータにおける入力流から分離されている。システム４００に限定されないが、システム４００に適用されるように、セパレータ４２２は、吸引流４４２を回収流４４４から分離するように構成される。吸引流４４２は、主に、入力流４４０から分離された気体を含んでいてもよい。回収流４４４は、主に、入力流４４０から分離された液体および／または固体を含んでもよい。
【０１４０】
ステップ５２２において、液体および／または固体は、第２のセパレータから収集される。システム４００に限定されないが、システム４００に適用されるように、セパレータ４２２は、キャニスタ４３４に連結される。キャニスタ４３４は、回収流４４４を受け取るように構成されている。回収口４２８は、回収流４４４をキャニスタ４３４に案内するように構成される。システム４００に限定されないが、システム４００に適用されるように。
【０１４１】
ステップ５２４において、１つ以上の気体は、第２のセパレータの吸引口を介して吸引される。システム４００に限定されないが、システム４００に適用されるように、吸引流４４２は、主に、入力流４４０から分離された気体を含んでいてもよい。セパレータ４２２は、吸引口４２６を介して、吸引流４４２を通過させるように構成される。
【０１４２】
図６は、吸引システム６００を示すブロック図である。吸引システム６００は、セパレータ６０２と、収集キャニスタ６１４と、吸引源６１６と、吸引具６４６とを含む。セパレータ６０２は、セパレータ１００、セパレータ２０２、セパレータ４０２およびセパレータ４２２の一例であるが、セパレータ６０２は、代替の構成および動作方法を含んでいてもよい。収集キャニスタ６１４は、収集キャニスタ２１４、収集キャニスタ４１４、および収集キャニスタ４３４の一例であるが、収集キャニスタ６１４は、代替の構成および動作方法を含んでいてもよい。吸引源６１６は、吸引源４１６の一例であるが、吸引源６１６は、代替の構成または動作方法を含んでいてもよい。
【０１４３】
いくつかの実施形態において、セパレータ６０２は、入力ポート６０４と、吸引口６０６と、回収口６０８とを含む。
【０１４４】
いくつかの実施形態において、入力ポート６０４は、セパレータ６０２の一部として含まれる本体と一体化されている。入力ポート６０４は、セパレータ６０２と一体化されていてもよい。入力ポート６０４は、円筒状キャビティの長手方向中心により画成される軸から軸外に位置する。入力ポート６０４は、物質の流れを円筒状キャビティ壁に沿って案内するように構成されていてもよい。物質の流れを円筒状キャビティ壁に沿って案内することにより、液体および気体は、求心力の影響により、空洞の壁にくっついてもよい。入力ポート６０４は、物質の流れを受け取るように構成される。物質の流れは、周囲の気圧と、吸引源６１６により提供される低い圧力との間の圧力差によって、入力ポート６０４に引き出される。いくつかの実施形態において、入力ポート６０４は、チューブを取り付けるように構成されたフィッティングを含んでいてもよい。例えば、とげのある、または迅速交換式のフィッティングを使用して、チューブが入力ポート６０４に連結される。
【０１４５】
吸引口６０６は、吸引源６１６に連結するように構成される。特定の実施形態において、吸引源６１６は、真空ポンプ、吸引装置、および／またはベンチュリ効果またはコアンダ効果を活用する吸引源等の正圧作動吸引源を含んでもよい。吸引源６１６からの吸引は、入力ポート６０４に吸引を生成する。入力ポート６０４は、物質の流れを受け取るように構成される。物質の流れは、周囲の気圧と、吸引源６１６により提供される低い圧力との間の圧力差により、入力ポート６０４に引き出される。物質の流れは、液体、固体および気体、および様々な比率でのそれらの組み合わせを含んでもよい。くつかの実施形態において、入力ポート６０４は、チューブを取り付けるように構成されたフィッティングを含んでもよい。例えば、とげのある、または迅速交換式のフィッティングを使用して、チューブを入力ポート６０４に連結してもよい。
【０１４６】
回収口６０８は、回収流を排出するように構成される。回収流は、少なくとも液体および固体を含んでもよい。回収口６０８は、セパレータ６０２の円すい空洞の細い端部に配置される。回収口６０８は、収集キャニスタ６１４に連結される。収集キャニスタ６１４を使用して、セパレータ６０２から収集された物質を測定してもよい。収集キャニスタ６１４は、セパレータ６０２から受け取った廃棄物の安全な収集、輸送および廃棄に使用されてもよい。いくつかの実施形態において、回収口６０８は、回収口６０８と収集キャニスタ６１４との間にシールを形成するように構成された取り付けリングを含んでもよい。
【０１４７】
吸引具６４６は、セパレータ６０２に連結するように構成されている。吸引具６４６は、吸引具６４６の操縦性を維持するために、可撓性チューブまたはパイプを使用して、入力ポート６０４に連結してもよい。いくつかの実施形態において、吸引具６４６は、手持ち操作のために構成されてもよい。いくつかの実施形態において、吸引具６４６は、手術器具に連結するように構成される。
【０１４８】
動作中、吸引源６１６は、吸引を吸引口６０６へ供給する。吸引源６１６は、セパレータ６０２内にサイクロン流を生成する。吸引具６４６は、入力ポート６０４に連結されている。入力ポート６０４は、吸引具６４６を連結するように構成されている。セパレータ６０２は、吸引源６１６からの吸引を吸引具６４６へ伝えるように構成される。吸引具６４６は、物質の流れを受け取るように構成されている。物質の流れは、吸引源６１６によって吸引具６４６に引き出される。セパレータ６０２は、入力ポート６０４で吸引具６４６から物質の流れを受け取るように構成される。セパレータ６０２は、液体および固体を物質の流れの中の気体から分離するように構成される。回収口６０８は、収集キャニスタ６１４に連結されている。回収口６０８は、回収流を収集キャニスタに案内する。回収流は、少なくとも液体および固体を含んでいてもよい。吸引流は、吸引源６１６からの吸引によって、吸引口６０６から引き出される。吸引流は、主に、気体を有する。しかしながら、いくつかの例において、吸引流は、液体、固体および気体を含んでいてもよい。
【０１４９】
図７は、吸引システムの動作方法を示す図である。図７に示されるステップは、例えば、吸引システム６００の１つ以上のエレメントによって実施される。
【０１５０】
ステップ７０２において、吸引源は、吸引口に適用される。システム６００に限定されないが、システム６００に適用されるように、セパレータ６０２は、吸引口６０６を有する。吸引口６０６は、吸引源６１６に連結するように構成される。吸引源６１６は、吸引流をセパレータ６０２に適用するように構成される。
【０１５１】
ステップ７０４において、サイクロン流は、セパレータ内で生成される。システム６００に限定されないが、システム６００に適用されるように、セパレータ６０２は、吸引流から、入力ポート６０４を介して受け取られる物質のサイクロン流を生成するように構成される。
【０１５２】
ステップ７０６において、吸引は、吸引具に伝わる。システム６００に限定されないが、システム６００に適用されるように、セパレータ６０２は、吸引源６１６からの吸引を吸引具６４６へ伝えるように構成される。
【０１５３】
ステップ７０８において、入力流は、吸引具で受け取られる。システム６００に限定されないが、システム６００に適用されるように、吸引具６４６は、吸引源６１６によって生成された入力流を受け取るように構成される。
【０１５４】
ステップ７１０において、吸引流は、吸引具で調節される。システム６００に限定されないが、システム６００に適用されるように、吸引具６４６は、吸引具６４６に供給される吸引を調節するように構成される。吸引源６１６は、一貫した吸引供給を維持するように構成されてもよい。吸引が吸引具６４６によって調節される一方、セパレータ６０２は、機能し続ける。
【０１５５】
ステップ７１２において、入力流は、入力ポートにおいて受け取られる。システム６００に限定されないが、システム６００に適用されるように、入力ポート６０４は、吸引具６４６に連結される。入力ポート６０４は、吸引具６４６から入力流を受け取るように構成される。
【０１５６】
ステップ７１４において、液体および固体は、入力流から分離される。システム６００に限定されないが、システム６００に適用されるように、吸引口６０６における吸引によって、入力流内の軽い成分（すなわち、気体、煙、エアロゾル）がセパレータ６０２から引き出される一方、入力流の重い成分（すなわち、液体および固体）を、重い成分を回収口６０８を介して抜け出させるよう重力が働くサイクロンの流れパターンに案内することにより、セパレータ６０２は、回収流を入力流から分離するように構成される。
【０１５７】
ステップ７１６において液体および固体は、回収口から導出される。システム６００に限定されないが、システム６００に適用されるように、回収口６０８は、重い成分を受け取り、重い成分を収集キャニスタ６１４に案内するように構成される。気体は、セパレータ（７１８）の吸引口を介して、吸引される。例えば、セパレータ６０２は、気体を入力ポート６０４で受け取られた入力流から分離するように構成される。吸引源６１６は、吸引口６０６からの入力流から分離された少なくとも気体を吸引するように構成される。
【０１５８】
図８Ａは、セパレータ８００を示す分解図である。セパレータ８００は、セパレータ１００、セパレータ２０２、セパレータ４０２、セパレータ４２２、およびセパレータ６０２の一例であるが、セパレータ８００は、代替の構成および動作方法を有していてもよい。
【０１５９】
いくつかの実施形態において、セパレータ８００は、本体８０２、入力ポート８０４、吸引口８０６、回収口８０８、バッフル８１０、渦要素８１２、取付ベース８４６、および取り付けリング８４８を含む。
【０１６０】
本体８０２は、円筒状キャビティを画成する円筒形の壁を有する。円筒形の壁は、第１の円筒形のキャビティ端部と、第２の円筒形のキャビティ端部とを有する。本体８０２は、円すい空洞を形成する。円すい空洞は、広い端部と細い端部を有する。広い端部は、本体８０２の第２の円筒形のキャビティ端部と嵌合する。いくつかの実施形態において、本体８０２は、第１の円筒形のキャビティ端部が上になるように動作するように構成される。物質の流れから分離された気体が、吸引口８０６からの吸引によって引き出される一方、本体８０２は、重力が、回収口８０８から物質の流れから分離された少なくとも液体および固体を引き出すことを可能にする。
【０１６１】
入力ポート８０４は、物質の流れを受け取るように構成される。物質の流れは、吸引口８０６を介して、吸引源または真空源によって、セパレータ８００内に誘導される。入力ポート８０４は、円筒状キャビティ壁に沿って物質の流れを案内するように構成される。円筒状キャビティ壁に沿って物質の流れを案内することによって、液体および気体は、求心力の影響により、空洞の壁にくっついてもよい。入力ポート８０４は、本体８０２と一体化されている。入力ポート８０４は、本体８０２の円筒状キャビティ壁内に配置されている。入力ポート８０４は、円筒状キャビティの長手方向中心により画成される軸から軸外に位置している。
【０１６２】
吸引口８０６は、吸引源８１６に連結するように構成されている。特定の実施形態において、吸引源８１６は、真空ポンプ、吸引装置、および／またはベンチュリ効果またはコアンダ効果を活用する吸引源等の正圧作動吸引源を含んでもよい。吸引源８１６からの吸引は、入力ポート８０４で吸引を生成する。入力ポート８０４は、物質の流れを受け取るように構成されている。物質の流れは、周囲の気圧と、吸引源８１６によって提供される低い圧力との間の圧力差によって、入力ポート８０４に引き出される。物質の流れは、液体、固体および気体、および様々な比率でのそれらの組み合わせを含んでいてもよい。いくつかの実施形態において、入力ポート８０４は、チューブを取り付けるように構成されたフィッティングを含んでいてもよい。例えば、とげのある、または迅速交換式のフィッティングを使用して、チューブを入力ポート８０４に連結する。
【０１６３】
回収口８０８は、回収流を排出するように構成される。回収流は、少なくとも液体および固体を含んでもよい。回収口８０８は、本体８０２の円すい空洞の細い端部に配置される。一実施形態において、回収口８０８は、収集キャニスタに連結するように構成されてもよい。収集キャニスタを使用して、セパレータ８００から収集される物質を測定してもよい。収集キャニスタは、セパレータ８００から受け取った廃棄物の安全な収集および廃棄のために使用されてもよい。いくつかの実施形態において、回収口８０８は、チューブまたはパイプに連結されて、物質を廃棄物ドレーンに案内してもよい。いくつかの実施形態において、回収口８０８は、回収口８０８と、チューブまたは収集キャニスタとの間にシールを形成するように構成された取り付けリング８４８を含んでもよい。
【０１６４】
バッフル８１０は、少なくともセパレータ本体８０２の円筒形の壁の円周の第１の部分を横切ることなく、流れの中の液体または固体が、直接、入力ポート８０４から吸引口８０６へ引き出されるのを防止するように構成される。バッフル８１０は、入力ポート８０４と吸引口８０６の間に配置される。バッフル８１０は、通路を含んでおり、通路は、少なくとも物質の流れの中の気体が、流れの中に含まれていてもよい液体および固体から分離することを可能にする。気体は、バッフル８１０を介して、吸引口８０６から引き出される。バッフル８１０は、入力ポート８０４の近位に位置する固体表面を含んでおり、入力ポート８０４は、本体８０２の円筒形の壁の円周の少なくとも第１の部分を横切るよう、流れを案内するよう構成される。液体および固体がバッフル８１０の開口に達する前に、重力が液体および固体に働く時間を可能にすることにより、バッフル８１０に含まれる固体表面は、流れの中の液体および固体が、直接、入力ポート８０４から吸引口８０６に引き出されることを防止する。液体および固体がバッフル８１０の固体表面を横切るときに、重力が液体および固体に働く時間を可能にすることにより、液体および固体は、回収口８０８に向かって降下することができ、それによって、吸引口８０６から吸引されない。
【０１６５】
渦要素８１２は、回収口８０８から落ちる前に、回収流が環状キャビティを通過することを可能にするように構成されている。回収流は、少なくとも液体および固体を含んでいてもよい。渦要素８１２は、本体８０２の円筒状キャビティ内に配置されている円筒状中央部材を有している。円筒状中央部材は、渦要素８１２と本体８０２との間に、環状キャビティを形成する。渦要素８１２は、本体８０２の円すい空洞内に配置されたテーパ部分を含む。渦要素８１２は、異なる直径を有する複数の円筒部分を含む。複数の円筒部分は、環状キャビティの第１の部分を画成する第１のセクションと、環状キャビティの第２の部分を画成する第２のセクションとを有する。テーパ部および円筒部は、サイクロンの流れパターンで、本体８０２内の流れを案内するように構成されていてもよい。バッフル８１０は、渦要素８１２と一体化されている。
【０１６６】
取付ベース８４６は、セパレータ８００が組み立てられることを可能にするように構成される。取付ベース８４６は、本体８０２に連結するように構成される。取付ベース８４６は、取り付けリング８４８に連結するように構成される。
【０１６７】
取り付けリング８４８は、吸引口８０６のための、シールして動作するように構成される。取り付けリング８４８は、セパレータ８００と吸引源へのカップリングとの間にシールを形成する柔軟な材料から作られてもよい。
【０１６８】
図８Ｂは、渦要素８００を示す図である。渦要素８１２は、渦要素８１２と本体８０２との間に環状キャビティを形成するように構成される。渦要素８１２は、本体８０２内に渦流を生成するように構成される。渦流および重力は、入力ポート８０４に受け取られた物質の流れの中の液体および固体を、気体から分離させる。渦要素８１２は、通常、本体８０２の円筒状キャビティ内に配置された円筒状中央部材を含む。渦要素８１２は、本体８０２の円すい空洞の近くに配置されたテーパ部分を含む。渦要素８１２は、異なる直径を有する複数の円筒部分を含む。複数の円筒部分は、環状キャビティの第１の部分を画成する第１のセクションと、環状キャビティの第２の部分を画成する第２のセクションとを有する。バッフル８１０は、渦要素８１２と一体化されている。
【０１６９】
渦要素８１２は、バッフル８１０を有する。バッフル８１０は、少なくともセパレータ本体８０２の円筒形の壁の円周の第１の部分を横切ることなく、流れの中の液体または固体が直接、入力ポート８０４から吸引口８０６へ引き出されるのを防止するように構成される。バッフル８１０は、入力ポート８０４と吸引口８０６の間に配置される。バッフル８１０は、通路を含み、通路は、少なくとも物質の流れの中の気体が、流れの中に含まれていてもよい液体および固体から分離することを可能にするように構成される。気体は、バッフル８１０を介して、吸引口８０６から引き出されてもよい。バッフル８１０は、入力ポート８０４の近位に位置する固体表面を含み、入力ポート８０４は、本体８０２の円筒形の壁の円周の少なくとも第１の部分を横切るよう流れを案内するよう構成される。液体および固体がバッフル８１０の開口に達する前に、重力が液体および固体に働く時間を可能にすることにより、バッフル８１０に含まれる固体表面は、流れの中の液体および固体が、直接、入力ポート８０４から吸引口８０６へ引き出されることを防止できる。液体および固体がバッフル８１０の固体表面を横切るときに、重力が液体および固体に働く時間を可能にすることにより、液体および固体は、回収口８０８に向かって降下し、それによって、吸引口８０６から吸引されない。
【０１７０】
図８Ｃは、セパレータ８００の動作を示す上面図である。動作中、吸引口８０６に連結される吸引源は、入力流８４０をセパレータ８００内に誘導する。入力流８４０は、入力ポート８０４を介して、セパレータ８００に入る。バッフル８１０は、通路８５０を含んでおり、通路８５０は、少なくとも気体が、回収口８０８を介してセパレータ８００から抜け出ることを可能にするように構成される。バッフル８１０は、入力ポート８０４のすぐ近位にある通路８５０を含まず、入力流８４０が本体８０２の内部の円周の少なくとも第１の部分を横切るようにする。
【０１７１】
図８Ｄは、セパレータ８００の動作を示す断面図である。セパレータ８００は、本体８０２、入力ポート８０４、吸引口８０６、回収口８０８、バッフル８１０、渦要素８１２、取付ベース８４６、および取り付けリング８４８を含む。図８Ｄのエレメントは、既に記載されている。
【０１７２】
動作中、吸引供給は、吸引口８０６に連結されている。吸引口８０６は、吸引源からの吸引を入力ポート８０４へ伝えるように構成されている。吸引源からの吸引は、入力流８４０が入力ポート８０４に入るよう誘導する。バッフル８１０は、通路８５０を有しており、通路８５０は、入力流８４０に含まれる少なくとも気体が、吸引口８０６を介してセパレータ８００から抜け出ることを可能にするよう構成されている。バッフル８１０は、入力ポート８０４のすぐ近位の固体表面を有しており、入力流８４０が、本体８０２の内部の少なくとも第１の部分を横切るようにする。渦要素８１２は、渦要素８１２と、本体８０２の内部空洞との間に環状開口を形成する。セパレータ８００によって生成されたサイクロン流と重力の組み合わせは、回収流８４４を入力流８４０から分離させる。回収流８４４は、入力流８４０から分離された少なくとも液体および固体を含んでもよい。回収流８４４は、回収口８０８から排出される。セパレータ８００は、吸引流８４２を入力流８４０から分離するように構成される。吸引流８４２は、吸引源により、吸引口８０６から引き出される。
【０１７３】
図９Ａは、セパレータ９００の分解図である。セパレータ９００は、セパレータ１００、セパレータ２０２、セパレータ４０２、セパレータ４２２、およびセパレータ６０２の一例であるが、セパレータ９００は、代替の構成および動作方法を有していてもよい。
【０１７４】
いくつかの実施形態において、セパレータ９００は、本体９０２、入力ポート９０４、吸引口９０６、回収口９０８、バッフル９１０、渦要素９１２、取付ベース９４６、および取り付けリング９４８を含む。
【０１７５】
本体９０２は、円筒状キャビティを画成する円筒形の壁を有する。円筒形の壁は、第１の円筒形のキャビティ端部と、第２の円筒形のキャビティ端部とを含む。本体９０２もまた、円すい空洞を形成する。円すい空洞は、広い端部と細い端部とを有する。広い端部は、本体９０２の第２の円筒形のキャビティ端部に嵌合する。いくつかの実施形態において、本体９０２は、第１の円筒形のキャビティ端部が上になるように動作するよう構成される。物質の流れから分離された気体が、吸引口９０６からの吸引によって引き出される一方、本体９０２は、重力が、回収口９０８から物質の流れから分離された少なくとも液体および固体を引き出すのを可能にするように構成される。
【０１７６】
入力ポート９０４は、物質の流れを受け取るように構成される。物質の流れは、吸引口９０６を介して、吸引源または真空源により、セパレータ９００内に誘導されてもよい。入力ポート９０４は、本体９０２の円筒状キャビティ壁に沿って物質の流れを案内するように構成される。円筒状キャビティ壁に沿って物質の流れを案内することによって、液体および気体は、求心力の影響により空洞の壁にくっついてもよい。入力ポート９０４は、本体９０２と一体化されている。入力ポート９０４は、円筒状キャビティ壁内に配置されている。入力ポート９０４は、円筒状キャビティの長手方向中心により画成される軸から軸外に位置する。
【０１７７】
吸引口９０６は、吸引源に連結するように構成される。特定の実施形態において、吸引源は、真空ポンプ、吸引装置、および／またはベンチュリ効果またはコアンダ効果を活用する吸引源等の正圧作動吸引源を含んでもよい。吸引源からの吸引は、吸引口９０６から入力ポート９０４へ伝わる。入力ポート９０４は、物質の流れを受け取るように構成される。周囲の気圧と、吸引源によって提供される低い圧力との間の圧力差により、物質の流れが入力ポート９０４に引き出される。物質の流れは、液体、固体および気体、および様々な比率でのそれらの組み合わせを含んでもよい。吸引口９０６は、第１の円筒形のキャビティ端部の近くに配置される。吸引口９０６は、セパレータ９００を操作するために、吸引源から受け取った吸引を提供する。いくつかの実施形態において、吸引口９０６は、チューブを取り付けるように構成されたフィッティングを含んでもよい。例えば、とげのある、または迅速交換式のフィッティングを使用して、チューブを吸引口９０６に連結してもよい。チューブを使用して、吸引口９０６を、吸引源または別のセパレータの入力ポート９０４に連結してもよい。
【０１７８】
回収口９０８は、回収流を排出するように構成される。回収流は、少なくとも液体および固体を含んでもよい。回収口９０８は、本体９０２の円すい空洞の細い端部に配置される。一実施形態において、回収口９０８は、収集キャニスタに連結するように構成されてもよい。収集キャニスタを使用して、セパレータ９００から収集された物質を測定してもよい。収集キャニスタは、セパレータ９００から受け取った廃棄物の安全な収集、輸送および廃棄のために使用されてもよい。いくつかの実施形態において、物質を廃棄物ドレーンに案内するために、回収口９０８は、チューブまたはパイプに連結されてもよい。いくつかの実施形態において、回収口９０８は、回収口９０８とチューブまたは収集キャニスタとの間にシールを形成するように構成された取り付けリング９４８を含んでもよい。
【０１７９】
バッフル９１０は、セパレータ本体９０２の円筒形の壁の円周の少なくとも第１の部分を横切ることなく、流れの中の液体または固体が、直接、入力ポート９０４から吸引口９０６へ引き出されるのを防止するよう構成される。バッフル９１０は、入力ポート９０４と吸引口９０６との間に配置される。バッフル９１０は、通路９５０を有しており、通路９５０は、少なくとも物質の流れの中の気体が、流れの中に含まれていてもよい液体および固体から分離することを可能にするように構成される。気体は、バッフル９１０を介して、吸引口９０６から引き出される。バッフル９１０は、入力ポート９０４の近位に位置する固体表面を含み、入力ポート９０４は、本体９０２の円筒形の壁の円周の少なくとも第１の部分を横切るよう流れを案内するよう構成される。液体および固体がバッフル９１０の開口に達する前に、重力が液体および固体に働く時間を可能にすることにより、バッフル９１０に含まれる固体表面は、流れの中の液体および固体が直接、入力ポート９０４から吸引口９０６へ引き出されることを防止してもよい。液体および固体がバッフル９１０の固体表面を横切る際に、重力が液体および固体に働く時間を可能にすることにより、液体および固体は、回収口９０８に向かって降下し、それにより、吸引口９０６から吸引されない。
【０１８０】
渦要素９１２は、渦要素９１２と本体９０２との間に環状キャビティを形成するよう構成される。渦要素９１２は、本体９０２内に渦流を生成するように構成される。渦流および重力は、入力ポート９０４で受け取られた物質の流れにおける液体および固体を、気体から分離させてもよい。液体および気体は、回収口９０８から排出されてもよい。渦要素９１２は、通常、本体９０２の円筒状キャビティ内に配置された円筒状中央部材を含む。渦要素９１２は、本体９０２の円すい空洞の近くに配置されたテーパ部分を含む。渦要素９１２は、異なる直径を有する複数の円筒部分を含む。複数の円筒部分は、環状キャビティの第１の部分を画成する第１のセクションと、環状キャビティの第２の部分を画成する第２のセクションとを含む。バッフル９１０は、渦要素９１２と一体化されている。
【０１８１】
取付ベース９４６は、セパレータ９００が組み立てられることを可能にするように構成される。取付ベース９４６は、本体９０２に連結するように構成される。取付ベース９４６は、取り付けリング９４８に連結するように構成される。
【０１８２】
取り付けリング９４８は、吸引口９０６のためのシールとして動作するように構成される。取り付けリング９４８は、セパレータ９００と吸引源へのカップリングとの間にシールを形成する柔軟な材料から作られてもよい。
【０１８３】
図９Ｂは、渦要素９１２を示す図である。セパレータ９００は、渦要素９１２を有する。渦要素９１２は、渦要素９１２と本体９０２との間に環状キャビティを形成するように構成される。渦要素９１２は、本体９０２内に渦流を生成するように構成される。渦流および重力は、入力ポート９０４で受け取られた物質の流れにおける液体および固体を、気体から分離させる。液体および気体は、回収口９０８から排出されてもよい。渦要素９１２は、通常、本体９０２の円筒状キャビティ内に配置された円筒状中央部材を含む。渦要素９１２は、本体９０２の円すい空洞に近くに配置されたテーパ部分を含む。渦要素９１２は、異なる直径を有する複数の円筒部分を有する。複数の円筒部分は、環状キャビティの第１の部分を画成する第１のセクションと、環状キャビティの第２の部分を画成する第２のセクションとを有する。バッフル９１０は、渦要素９１２と一体化されている。
【０１８４】
渦要素９１２は、バッフル９１０を含む。バッフル９１０は、セパレータ本体９０２の円筒形の壁の円周の少なくとも第１の部分を横切ることなく、流れの中の液体または固体が、直接、入力ポート９０４から吸引口９０６へ引き出されるのを防止するように構成される。バッフル９１０は、入力ポート９０４と吸引口９０６との間に配置される。バッフル９１０は、通路９５０を含み、通路９５０は、少なくとも物質の流れの中の気体が、流れの中に含まれていてもよい液体および固体から分離することを可能にするように構成される。気体は、バッフル９１０を介して、吸引口９０６から引き出される。バッフル９１０は、入力ポート９０４の近位に位置する固体表面を含み、入力ポート９０４は、本体９０２の円筒形の壁の円周の少なくとも第１の部分を横切るよう流れを案内するよう構成される。液体および固体がバッフル９１０の開口に達する前に、重力が液体および固体に働く時間を可能にすることにより、バッフル９１０に含まれる固体表面は、流れの中の液体および固体が直接、入力ポート９０４から吸引口９０６へ引き出されるのを防止する。液体および固体がバッフル９１０の固体表面を横切る際に、重力が液体および固体に働く時間を可能にすることにより、液体および固体が回収口９０８に向かって降下し、それにより、吸引口９０６から吸引されない。
【０１８５】
図９Ｃは、セパレータ９００の動作を示す上面図である。動作中、吸引口９０６に連結された吸引源は、セパレータ９００内の入力流９４０を誘導する。入力流９４０は、入力ポート９０４を介して、セパレータ９００に入る。バッフル９１０は、通路９５０を含み、通路９５０は、少なくとも気体が、吸引口９０６を介して、セパレータ９００から抜け出ることを可能にするように構成される。バッフル９１０は、入力ポート９０４のすぐ近位の通路９５０を含まず、入力流９４０が本体９０２の内部の円周の少なくとも第１の部分を横切るようにする。
【０１８６】
図９Ｄは、セパレータ９００の動作を示す断面図である。セパレータ９００は、本体９０２、入力ポート９０４、吸引口９０６、回収口９０８、バッフル９１０、渦要素９１２、取付ベース９４６、および取り付けリング９４８を含む。図９Ｄにおけるエレメントは既に記載されている。
【０１８７】
動作中、吸引供給は、吸引口９０６に連結されている。吸引口９０６は、吸引源からの吸引を入力ポート９０４に伝えるよう構成される。吸引源からの吸引は、入力流９４０が入力ポート９０４に入るよう誘導する。バッフル９１０は、通路９５０を含んでおり、通路９５０は、入力流９４０に含まれる少なくとも気体が吸引口９０６を介してセパレータ９００から抜け出ることを可能にするよう構成される。バッフル９１０は、入力ポート９０４のすぐ近位の通路９５０を含まず、入力流９４０が本体９０２の内部の少なくとも第１の部分を横切るようにする。渦要素９１２は、渦要素９１２と本体９０２の内部空洞との間に環状開口を形成する。セパレータ９００によって生成されたサイクロン流と重力との組み合わせは、回収流９４４を入力流９４０から分離させる。回収流９４４は、入力流９４０から分離された少なくとも液体および固体を含んでもよい。回収流９４４は、回収口９０８から排出される。セパレータ９００は、吸引流９４２を入力流９４０から分離するように構成される。吸引流９４２は、吸引源によって吸引口９０６から引き出される。
【０１８８】
図１０Ａは、セパレータ１０００を示す分解図である。セパレータ１０００は、セパレータ１００、セパレータ２０２、セパレータ４０２、セパレータ４２２、およびセパレータ６０２の一例であるが、セパレータ１０００は、代替の構成および動作方法を含んでもよい。
【０１８９】
いくつかの実施形態において、セパレータ１０００は、本体１００２、入力ポート１００４、吸引口１００６、回収口１００８、バッフル１０１０、渦要素１０１２、取付ベース１０４６、および取り付けリング１０４８を含む。
【０１９０】
本体１００２は、円筒状キャビティを画成する円筒形の壁を有する。円筒形の壁は、第１の円筒形のキャビティ端部と、第２の円筒形のキャビティ端部とを有する。本体１００２は、円すい空洞を形成する。円すい空洞は、広い端部と細い端部を有している。広い端部は、本体１００２の第２の円筒形のキャビティ端部に嵌合している。いくつかの実施形態において、本体１００２は、第１の円筒形のキャビティ端部が上になるように動作するよう構成される。物質の流れから分離された気体が、吸引口１００６からの吸引によって引き出される一方、本体１００２は、重力が物質の流れから分離された少なくとも液体および固体を回収口１００８から引き出すことを可能にするよう構成される。
【０１９１】
入力ポート１００４は、物質の流れを受け取るように構成される。物質の流れは、吸引源または真空源によって、吸引口１００６を介して、セパレータ１０００内へ誘導される。入力ポート１００４は、円筒状キャビティ壁に沿って物質の流れを案内するように構成される。円筒状キャビティ壁に沿って物質の流れを案内することによって、液体および気体は、求心力の影響により、空洞の壁にくっついてもよい。入力ポート１００４は、本体１００２と一体化されている。入力ポート１００４は、円筒状キャビティ壁内に配置されている。入力ポート１００４は、円筒状キャビティの長手方向中心により画成される軸から軸外に位置する。
【０１９２】
吸引口１００６は、吸引源に連結するように構成されている。特定の実施形態において、吸引源は、真空ポンプ、吸引装置、および／またはベンチュリ効果またはコアンダ効果を活用する吸引源等の正圧作動吸引源を含んでもよい。吸引源からの吸引は、吸引口１００６から入力ポート１００４へ伝わる。入力ポート１００４は、物質の流れを受け取るように構成される。周囲の気圧と、吸引源によって提供される低い圧力との間の圧力差によって、物質の流れは、入力ポート１００４に引き出される。物質の流れは、液体、固体および気体、および様々な比率でのそれらの組み合わせを含んでもよい。吸引口１４０６は、第１の円筒形のキャビティ端部の近くに配置される。セパレータ１０００を操作するために、吸引口１００６は、吸引源から受け取った吸引を提供する。いくつかの実施形態において、吸引口１００６は、チューブを取り付けるように構成されたフィッティングを含んでいてもよい。例えば、とげのある、または迅速交換式のフィッティングを使用して、チューブを吸引口１００６に連結してもよい。チューブを使用して、吸引口１４０６を、吸引源または別のセパレータシステムの入力ポート１００４に連結してもよい。
【０１９３】
回収口１００８は、回収流を排出するように構成される。回収流は、少なくとも液体および固体を含んでいてもよい。回収口１００８は、本体１００２の円すい空洞の細い端部に配置される。一実施形態において、回収口１００８は収集キャニスタに連結するように構成されてもよい。収集キャニスタを使用して、セパレータ１０００から収集された物質を測定してもよい。収集キャニスタは、セパレータ１０００から受け取った廃棄物の安全な収集、輸送および廃棄のために使用されてもよい。いくつかの実施形態において、物質を廃棄物ドレーンに案内するために、回収口１００８は、チューブまたはパイプに連結されてもよい。いくつかの実施形態において、回収口１００８は、回収口１００８と、チューブまたは収集キャニスタとの間にシールを形成するように構成された取り付けリング１０４８を含んでもよい。
【０１９４】
バッフル１０１０は、セパレータ本体１００２の円筒形の壁の円周の少なくとも第１の部分を横切ることなく、流れの中の液体または固体が直接、入力ポート１００４から吸引口１００６へ引き出されることを防止するように構成される。バッフル１０１０は、入力ポート１００４と吸引口１００６との間に配置される。バッフル１０１０は、通路１０５０を有しており、通路１０５０は、少なくとも物質の流れの中の気体が、流れの中に含まれていてもよい液体および固体から分離することを可能にするように構成される。気体は、バッフル１０１０を介して、吸引口１００６から引き出されてもよい。バッフル１０１０は、入力ポート１００４の近位に位置する固体表面を有し、入力ポート１００４は、本体１００２の円筒形の壁の円周の少なくとも第１の部分を横切るよう流れを案内するよう構成される。液体および固体がバッフル１０１０の開口に達する前に、重力が液体および固体に働く時間を可能にすることにより、バッフル１０１０に含まれる固体表面は、流れの中の液体および固体が直接、入力ポート１００４から吸引口１００６へ引き出されることを防止してもよい。液体および固体がバッフル１０１０の固体表面を横切る際の、重力が液体および固体に働く時間を可能にすることにより、液体および固体は、回収口１００８に向かって降下し、それによって吸引口１００６から吸引されない。バッフル１０１０は、渦要素１０１２と一体化されている。
【０１９５】
渦要素１０１２は、渦要素１０１２と、本体１００２との間に環状キャビティを形成するように構成される。渦要素１０１２は、本体１００２内に渦流を生成するように構成される。渦流および重力は、入力ポート１００４で受け取られた物質の流れの中の液体および固体を、気体から分離させてもよい。液体および気体は、回収口１００８から排出されてもよい。渦要素１０１２は、通常、本体１００２の円筒状キャビティ内に配置された円筒状中央部材を含む。渦要素１０１２は、本体１００２の円すい空洞の近くに配置されたテーパ部分を含む。渦要素１０１２は、バッフル１０１０と一体化されている。
【０１９６】
取付ベース１０４６は、セパレータ１０００が組み立てられることを可能にするように構成される。取付ベース１０４６は、本体１００２に連結するように構成される。取付ベース１０４６は、取り付けリング１０４８に連結するように構成される。
【０１９７】
取り付けリング１０４８は、吸引口１００６のためのシールとして動作するように構成される。取り付けリング１０４８は、セパレータ１０００と、吸引源へのカップリングとの間にシールを形成する柔軟な材料から作られてもよい。
【０１９８】
図１０Ｂは、渦要素１０１２を示す図である。渦要素１０１２は、渦要素１０１２と、本体１００２との間に環状キャビティを形成するように構成される。渦要素１０１２は、本体１００２内に渦流を生成するように構成される。渦流および重力は、入力ポート１００４で受け取られた物質の流れの中の液体および固体を、気体から分離させる。液体および気体は、回収口１００８から排出されてもよい。渦要素１０１２は、通常、本体１００２の円筒状キャビティ内に配置された円筒状中央部材を含む。渦要素１０１２は、本体１００２の円すい空洞の近くに配置されたテーパ部分を有する。バッフル１０１０は、渦要素１０１２と一体化されている。
【０１９９】
図１０Ｃは、セパレータ１０００の動作を示す上面図である。動作中、吸引口１００６に連結された吸引源は、セパレータ１０００内の入力流１０４０を誘導する。入力流１０４０は、入力ポート１００４を介して、セパレータ１０００に入る。バッフル１０１０は、通路１０５０を含んでおり、通路１０５０は、少なくとも気体が、吸引口１００６を介してセパレータ１０００から抜け出ることを可能にするように構成されている。バッフル１０１０は、入力ポート１００４のすぐ近位の通路１０５０を含まず、入力流１０４０が、本体１００２の内部の円周の少なくとも第１の部分を横切るようにする。
【０２００】
図１０Ｄは、セパレータ１０００の動作を示す断面図である。セパレータ１０００は、本体１００２、入力ポート１００４、吸引口１００６、回収口１００８、バッフル１０１０、渦要素１０１２、取付ベース１０４６、および取り付けリング１０４８を含む。図１０Ｄのエレメントは既に記載されている。図１０Ｄは、さらなる参照のために含まれる。
【０２０１】
動作中、吸引供給は、吸引口１００６に連結されている。吸引口１００６は、吸引源からの吸引を入力ポート１００４へ伝えるように構成される。吸引源からの吸引は、入力流１０４０が入力ポート１００４に入るよう誘導する。バッフル１０１０は、通路１０５０を有しており、通路１０５０は、入力流１０４０に含まれる少なくとも気体が、吸引口１００６を介してセパレータ１０００から抜け出ることを可能にするように構成される。バッフル１０１０は、入力ポート１００４のすぐ近位の通路１０５０を含んでおらず、入力流１０４０が、本体１００２の内部の少なくとも第１の部分を横切るようにする。渦要素１０１２は、渦要素１０１２と本体１００２の内部空洞との間に環状開口を形成する。セパレータ１０００によって生成されるサイクロン流と重力との組み合わせは、回収流１０４４を入力流１０４０から分離させる。回収流１０４４は、入力流１０４０から分離された少なくとも液体および固体を有していてもよい。回収流１０４４は、回収口１００８から排出される。セパレータ１０００は、吸引流１０４２を入力流１０４０から分離するように構成される。吸引流１０４２は、吸引源によって、吸引口１００６から引き出される。
【０２０２】
図１１Ａは、セパレータ１１００を示す分解図である。セパレータ１１００は、セパレータ１００、セパレータ２０２、セパレータ４０２、セパレータ４２２、およびセパレータ６０２の一例であるが、セパレータ１１００は、代替の構成および動作方法を含んでいてもよい。
【０２０３】
いくつかの実施形態において、セパレータ１１００は、本体１１０２、入力ポート１１０４、吸引口１１０６、回収口１１０８、バッフル１１１０、および渦要素１１１２を有する。
【０２０４】
本体１１０２は、円筒状キャビティを画成する円筒形の壁を有する。円筒形の壁は、第１の円筒形のキャビティ端部と、第２の円筒形のキャビティ端部とを有する。本体１１０２は、円すい空洞を形成する。円すい空洞は、広い端部と細い端部を有している。広い端部は、本体１１０２の第２の円筒形のキャビティ端部に嵌合する。いくつかの実施形態において、本体１１０２は、第１の円筒形のキャビティ端部が上になるように動作するよう構成される。物質の流れから分離された気体が、吸引口１１０６からの吸引によって、引き出される一方、本体１１０２は、重力が回収口１１０８から物質の流れから分離された少なくとも液体および固体を引き出すことを可能にするように構成される。
【０２０５】
入力ポート１１０４は、本体１１０２と一体化されている。入力ポート１１０４は、円筒状キャビティ壁内に配置される。入力ポート１１０４は、円筒状キャビティの長手方向中心により画成される軸から軸外に位置する。入力ポート１１０４は、物質の流れを受け取るように構成される。物質の流れは、吸引源または真空源によって、吸引口１１０６を介して、セパレータ１１００に誘導されてもよい。入力ポート１１０４は、円筒状キャビティ壁に沿って物質の流れを案内するように構成される。円筒状キャビティ壁に沿って物質の流れを案内することによって、液体および気体は、求心力の影響により空洞の壁にくっついてもよい。
【０２０６】
回収口１１０８は、本体１１０２の円すい空洞の細い端部に配置される。回収口１１０８は、少なくとも液体および固体を排出するように構成される。一実施形態において、回収口１１０８は、収集キャニスタに連結するように構成されてもよい。収集キャニスタを使用して、セパレータ１１００から収集された物質を測定してもよい。収集キャニスタは、セパレータ１１００から受け取った廃棄物の安全な収集、輸送および廃棄のために使用されてもよい。いくつかの実施形態において、物質を廃棄物ドレーンに案内するために、回収口１１０８は、チューブまたはパイプに連結されてもよい。いくつかの実施形態において、回収口１１０８は、回収口１１０８とチューブまたは収集キャニスタとの間にシールを形成するように構成された取り付けリングを有してもよい。
【０２０７】
バッフル１１１０は、入力ポート１１０４と吸引口１１０６との間に配置される。バッフル１１１０は、セパレータ本体１１０２の円筒形の壁の円周の少なくとも第１の部分を横切ることなく、流れの中の液体または固体が直接、入力ポート１１０４から吸引口１１０６へ引き出されることを防止するように構成される。バッフル１１１０は、入力ポート１１０４の近位に位置する固体表面を有する。液体および固体がバッフル１１１０の開口に達する前に、重力が液体および固体に働く時間を可能にすることにより、固体表面を使用して、流れの中の液体および固体が、直接、入力ポート１１０４から吸引口１１０６へ引き出されることを防止してもよい。液体および固体がバッフル１１１０の固体表面を横切る際の、重力が液体および固体に働く時間を可能にすることにより、液体および固体は、回収口１３０８に向かって降下し、それにより、吸引口１１０６から吸引されない。バッフル１１１０は、渦要素１１１２と一体化されている。
【０２０８】
渦要素１１１２は、通常、本体１１０２の円筒状キャビティ内に配置されているテーパ筒状中央部材を有する。渦要素１１１２は、渦要素１１１２と本体１１０２との間に環状キャビティを形成するように構成される。渦要素１１１２は、本体１１０２内に渦流を生成するように構成される。渦流および重力は、入力ポート１１０４で受け取られる物質の流れの中の液体および固体を、気体から分離させる。液体および固体は、回収口１１０８から排出されてもよい。渦要素１１１２は、円筒状中央部材内に配置された内腔を有し、円筒状中央部材は、少なくとも気体が吸引口１１０６に向かって、渦要素１１１２を通過することを可能にするように構成される。バッフル１１１０は、渦要素１１１２と一体化されている。
【０２０９】
図１１Ｂは、セパレータ１１００の動作を示す上面図である。動作中、吸引口１１０６に連結された吸引源は、セパレータ１１００内の入力流１１４０を誘導する。入力流１１４０は、入力ポート１１０４を介して、セパレータ１１００に入る。バッフル１１１０は、吸引口１１０６を有しており、吸引口１１０６は、少なくとも気体がセパレータ１１００から抜け出ることを可能にするように構成される。吸引口１１０６から抜け出る前に、バッフル１１１０は、入力流１１４０を、本体１１０２の内部の円周の少なくとも第１の部分を横切らせるようにする。
【０２１０】
図１１Ｃは、セパレータ１１００の動作を示す断面図である。セパレータ１１００は、本体１１０２、入力ポート１１０４、吸引口１１０６、回収口１１０８、バッフル１１１０、および渦要素１１１２を含む。
【０２１１】
動作中、セパレータ１１００は、吸引流１１４２を入力流１１４０から分離するように構成される。吸引源は、吸引口１１０６に連結されている。吸引口１１０６は、吸引源からの吸引を入力ポート１１０４へ伝えるように構成される。吸引源からの吸引は、入力流１１４０が入力ポート１１０４に入るよう誘導する。吸引口１１０６を通過する前に、バッフル１１１０は、入力流１１４０に、本体１１０２の内部の少なくとも第１の部分を横切らせるよう構成される。渦要素１１１２は、入力流１１４０から分離された吸引流１１１４２が、吸引口１１０６を介して、セパレータ１１００から抜け出ることを可能にするように構成される。渦要素１１１２は、渦要素１１１２と、本体１１０２の内部空洞との間に環状開口を形成する。セパレータ１１００により生成されたサイクロン流と重力との組み合わせは、回収流１１４４を入力流１１４０から分離させてもよい。回収流１１４４は、入力流１１４０から分離された少なくとも液体および固体を含んでもよい。回収流１１４４は、回収口１１０８から排出される。吸引流１１４２は、吸引源によって、吸引口１１０６から引き出される。
【０２１２】
図１２は、セパレータシステム１２００を示すブロック図である。セパレータ１２０２およびセパレータ１２２２は、セパレータ１００、セパレータ２０２、セパレータ４０２、セパレータ４２２、セパレータ６０２、セパレータ８００、セパレータ９００、セパレータ１０００、およびセパレータ１１００の一例であるが、セパレータシステム１２００は、代替の構成および動作方法を有していてもよい。
【０２１３】
いくつかの実施形態において、セパレータシステム１２００は、セパレータ１２０２、キャニスタ１２１４、セパレータ１２２２、入力チューブ１２３０、セパレータ連結管１２３２、キャニスタ１２３４、および出力チューブ１２３６を含む。
【０２１４】
いくつかの実施形態において、セパレータ１２０２は、入力ポート１２０４、吸引口１２０６、回収口１２０８、バッフル１２１０、および渦要素１２１２を含む。
【０２１５】
セパレータ１２０２は、円筒状キャビティ壁と、第１の円筒形のキャビティ端部と、第２の円筒形のキャビティ端部とを有する円筒状キャビティを備えた本体を有する。いくつかの実施形態において、セパレータ１２０２は、第１の円筒形端部を上にして動作するよう構成されてもよい。本体は、円すい空洞を含んでいてもよい。円すい空洞は、広い端部と細い端部とを有していてもよい。広い端部は、第２の円筒形のキャビティ端部に連結されていてもよい。
【０２１６】
いくつかの実施形態において、入力ポート１２０４は、セパレータ１２０２の一部として含まれる本体と一体化されてもよい。入力ポート１２０４は、セパレータ１２０２と一体化されてもよい。入力ポート１２０４は、セパレータ１２０２の縦方向の中心によって画成される軸から軸外に位置してもよい。入力ポート１２０４は、セパレータ１２０２の内部に沿って、物質の入力流１２４０を案内するように構成される。入力ポート１２０４は、入力流１２４０を受け取るように構成される。入力流１２４０は、吸引源１２１６を介して、セパレータ１２０２に誘導されてもよい。吸引口１２０６は、吸引源１２１６に連結するように構成される。図１２に示されるように、吸引がセパレータ１２２２等の別の装置を通過した後、吸引口１２０６は吸引源１２１６から吸引を受け取るように構成されてもよい。いくつかの実施形態において、吸引源１２１６は、真空ポンプ、吸引装置、および／またはコアンダ効果を利用する正圧作動式吸引装置を含んでもよい。いくつかの実施形態において、入力ポート１２０４は、チューブを取り付けるように構成されたフィッティングを含んでもよい。例えば、とげのある、または迅速交換式のフィッティングを使用して、チューブを入力ポート１２０４に連結してもよい。
【０２１７】
吸引口１２０６は、セパレータ１２０２の第１の端部の近くに配置される。吸引口１２０６は、吸引源１２１６またはパレータ１２２２等の別のセパレータに連結するように構成される。吸引口１２０６は、吸引源１２１６から受け取った吸引を提供して、セパレータ１２０２を操作する。いくつかの実施形態において、吸引口１２０６は、チューブを取り付けるように構成されたフィッティングを含んでよい。例えば、とげのある、または迅速交換式のフィッティングを使用して、チューブを吸引口１２０６に連結してもよい。チューブを使用して、吸引口１２０６を、吸引源１２１６またはセパレータ１２２２の入力ポート１２２４に連結してもよい。
【０２１８】
回収口１２０８は、セパレータ１２０２の第２の端部に配置されてもよい。
回収口１２０８は、少なくとも液体および固体を排出するように構成される。回収口１２０８は、キャニスタ１２１４に連結するように構成される。キャニスタ１２１４を使用して、セパレータ１２０２から収集された物質を測定してもよい。キャニスタ１２１４は、セパレータ１２０２から受け取った廃棄物の安全な収集および廃棄に使用されてもよい。いくつかの実施形態において、回収口１２０８をチューブまたはパイプに連結して、物質を廃棄物ドレーンに案内してもよい。いくつかの実施形態において、回収口１２０８は、回収口１２０８とキャニスタ１２１４の間にシールを形成するように構成された取り付けリングを有してもよい。
【０２１９】
キャニスタ１２１４は、セパレータ１２０２から回収流を受け取るように構成されている。回収流は、入力ポート１２０４で受け取られた入力流１２４０から分離された液体および固体を含んでもよい。回収流は、外科的副産物を含んでもよい。キャニスタ１２１４を使用して、入力ポート１２０４で受け取られた入力流１２４０から分離された液体および／または固体の量を測定してもよい。キャニスタ１２１４は、廃棄物の安全な収集および廃棄を可能にするように構成されてもよい。いくつかの実施形態において、キャニスタ１２１４が所定量に充填された場合、キャニスタ１２１４は、活性化するように構成されたバルブを有してもよい。バルブを使用して、輸送中、廃棄物がキャニスタ１２１４を出ることを防止してもよい。いくつかの実施形態において、キャニスタ１２１４は、市販の収集キャニスタを有してもよい。
【０２２０】
セパレータシステム１２００は、セパレータ１２２２と、収集キャニスタ１２３４とを含む。セパレータ１２２２は、セパレータ１２０２と類似の構成および動作方法を含んでもよい。簡潔にするため、セパレータ１２２２については、これ以上記載しない。同様に、収集キャニスタ１２３４は、キャニスタ１２１４と類似の構成および動作方法を含んでもよい。簡潔にするため、収集キャニスタ１２３４については、これ以上記載しない。
【０２２１】
吸引源１２１６は、周囲の気圧を下回る圧力を生成するように構成された任意の装置であってよい。吸引源１２１６は、真空ポンプ、吸引装置、またはコアンダベースの正圧作動式吸引装置を含んでよい。いくつかの実施形態において、吸引源１２１６は、コアンダ効果またはベンチュリ効果を活用するように構成されてもよい。
【０２２２】
動作中、吸引源１２１６は、出力チューブ１２３６を介して、吸引流を吸引口１２２６に供給する。セパレータ１２２２は、吸引流をセパレータ１２０２に伝えるように構成される。吸引流１２４２は、周囲の気圧を下回る入力ポート１２０４の近くの圧力を生成する。周囲の気圧は、吸引流の圧力を克服し、それにより、入力流１２４０を入力ポート１２０４に誘導する。入力ポート１２０４は、入力流１２４０を受け取るように構成される。入力流１２４０は、液体、気体、固体、および様々な比率でのそれらの組み合わせを含んでもよい。入力流１２４０は、外科的副産物を含んでもよい。セパレータ１２０２は、吸引流からサイクロン流を生成する。サイクロン流および重力は、回収流を入力流１２４０から分離させる。回収流は、少なくとも液体および固体を含んでもよい。回収流は、回収口１２０８から排出される。回収口１２０８は、回収流を収集キャニスタ１２１４に案内するように構成される。
【０２２３】
セパレータ１２０２は、回収流から吸引流を分離する。第１の動作モードにおいて、吸引流は、主に、入力流１２４０から分離された気体を含んでもよい。吸引流は、吸引源１２１６によって、セパレータ１２０２から引き出される。吸引流は、吸引口１２０６から入力ポート１２２４へ通過させられる。収集キャニスタ１２１４内の充填量が、所定量に達するまで、セパレータ１２０２は、第１の動作モードにおいて動作し続ける。
【０２２４】
収集キャニスタ１２１４、１２３４が所定の充填量に達した場合、セパレータ１２０２、１２２２は、入力ポート１２０４、１２２４から、分離されていない吸引口１２０６、１２２６に、入力流１２４０を通過させるように構成されていてもよい。第２の動作モードにおいて、セパレータ１２０２は、吸引口１２０６を介して、入力流１２４０を分離されていないセパレータ１２２２に通過させることができる。
【０２２５】
動作中、吸引源１２１６は、吸引流を吸引源１２１６から吸引口１２２６へ供給する。セパレータ１２２２は、吸引流をセパレータ１２０２に送るように構成される。吸引流は、入力ポート１２０４へ入力流１２４０を引き出す。収集キャニスタ１２１４内の所定の充填量に達しているため、セパレータ１２０２は、入力流１２４０を入力ポート１２０４から分離されていない吸引口１２０６へ送る。入力流１２４０は、入力ポート１２２４によって受け取られる。収集キャニスタ１２３４内の充填量は、所定の充填量に達していない。セパレータ１２２２は、回収流を吸引流から分離する。回収流は、主に、入力流１２４０からの液体および固体を含んでいてもよい。セパレータ１２２２は、吸引流を回収流から分離する。回収流は、回収口１２２８から排出される。回収口１２２８は、収集キャニスタ１２３４に連結される。収集キャニスタ１２３４は、回収口１２２８から回収流を受け取るように構成される。吸引流は、吸引源１２１６によって、吸引口１２２６から引き出される。
【０２２６】
図１３Ａは、フィルタ付セパレータ１３００を示すブロック図である。フィルタ付セパレータ１３００は、セパレータ１００、セパレータ２０２、セパレータ４０２、およびセパレータ６０２の一例であるが、フィルタ付セパレータ１３００は、電気フィルタ１３５２を含む。さらに、フィルタ付セパレータ１３００は、前述した実施形態とは異なる、代替の構成および動作方法を含んでもよい。
【０２２７】
フィルタ付セパレータ１３００は、セパレータ本体１３０２、入力ポート１３０４、吸引口１３０６、回収口１３０８、バッフル１３１０、渦要素１３１２、電気フィルタ１３５２、およびフィルタコントローラ１３５４を含む。動作中、セパレータ１３００は、物質の流れの中の液体、固体および気体を分離するように構成される。吸引口１３０６から物質の流れから分離された少なくとも気体を吸引する一方、セパレータ１３００は、物質の流れから分離された液体および固体を回収口１３０８から排出する。セパレータ１３００は、吸引源から受け取った吸引によって作動する。フィルタ付セパレータ１３００は、吸引口１３０６からの気体吸引から粒子を濾過するように構成される。
【０２２８】
フィルタ付セパレータ１３００は、セパレータ本体１３０２を有する。セパレータ本体１３０２は、円筒状キャビティを画成する円筒形の壁を有する。円筒形の壁は、第１の円筒形のキャビティ端部と、第２の円筒形のキャビティ端部とを有する。セパレータ本体１３０２は、円すい空洞を形成する。円すい空洞は、広い端部と細い端部とを有する。広い端部は、セパレータ本体１３０２の第２の円筒形のキャビティ端部に嵌合する。いくつかの実施形態において、セパレータ本体１３０２は、第１の円筒形のキャビティ端部が上になるように動作するように構成される。物質の流れから分離された気体が、吸引口１３０６からの吸引によって引き出される一方、セパレータ本体１３０２は、重力が、回収口１３０８から物質の流れから分離された少なくとも液体および固体を引き出すのを可能にするように構成される。
【０２２９】
フィルタ付セパレータ１３００は、入力ポート１３０４を含む。入力ポート１３０４は、物質の流れを受け取るように構成される。いくつかの実施形態において、入力ポート１３０４は、セパレータ本体１３０２と一体化されてもよい。入力ポート１３０４は、円筒状キャビティ壁内に配置されてもよい。入力ポート１３０４は、円筒状キャビティの長手方向中心により画成される軸から軸外に位置してもよい。入力ポート１３０４は、円筒状キャビティ壁に沿って物質の流れを案内するように構成されてもよい。円筒状キャビティ壁に沿って物質の流れを案内することによって、液体および気体は、求心力の影響により空洞の壁にくっついてもよい。物質の流れは、吸引口１３０６から受け取った吸引または吸引源または真空源によって、セパレータ１３００内に誘導されてもよい。
【０２３０】
フィルタ付セパレータ１３００は、吸引口１３０６を有する。吸引口１３０６は、吸引源に連結するように構成されている。特定の実施形態において、吸引源は、真空ポンプ、吸引装置、および／またはベンチュリ効果またはコアンダ効果を活用する吸引源等の正圧作動吸引源を有していてもよい。吸引源からの吸引は、吸引口１３０６から入力ポート１３０４へ伝わる。入力ポート１３０４は、物質の流れを受け取るように構成される。物質の流れは、周囲の気圧と、吸引源によって提供される低い圧力との間の圧力差により、入力ポート１３０４に引き出される。物質の流れは、液体、固体および気体、および様々な比率でのそれらの組み合わせを含んでもよい。吸引口１３０６は、第１の円筒形のキャビティ端部の近くに配置される。吸引口１３０６は、吸引源から受け取った吸引を提供して、フィルタを備えたセパレータキャニスタ１３００を操作する。いくつかの実施形態において、吸引口１３０６は、チューブを取り付けるように構成されたフィッティングを含んでもよい。例えば、とげのある、または迅速交換式のフィッティングを使用して、チューブを吸引口１３０６に連結してもよい。チューブを使用して、吸引口１３０６を吸引源または別のセパレータシステムの入力ポート１３０４に連結してもよい。
【０２３１】
セパレータ１３００は、回収口１３０８を有する。回収口１３０８は、少なくとも液体および固体を排出するように構成される。回収口１３０８は、セパレータ本体１３０２の円すい空洞の細い端部に配置される。一実施形態において、回収口１３０８は、収集キャニスタに連結するように構成されてもよい。収集キャニスタを使用して、セパレータ１３００から収集された物質を測定してもよい。収集キャニスタは、フィルタ付セパレータ１３００から受け取った廃棄物の安全な収集、輸送および廃棄のために使用されてもよい。いくつかの実施形態において、回収口１３０８は、チューブまたはパイプに連結されて、物質を廃棄物ドレーンに案内してもよい。いくつかの実施形態において、回収口１３０８は、回収口１３０８とチューブまたは収集キャニスタとの間にシールを形成するように構成された取り付けリングを含んでもよい。
【０２３２】
フィルタ付セパレータ１３００は、バッフル１３１０を含む。バッフル１３１０は、入力ポート１３０４と吸引口１３０６との間に配置される。バッフル１３１０は、セパレータ本体１３０２円筒形の壁の円周の少なくとも第１の部分を横切ることなく、流れの中の液体または固体が、直接、入力ポート１３０４から吸引口１３０６へ引き出されることを防止するよう構成される。いくつかの実施形態において、バッフル１３１０は開口を含んでもよく、開口は、少なくとも物質の流れの中の気体が、流れの中に含まれていてもよい液体および固体から分離することを可能にするように構成される。気体は、バッフル１３１０を介して、吸引口１３０６から引き出される。一実施形態において、バッフル１３１０は、入力ポート１３０４の近位に位置する固体表面を含んでもよい。液体および固体がバッフル１３１０の開口に達する前に、重力が液体および固体に働く時間を可能にすることにより、バッフル１３１０に含まれ得る固体表面を使用して、流れの中の液体および固体が、直接、入力ポート１３０４から吸引口１３０６へ引き出されることを防止してもよい。液体および固体がバッフル１３１０の固体表面を横切る際の、重力が液体および固体に働く時間を可能にすることにより、液体および固体は、回収口１３０８に向かって降下でき、それにより、吸引口１３０６から吸引されない。
【０２３３】
フィルタ付セパレータ１３００は、渦要素１３１２を有する。渦要素１３１２は、サイクロン流内の物質の流れを案内するように構成されていてもよい。サイクロン流および重力は、物質の流れに含まれる液体、固体および気体を分離させる。渦要素１３１２は、セパレータ本体１３０２の円筒状キャビティ内に配置されている円筒状中央部材を有する。円筒状中央部材は、渦要素１３１２とセパレータ本体１３０２との間に環状キャビティを形成する。回収口１３０８から落ちる前に、渦要素１３１２は、流れの中の液体および固体が環状キャビティを通過することを可能にするように構成される。一実施形態において、渦要素１３１２は、セパレータ本体１３０２の円すい空洞内に配置されたテーパ部分を有していてもよい。一実施形態において、渦要素１３１２は、異なる直径を有する複数の円筒部分を有していてもよい。複数の円筒部分は、環状キャビティの第１の部分を画成する第１のセクションと、環状キャビティの第２の部分を画成する第２のセクションとを有していてもよい。テーパ部および円筒部は、サイクロンの流れパターンで、セパレータ本体１３０２内に流れを案内するように構成されてもよい。一実施形態において、バッフル１３１０は、渦要素１３１２と一体化されていてもよい。
【０２３４】
フィルタ付セパレータ１３００は、電気フィルタ１３５２を有する。電気フィルタ１３５２は、吸引口１３０６から抜け出る流れに含まれ得る粒子を捕らえるため、電荷を使用するように構成される。電気フィルタ１３５２は、導電素子のマトリクスを有していてもよい。いくつかの実施形態において、導電素は、鉄、鋼、銅またはいくつかの他の導電素子であってもよい。いくつかの実施形態において、マトリクスは、積み重ねられたスクリーンで構成される。いくつかの実施形態において、マトリクスは、絡みワイヤーから構成される。電気フィルタ１３５５２は、フィルタコントローラ１３５４に連結される。電気フィルタ１３５２は、フィルタコントローラ１３５４から電力を受け取るように構成される。
【０２３５】
フィルタ付セパレータ１３００は、フィルタコントローラ１３５４を有する。フィルタコントローラ１３５４は、電荷を使用して、物質の流れに含まれる粒子を収集するように電気フィルタ１３５２を操作するように構成される。フィルタコントローラ１３５４は、特定の電圧レベル、電流レベル、および場合によっては周波数で、電気フィルタ１３５２の電力を提供するように構成される。いくつかの実施形態において、フィルタコントローラ１３５４は、直流を提供するように構成されてもよい。いくつかの実施形態において、フィルタコントローラは、電気フィルタ１３５２に電力を供給するように構成されたマイクロコントローラを含んでもよい。
【０２３６】
図１３Ｂは、フィルタ付セパレータ１３００を示すブロック図である。この実施形態において、フィルタ付セパレータ１３００は、電気フィルタ１３５２よりはむしろ生物学的フィルタ１３５６を含む。
【０２３７】
生物学的フィルタ１３５６は、場合によっては、吸引口１３０６から排出される流れに含まれる生物学的要素を捕らえるように構成される。フィルタ１３５２の様々な実施形態は、異なる動作を使用して、生物学的要素の特定のタイプを捕らえるように構成される。
【０２３８】
生物学的フィルタ１３５６は、セパレータ本体１３０２内に配置される。生物学的フィルタ１３５６は、１つ以上のフィルタ入口ポートと、１つ以上のフィルタ出力ポートとを含む。１つ以上のフィルタ入口ポートは、バッフル１３１０から物質の流れを受け取るように構成される。生物学的フィルタ１３５６を含むエレメントは、場合によっては、物質の流れに含まれる生物学的要素を捕らえて、ろ液を吸引口１３０６へ送るよう構成される。
【０２３９】
生物学的要素を捕らえるために、生物学的フィルタ１３５６は、機械的、生物学的、化学的、または他のタイプのフィルタおよび、それらの任意の組み合わせを含んでもよい。機械的なろ過は、それらの組み合わせを含む、物的障壁またはフィルタ媒体タイプのフィルタを含んでもよい。
【０２４０】
生物学的要素が濾材を通過することを物理的にブロックすることにより、物的障壁または濾材を使用するフィルタは、生物学的要素を保持する。濾材は、機械的にまたは物理的に、生物学的要素を、それを通過する廃液から分離する。濾材は、様々な材料および多孔性で入手可能であり、抽出可能な生物学的要素のサイズを制限するために選択される。濾材の異なる材料および多孔性の組み合わせを使用して、収集された物質の廃液を含む特定のエレメントと、入力ポート１１３０４を介して、吸引口１３０６から受け取られた気体とを分離する。
【０２４１】
廃液から、汚染物質、有害な化学物質および他の望ましくない内容物を捕らえ、生物学的に分解するために、生物学的フィルタ１３５６は、バクテリアおよび菌類等の生きている微生物を使用するように構成されてもよい。生物学的濾過は、気体および液体と使用することができる。生物学的フィルタは、有益な微生物が成長する濾材を含む。生物学的濾材は、砂、プラスチック、金属、セラミックおよび他の材料から作ることができる。大きな体積に対する表面積の比を有する材料は、典型的には、生物学的フィルタにおいて最高の性能を提供する。
【０２４２】
生物学的フィルタ１３５６は、化学的濾過媒体を使用して、活性炭、樹脂、および他の吸着剤を介して、廃液から溶解した微粒子を除去するように構成されてもよい。化学的濾過媒体は、不要な溶解物質をそれに付着させる。化学媒体の２つの一般的な形態は、活性炭および樹脂を含む。活性炭は、微視的細孔を有し、微視的細孔は、特定の有機又は無機材料がそれらに固着することを可能にする。炭素は、廃液から多くの有害な要素を除去する。特定の分子を引き付けて、それらに付着することによって、イオン交換樹脂は、作用する。樹脂は、炭素と組み合わされてもよい。樹脂は、しばしば、炭素のフィルタリング機能を強化する。オゾンを使用してのプロテインフォームスキミングまたは酸化は、化学的濾過のために使用することができる。
【０２４３】
図１３Ｃは、フィルタ付セパレータ１３００を示すブロック図である。フィルタ付セパレータ１３００は、電気フィルタ１３５２および生物学的フィルタ１３５６を有するフィルタ付セパレータ１３００の一実施形態である。図１３Ｃに含まれるエレメントは、既に、図１３Ａおよび１３Ｂに示されている。簡潔にするため、これらのエレメントについてこれ以上記載しない。
【０２４４】
システムは、１つ以上のフィルタを有してもよい。いくつかの実施形態において、１つ以上のフィルタは、下記に位置決めされる；手術器具内、セパレータ内、手術器具とセパレータとの間、吸引源内、セパレータと吸引源の間、濾過ユニット内、セパレータと濾過ユニットの間、キャニスタ内、セパレータとキャニスタとの間、またはそれらの任意の組み合わせ。いくつかの実施形態において、１つ以上のフィルタは、１つ以上の固体を収集してもよい。いくつかの実施形態において、固体を有するより、１つ以上のフィルタは、物質の流れの一部をサンプリングしてもよい。いくつかの実施形態において、１つ以上のフィルタは、実質的に、物質の流れから固体の全部分を除去してもよい。いくつかの実施形態において、１つ以上のフィルタは、物質の流れから固体の約６０％、７０％、８０％、９０％、９５％またはそれ以上を除去してもよい。いくつかの実施形態において、１つ以上のフィルタは、固体をサイズによって分離してもよい。いくつかの実施形態において、１つ以上のフィルタは、物質の流れから特定のサイズの固体を除去してもよい。いくつかの実施形態において、１つ以上のフィルタ上に収集された１つ以上の固体は、診断研究所で分析される。いくつかの実施形態において、１つ以上の固体は、バクテリア、細菌の断片、細菌粒子、ウイルス、ウイルスフラグメント、ウイルス粒子、細胞、細胞フラグメント、組織フラグメント、ポリマーフラグメントまたは金属フラグメント等の非生物材料、またはそれらの任意の組み合わせである。
【０２４５】
いくつかの実施形態において、１つ以上のフィルタの細孔径は、約５００、４５０、４００、３５０、３００、２５０、２００、１５０、１００、９０、８０、７０、６０、５０、４０、３０、２０、１０、９、８、７、６、５、４、３、２、１、０．５、０．２５ミクロン未満である。いくつかの実施形態において、１つ以上のフィルタの細孔径は、約５００ミクロン未満である。いくつかの実施形態において、１つ以上のフィルタの細孔径は、約４００ミクロン未満である。いくつかの実施形態において、１つ以上のフィルタの細孔径は、約３００ミクロン未満である。いくつかの実施形態において、１つ以上のフィルタの細孔径は、約２００ミクロン未満である。いくつかの実施形態において、１つ以上のフィルタの細孔径は、約１００ミクロン未満である。いくつかの実施形態において、１つ以上のフィルタの細孔径は、約７５ミクロン未満である。いくつかの実施形態において、１つ以上のフィルタの細孔径は、約５０ミクロン未満である。いくつかの実施形態において、１つ以上のフィルタの細孔径は、約２５ミクロン未満である。いくつかの実施形態において、１つ以上のフィルタの細孔径は、約１０ミクロン未満である。いくつかの実施形態において、１つ以上のフィルタの細孔径は、約５ミクロン未満である。いくつかの実施形態において、１つ以上のフィルタの細孔径は、約１ミクロン未満である。いくつかの実施形態において、１つ以上のフィルタの細孔径は、約０．５ミクロン未満である。いくつかの実施形態において、１つ以上のフィルタの細孔径は、約０．２５ミクロン未満である。
【０２４６】
システムは、１つ以上の正に荷電したマトリックス、１つ以上の負に荷電したマトリックス、またはそれらの任意の組み合わせ等の１つ以上の荷電マトリックスを含んでもよい。１つ以上の荷電マトリックスは、手術器具、セパレータ、吸引源、またはそれらの任意の組み合わせに動作可能に連結されている。１つ以上の荷電マトリックスは、セパレータの吸引口に動作可能に連結されている。２５％、５０％、７５％、９０％またはそれ以上を取り囲むように、１つ以上の荷電マトリックスは、吸引口の一部または吸引口に動作可能に連結されたチューブの一部を取り囲んでもよい。
【０２４７】
１つ以上の正に荷電したマトリックスは、水素、ナトリウム、カリウム、リチウム、ルビジウム、セシウム、銅、銀、アンモニウム、カルシウム、バリウム、マグネシウム、亜鉛、鉄、コバルト、マンガン、アルミニウム、またはそれらの任意の組み合わせである。１つ以上の正に荷電したマトリックスは、Ｆｅ２＋またはＦｅ３＋またはそれらの組み合わせである。１つ以上の負に荷電したマトリックスは、塩化物、臭化物、ヨウ化物、水酸化物、硝酸エステル、亜硝酸塩、炭酸水素塩、水素硫酸塩、硫酸塩、亜硫酸塩、硫化物、酸化物、炭酸塩、銅、リン酸塩、またはそれらの任意の組み合わせである。
【０２４８】
図１４は、セパレータキャニスタシステム１４００を示すブロック図である。動作中、セパレータキャニスタシステム１４００は、物質の流れの中の液体、固体および気体を分離するように構成される。吸引口１４０６から物質の流れから分離された少なくとも気体を吸引する一方、セパレータキャニスタシステム１４００は、回収口１４０８から、物質の流れから分離された液体および固体を排出する。セパレータキャニスタシステム１４００は、吸引源から受け取った吸引によって作動する。本明細書で使用する「吸引」および「真空」という用語は、周囲の大気圧より低い圧力を指すことを理解されたい。
【０２４９】
いくつかの実施形態において、セパレータキャニスタシステム１４００は、セパレータ本体１４０２、入力ポート１４０４、吸引口１４０６、回収口１４０８、バッフル１４１０、渦要素１４１２、および収集キャニスタ１４１４を含む。
【０２５０】
セパレータ本体１４０２は、円筒状キャビティを画成する円筒形の壁を有する。円筒形の壁は、第１の円筒形のキャビティ端部と第２の円筒形のキャビティ端部とを有する。セパレータ本体１４０２は、円すい空洞を形成する。円すい空洞は、広い端部と細い端部とを有する。広い端部は、セパレータ本体１４０２の第２の円筒形のキャビティ端部に嵌合する。いくつかの実施形態において、セパレータ本体１４０２は、第１の円筒形のキャビティ端部が上になるように動作するよう構成される。吸引口１４０６からの吸引によって、物質の流れから分離された気体を引き出す一方、セパレータ本体１４０２は重力が回収口１４０８から物質の流れから分離された少なくとも液体および固体を引き出すことを可能にするように構成される。
【０２５１】
セパレータ本体１４０２は、収集キャニスタ１４１４と一体化するように構成される。収集キャニスタ１４１４は、キャニスタまたはキャニスタのための蓋を表す。いくつかの実施形態において、セパレータ本体１４０２は、収集キャニスタ１４１４の内部に組み込まれてもよい。いくつかの実施形態において、セパレータ本体１４０２は、収集キャニスタ１４１４のための蓋に組み込まれてもよい。いくつかの実施形態において、セパレータ本体１４０２および収集キャニスタ１４１４は、単一の製品であってもよい。いくつかの実施形態において、セパレータ本体１４０２は、キャニスタ１４１４に連結するように構成される。いくつかの製造形態において、セパレータ本体１４０２を、収集キャニスタ１４１４に使用されるのとは異なるプロセスから製造し、セパレータ本体１４０２および収集キャニスタ１４１４を組み立てプロセスの一部として一体化することが望ましい。
【０２５２】
入力ポート１４０４は、物質の流れを受け取るように構成される。いくつかの実施形態において、入力ポート１４０４は、セパレータ本体１４０２と一体化されていてもよい。入力ポート１４０４は、円筒状キャビティ壁に配置されていてもよい。入力ポート１４０４は、円筒状キャビティの長手方向中心により画成される軸から軸外に位置してもよい。入力ポート１４０４は、円筒状キャビティ壁に沿って物質の流れを案内するように構成されてもよい。円筒状キャビティ壁に沿って物質の流れを案内することによって、液体および気体は、求心力の影響により空洞の壁にくっついてもよい。吸引口１４０６から受け取った吸引と、吸引源または真空源によって、物質の流れは、セパレータキャニスタシステム１４００内に誘導されてもよい。
【０２５３】
吸引口１４０６は、吸引源に連結するように構成される。特定の実施形態において、吸引源は、真空ポンプ、吸引装置、および／またはベンチュリ効果またはコアンダ効果を活用する吸引源等の正圧作動吸引源を含んでもよい。吸引源からの吸引は、吸引口１４０６から入力ポート１４０４へ伝わる。入力ポート１４０４は、物質の流れを受け取るように構成される。物質の流れは、周囲の気圧と、吸引源によって提供される低い圧力との間の圧力差によって、入力ポート１４０４に引き出される。物質の流れは、液体、固体および気体、および様々な比率でのそれらの組み合わせを含んでもよい。吸引口１４０６は、第１の円筒形のキャビティ端部の近くに配置される。セパレータキャニスタシステム１４００を操作するために、吸引口１４０６は、吸引源から受け取った吸引を提供する。いくつかの実施形態において、吸引口１４０６は、チューブを取り付けるように構成されたフィッティングを有していてもよい。例えば、とげのある、または迅速交換式のフィッティングを使用して、チューブを吸引口１４０６に連結してもよい。チューブを使用して、吸引口１４０６を、吸引源または別のセパレータシステムの入力ポート１４０４に連結してもよい。
【０２５４】
回収口１４０８は、少なくとも液体および固体を排出するように構成される。回収口１４０８は、セパレータ本体１４０２の円すい空洞の細い端部に配置される。回収口１４０８は、収集キャニスタ１４１４に少なくとも液体および固体を排出するように構成される。収集キャニスタ１４１４を使用して、セパレータキャニスタシステム１４００から収集された物質を測定してもよい。収集キャニスタ１４１４は、回収口１４０８から受け取る廃棄物の安全な収集、輸送および廃棄のために使用されてもよい。
【０２５５】
バッフル１４１０は、入力ポート１４０４と吸引口１４０６との間に配置される。バッフル１４１０は、セパレータ本体１４０２の円筒形の壁の円周の少なくとも第１の部分を横切ることなく、流れの中の液体または固体が、直接、入力ポート１４０４から吸引口１４０６へ引き出されるのを防止するように構成される。いくつかの実施形態において、バッフル１４１０は、開口を含んでいてもよく、開口は、少なくとも物質の流れの中の気体が流れの中に含まれていてもよい液体および固体から分離することを可能にするように構成される。気体は、バッフル１４１０を介して吸引口１４０６から引き出される。一実施形態において、バッフル１４１０は、入力ポート１４０４の近位に位置する固体表面を含んでもよい。液体および固体がバッフル１４１０の開口に達する前に、重力が液体および固体に働く時間を可能にすることにより、バッフル１４１０に含まれ得る固体表面を使用して、流れの中の液体および固体が、直接、入力ポート１４０４から吸引口１４０６へ引き出されることを防止してもよい。液体および固体がバッフル１４１０の固体表面を横切る際の、重力が液体および固体に働く時間を可能にすることにより、液体および固体は、回収口１０８に向かって降下でき、それにより、吸引口１４０６から吸引されない。
【０２５６】
渦要素１４１２は、サイクロン流内の物質の流れを案内するように構成される。サイクロン流および重力は、物質の流れに含まれる液体、固体および気体を分離させる。渦要素１４１２は、セパレータ本体１４０２の円筒状キャビティ内に配置されている円筒状中央部材を有する。円筒状中央部材は、渦要素１４１２とセパレータ本体１４０２との間に環状キャビティを形成する。回収口１４０８から落ちる前に、渦要素１４１２は、流れの中の液体および固体が環状キャビティを通過することを可能にするように構成される。一実施形態において、渦要素１４１２は、セパレータ本体１４０２の円すい空洞内に配置されたテーパ部分を含んでもよい。一実施形態において、渦要素１４１２は、異なる直径を有する複数の円筒部分を有してもよい。複数の円筒部分は、環状キャビティの第１の部分を画成する第１のセクションと、環状キャビティの第２の部分を画成する第２のセクションとを有する。テーパ部および円筒部は、サイクロンの流れパターンで、セパレータ本体１４０２内に流れを案内するように構成される。一実施形態において、バッフル１４１０は、渦要素１４１２と一体化されていてもよい。一実施形態において、渦要素１４１２は、円筒状中央部材内に配置された内腔を有していてもよく、円筒状中央部材は、少なくとも気体を、吸引口１４０６に向かって渦要素１４１２を通過させることを可能にする。
【０２５７】
収集キャニスタ１４１４は、収集キャニスタの任意の部分を表す。例えば、収集キャニスタ１４１４は、キャニスタ、キャニスタ壁、蓋または、収集キャニスタの他の一部であってもよい。収集キャニスタ１４１４は、回収口１４０８から物質を受け取るように構成されている。収集キャニスタ１４１４を使用して、回収口１４０８から受け取った物質の体積を測定してもよい。収集キャニスタ１４１４は、収集された廃棄物の安全な収集、輸送および廃棄に使用されてもよい。
【０２５８】
図１５は、セパレータ１５００を示すブロック図である。動作中、セパレータ１５００は、物質の流れの中の液体、固体および気体を分離するように構成される。吸引口１５０６から、物質の流れから分離された少なくとも気体を吸引する一方、セパレータ１５００は、物質の流れから分離された液体および固体を回収口１５０８から排出する。セパレータ１５００は、吸引源から受け取った吸引によって作動する。本明細書で使用する「吸引」および「真空」という用語は、周囲の大気圧より低い圧力を指すことを理解されたい。
【０２５９】
いくつかの実施形態において、セパレータ１５００は、セパレータ本体１５０２、入力ポート１５０４、吸引口１５０６、回収口１５０８、バッフル１５１０、および渦要素１５１２を含む。
【０２６０】
セパレータ本体１５０２は、円筒状キャビティを画成する円筒形の壁を有する。円筒形の壁は、第１の円筒形のキャビティ端部と、第２の円筒形のキャビティ端部とを有する。セパレータ本体１５０２は、円すい空洞を形成する。円すい空洞は、広い端部と細い端部とを有する。広い端部は、セパレータ本体１５０２の第２の円筒形のキャビティ端部に嵌合する。いくつかの実施形態において、セパレータ本体１５０２は、第１の円筒形のキャビティ端部が上になるように動作するよう構成される。物質の流れから分離された気体が、吸引口１５０６からの吸引によって、引き出される一方、セパレータ本体１５０２は、重力が物質の流れから分離された少なくとも液体および固体を回収口１５０８から引き出すことを可能にするように構成される。
【０２６１】
入力ポート１５０４は、物質の流れを受け取るように構成される。いくつかの実施形態において、入力ポート１５０４は、セパレータ本体１５０２と一体化されていてもよい。入力ポート１５０４は、円筒状キャビティ壁に配置されていてもよい。入力ポート１５０４は、円筒状キャビティの長手方向中心により画成される軸から軸外に位置してもよい。入力ポート１５０４は、円筒状キャビティ壁に沿って、物質の流れを案内するように構成されてもよい。円筒状キャビティ壁に沿って、物質の流れを案内することによって、液体および気体は、求心力の影響により空洞の壁にくっついてもよい。吸引口１５０６から受け取った吸引と、吸引源または真空源により、物質の流れは、セパレータ１５００内に誘導されてもよい。
【０２６２】
入力ポート１５０４は、角度１５６０を含む。角度１５６０は、入力ポート１５０４の中央に位置する縦軸と、セパレータ本体１５０２の中央に位置する縦軸との間の角度を表す。いくつかの実施形態において、角度１５６０は、９０°である。いくつかの実施形態において、角度１５６０は、鋭角であってもよい。角度１５６０が鋭角の場合、入力ポート１５０４に入る物質の流れは、バッフル１５１０から離れて、回収口１５０８に向かって案内される。角度１５６０は、物質の流れを案内することにより、セパレータ１５００の作業効率を改善してもよい。角度１５６０は、セパレータ本体１５０２の内周の少なくとも一部を横切ることなく、液体および固体が吸引口１５０６から抜け出ることを防止してもよい。
【０２６３】
吸引口１５０６は、吸引源に連結するように構成される。特定の実施形態において、吸引源は、真空ポンプ、吸引装置、および／またはベンチュリ効果またはコアンダ効果を活用する吸引源等の正圧作動吸引源を含んでもよい。吸引源からの吸引は、吸引口１５０６から入力ポート１５０４へ伝わる。入力ポート１５０４は、物質の流れを受け取るように構成される。物質の流れは、周囲の気圧と、吸引源によって提供される低い圧力との間の圧力差によって、入力ポート１５０４に引き出される。物質の流れは、液体、固体および気体、および様々な比率でのそれらの組み合わせを含んでもよい。吸引口１５０６は、第１の円筒形のキャビティ端部の近くに配置される。吸引口１５０６は、セパレータ１５００を操作するために、吸引源から受け取った吸引を提供する。いくつかの実施形態において、吸引口１５０６は、チューブを取り付けるように構成されたフィッティングを有していてもよい。例えば、とげのある、または迅速交換式のフィッティングを使用して、チューブを吸引口１５０６に連結してもよい。チューブを使用して、吸引口１５０６を、吸引源または別のセパレータシステムの入力ポート１５０４に連結してもよい。
【０２６４】
回収口１５０８は、少なくとも液体および固体を排出するように構成されている。回収口１５０８は、セパレータ本体１５０２の円すい空洞の細い端部に配置される。一実施形態において、回収口１５０８は、収集キャニスタに連結するように構成されてもよい。収集キャニスタを使用して、セパレータ１５００から収集された物質を測定してもよい。収集キャニスタは、セパレータ１５００から受け取る廃棄物の安全な収集、輸送および廃棄のために、使用されてもよい。いくつかの実施形態において、回収口１５０８は、チューブまたはパイプに連結されて、物質を廃棄物ドレーンに案内してもよい。いくつかの実施形態において、回収口１５０８は、回収口１５０８とチューブまたは収集キャニスタの間にシールを形成するように構成された取り付けリングを含む。
【０２６５】
バッフル１５１０は、入力ポート１５０４と、吸引口１５０６との間に配置される。バッフル１５１０は、セパレータ本体１５０２円筒形の壁の円周の少なくとも第１の部分を横切ることなく、流れの中の液体または固体が、直接、入力ポート１５０４から吸引口１５０６へ引き出されることを防止するように構成される。いくつかの実施形態において、バッフル１５１０は開口を有していてもよく、開口は、少なくとも物質の流れの中の気体が、流れの中に含まれていてもよい液体および固体から分離することを可能にするように構成されている。気体は、バッフル１５１０を介して、吸引口１５０６から引き出されてもよい。一実施形態において、バッフル１５１０は、入力ポート１５０４の近位に位置する固体表面を含んでいてもよい。液体および固体がバッフル１５１０の開口に達する前に、重力が液体および固体に働く時間を可能にすることにより、バッフル１５１０に含まれてもよい固体表面を使用して、流れの中の液体および固体が、直接、入力ポート１５０４から吸引口１５０６へ引き出されることを防止してもよい。液体および固体がバッフル１５１０の固体表面を横切る際の、重力が液体および固体に働く時間を可能にすることにより、液体および固体は、回収口１５０８に向かって降下でき、それにより、吸引口１５０６から吸引されない。
【０２６６】
渦要素１５１２は、サイクロン流内の物質の流れを案内するように構成される。サイクロン流および重力は、物質の流れに含まれる液体、固体および気体を分離させる。渦要素１５１２は、セパレータ本体１５０２の円筒状キャビティ内に配置されている円筒状中央部材を有する。円筒状中央部材は、渦要素１５１２と、セパレータ本体１５０２との間に、環状キャビティを形成する。回収口１５０８から落ちる前に、渦要素１５１２は、流れの中の液体および固体が環状キャビティを通過することを可能にするように構成される。一実施形態において、渦要素１５１２は、セパレータ本体１５０２の円すい空洞内に配置されたテーパ部分を有してもよい。一実施形態において、渦要素１５１２は、異なる直径を有する複数の円筒部分を有していてもよい。複数の円筒部分は、環状キャビティの第１の部分を画成する第１のセクションと、環状キャビティの第２の部分を画成する第２のセクションとを有していてもよい。テーパ部および円筒部は、サイクロンの流れパターンで、セパレータ本体１５０２内に流れを案内するように構成される。一実施形態において、バッフル１５１０は、渦要素１５１２と一体化されていてもよい。いくつかの実施形態において、渦要素１５１２は、円筒状中央部材に配置された内腔を有してもよく、円筒状中央部材は、少なくとも気体が吸引口１５０６に向かって、渦要素１５１２を通過することを可能にするように構成される。
【０２６７】
図１６は、セパレータ１６００を示すブロック図である。動作中、セパレータ１６００は、物質の流れの中の液体、固体および気体を分離するように構成される。物質の流れから分離された少なくとも気体を吸引口１６０６から吸引する一方、セパレータ１６００は、物質の流れから分離された液体および固体を回収口１６０８から排出する。セパレータ１６００は、吸引源から受け取った吸引によって作動する。本明細書で使用する「吸引」および「真空」という用語は、周囲の大気圧より低い圧力を指すことを理解されたい。
【０２６８】
いくつかの実施形態において、セパレータ１６００は、セパレータ本体１６０２、入力ポート１６０４、吸引口１６０６、回収口１６０８、らせん状のバッフル１６１０、および渦要素１６１２を含む。
【０２６９】
セパレータ本体１６０２は、円筒状キャビティを画成する円筒形の壁を有する。円筒形の壁は、第１の円筒形のキャビティ端部と、第２の円筒形のキャビティ端部とを有する。セパレータ本体１６０２は、円すい空洞を形成する。円すい空洞は、広い端部と細い端部とを有する。広い端部は、セパレータ本体１６０２の第２の円筒形のキャビティ端部に嵌合する。いくつかの実施形態において、セパレータ本体１６０２は、第１の円筒形のキャビティ端部が上になるように動作するように構成される。吸引口１６０６からの吸引によって、物質の流れから分離された気体が引き出される一方、セパレータ本体１６０２は、重力が物質の流れから分離された少なくとも液体および固体を回収口１６０８から引き出すことを可能にするように構成される。
【０２７０】
入力ポート１６０４は、物質の流れを受け取るように構成される。いくつかの実施形態において、入力ポート１６０４は、セパレータ本体１６０２と一体化されていてもよい。入力ポート１６０４は、円筒状キャビティ壁に配置されていてもよい。入力ポート１６０４は、円筒状キャビティの長手方向中心により画成される軸から軸外に位置していてもよい。入力ポート１６０４は、円筒状キャビティ壁に沿って、物質の流れを案内するように構成されてもよい。円筒状キャビティ壁に沿って、物質の流れを案内することによって、液体および気体は、求心力の影響により空洞の壁にくっついてもよい。吸引口１６０６から受け取った吸引と、吸引源または真空源によって、物質の流れは、セパレータ１６００内に誘導されてもよい。
【０２７１】
吸引口１６０６は、吸引源に連結するように構成される。特定の実施形態において、吸引源は、真空ポンプ、吸引装置、および／またはベンチュリ効果またはコアンダ効果を活用する吸引源等の正圧作動吸引源を含んでもよい。吸引源からの吸引は、吸引口１６０６から入力ポート１６０４へ伝わる。入力ポート１６０４は、物質の流れを受け取るように構成されている。物質の流れは、周囲の気圧と、吸引源によって提供される低い圧力との間の圧力差によって、入力ポート１６０４に引き出される。物質の流れは、液体、固体および気体、および様々な比率でのそれらの組み合わせを含んでもよい。吸引口１６０６は、第１の円筒形のキャビティ端部の近くに配置される。セパレータ１６００を操作するために、吸引口１６０６は、吸引源から受け取った吸引を提供する。いくつかの実施形態において、吸引口１６０６は、チューブを取り付けるように構成されたフィッティングを有していてもよい。例えば、とげのある、または迅速交換式のフィッティングを使用して、チューブを吸引口１６０６に連結してもよい。チューブを使用して、吸引口１６０６を、吸引源または別のセパレータシステムの入力ポート１６０４に連結してもよい。
【０２７２】
回収口１６０８は、少なくとも液体および固体を排出するように構成されている。回収口１６０８は、セパレータ本体１６０２の円すい空洞の細い端部に配置されている。一実施形態において、回収口１６０８は、収集キャニスタに連結するように構成されてもよい。収集キャニスタを使用して、セパレータ１６００から収集された物質を測定してもよい。収集キャニスタは、セパレータ１６００から受け取る廃棄物の安全な収集、輸送および廃棄のために使用されてもよい。いくつかの実施形態において、回収口１６０８は、チューブまたはパイプに連結されて、物質を廃棄物ドレーンに案内してもよい。いくつかの実施形態において、回収口１６０８は、回収口１６０８と、チューブまたは収集キャニスタとの間にシールを形成するように構成された取り付けリングを含んでもよい。
【０２７３】
らせん状のバッフル１６１０は、入力ポート１６０４と吸引口１６０６との間に配置される。らせん状のバッフル１６１０は、セパレータ本体１６０２の円筒形の壁の円周の少なくとも第１の部分を横切ることなく、流れの中の液体または固体が、直接、入力ポート１６０４から吸引口１６０６へ引き出されることを防止するように構成される。らせん状のバッフル１６１０は、入力ポート１６０４に近い出発地点と、入力ポート１６０４の下の終点を含むらせん部分を含む。らせん状のバッフル１６１０のらせん部分は、セパレータ本体１６０２内を進む物質の流れが、入力ポート１６０４に入る物質の流れと交差することを防止する。らせん状のバッフル１６１０は、入力ポート１６０４の上に配置された第２のバッフルを含んでもよい。いくつかの実施形態において、第２のバッフルは、開口を含んでもよく、開口は、少なくとも物質の流れの中の気体が、流れの中に含まれていてもよい液体および固体から分離することを可能にするように構成される。一実施形態において、第２のバッフルは、入力ポート１６０４の近位に位置する固体表面を含んでもよい。液体および固体が第２のバッフルの開口に達する前に、重力が液体および固体に働く時間を可能にすることによって、第２のバッフルに含まれてもよい固体表面を使用して、流れの中の液体および固体が、直接、入力ポート１６０４から吸引口１６０６へ引き出されることを防止してもよい。液体および固体が第２のバッフルの固体表面を横切る際の、重力が液体および固体に働く時間を可能にすることによって、液体および固体は、回収口１６０８に向かって降下することができ、それによって、吸引口１６０６から吸引されない。
【０２７４】
渦要素１６１２は、サイクロン流内の物質の流れを案内するように構成される。サイクロン流および重力は、物質の流れに含まれる液体、固体および気体を分離させる。渦要素１６１２は、セパレータ本体１６０２の円筒状キャビティ内に配置されている円筒状中央部材を有する。円筒状中央部材は、渦要素１６１２と、セパレータ本体１６０２との間に環状キャビティを形成する。回収口１６０８から落ちる前に、渦要素１６１２は、流れの中の液体および固体が環状キャビティを通過することを可能にするように構成される。一実施形態において、渦要素１６１２は、セパレータ本体１６０２の円すい空洞内に配置されたテーパ部分を有していてもよい。一実施形態において、渦要素１６１２は、異なる直径を有する複数の円筒部分を含んでもよい。複数の円筒部分は、環状キャビティの第１の部分を画成する第１のセクションと、環状キャビティの第２の部分を画成する第２のセクションとを有してよい。テーパ部および円筒部は、サイクロンの流れパターンで、セパレータ本体１６０２内に流れを案内するように構成される。一実施形態において、バッフル１６１０は、渦要素１６１２と一体化されていてもよい。いくつかの実施形態において、渦要素１６１２は、中央を通過する内腔を含んでもよく、中央は、少なくとも気体が、吸引口１６０６を介して排出されることを可能にするように構成される。一実施形態において、渦要素１６１２は、円筒状中央部材内に配置された内腔を含んでもよく、円筒状中央部材は、少なくとも気体が吸引口１６０６に向かって渦要素１６１２を通過することを可能にするように構成される。
【０２７５】
図１７は、セパレータシステム１７００を示すブロック図である。動作中、セパレータシステム１７００は、物質の流れの中の液体、固体および気体を分離するように構成される。物質の流れから分離された少なくとも気体を吸引口１７０６から吸引する一方、セパレータシステム１７００は、物質の流れから分離された液体および固体を回収口１７０８から排出する。組織トラップ１７６２は、回収口１７０６から受け取った流れに含まれ得る固体を収集するように構成される。組織トラップ１７６２は、液体が収集キャニスタ１７１４を通過することを可能にするように構成さえる。セパレータシステム１７００は、吸引源から受け取った吸引によって作動する。本明細書で使用する「吸引」および「真空」という用語は、周囲の大気圧より低い圧力を指すことを理解されたい。
【０２７６】
いくつかの実施形態において、セパレータシステム１７００は、セパレータ本体１７０２、入力ポート１７０４、吸引口１７０６、回収口１７０８、バッフル１７１０、渦要素１７１２、収集キャニスタ１７１４、および組織トラップ１７６２を有する。
【０２７７】
セパレータ本体１７０２は、円筒状キャビティを画成する円筒形の壁を有する。円筒形の壁は、第１の円筒形のキャビティ端部と、第２の円筒形のキャビティ端部とを有する。セパレータ本体１７０２は、円すい空洞を形成する。円すい空洞は、広い端部と細い端部とを有する。広い端部は、セパレータ本体１７０２の第２の円筒形のキャビティ端部に嵌合する。いくつかの実施形態において、セパレータ本体１７０２は、第１の円筒形のキャビティ端部が上になるように動作するように構成される。吸引口１７０６からの吸引によって、物質の流れから分離された気体が引き出される一方、セパレータ本体１７０２は、重力が、物質の流れから分離された少なくとも液体および固体を、回収口１７０８から引き出すことを可能にするように構成される。
【０２７８】
入力ポート291は、物質の流れを受け取るように構成される。いくつかの実施形態において、入力ポート１７０４は、セパレータ本体１７０２と一体化されている。入力ポート１７０４は、円筒状キャビティ壁に配置されてもよい。入力ポート１７０４は、円筒状キャビティの長手方向中心により画成される軸から軸外に位置してもよい。入力ポート１７０４は、円筒状キャビティ壁に沿って物質の流れを案内するように構成されてもよい。円筒状キャビティ壁に沿って物質の流れを案内することによって、液体および気体は、求心力の影響により空洞の壁にくっついてもよい。吸引口１７０６から受け取った吸引と、吸引源または真空源によって、物質の流れは、セパレータシステム１７００内に誘導されてもよい。
【０２７９】
吸引口１７０６は、吸引源に連結するように構成される。特定の実施形態において、吸引源は、真空ポンプ、吸引装置、および／またはベンチュリ効果またはコアンダ効果を活用する吸引源等の正圧作動吸引源を含んでもよい。吸引源からの吸引は、吸引口１７０６から入力ポート１７０４に伝わる。入力ポート１７０４は、物質の流れを受け取るように構成される。物質の流れは、周囲の気圧と、吸引源によって提供される低い圧力との間の圧力差によって、入力ポート１７０４に引き出される。物質の流れは、液体、固体および気体、および様々な比率でのそれらの組み合わせを含んでもよい。吸引口１７０６は、第１の円筒形のキャビティ端部の近くに配置される。セパレータシステム１７００を操作するために、吸引口１７０６は、吸引源から受け取った吸引を提供する。いくつかの実施形態において、吸引口１７０６は、チューブを取り付けるように構成されたフィッティングを含んでもよい。例えば、とげのある、または迅速交換式のフィッティングを使用して、チューブを吸引口１７０６に連結してもよい。チューブを使用して、吸引口１７０６を吸引源または別のセパレータシステムの入力ポート１７０４に連結してもよい。
【０２８０】
回収口１７０８は、入力ポート１７０４から受け取った物質の流れから分離される少なくとも液体および固体を排出するように構成される。回収口１７０８は、セパレータ本体１７０２の円すい空洞の細い端部の近くに配置される。回収口１７０８は、組織トラップ１７６２に連結される。
【０２８１】
バッフル１７１０は、入力ポート１７０４と、吸引口１７０６との間に配置される。バッフル１７１０は、セパレータ本体１７０２の円筒形の壁の円周の少なくとも第１の部分を横切ることなく、流れの中の液体または固体が、直接入力ポート１７０４から吸引口１７０６へ引き出されることを防止するように構成される。いくつかの実施形態において、バッフル１７１０は、開口を含んでもよく、開口は、少なくとも物質の流れの中の気体が、流れの中に含まれていてもよい液体および固体から分離することを可能にするように構成される。気体は、バッフル１７１０を介して、吸引口１７０６から引き出されてもよい。一実施形態において、バッフル１７１０は、入力ポート１７０４の近位に位置する固体表面を含んでもよい。液体および固体がバッフル１７１０の開口に達する前に、重力が液体および固体に働く時間を可能にすることにより、バッフル１７１０に含まれ得る固体表面を使用して、流れの中の液体および固体が、直接、入力ポート１７０４から吸引口１７０６へ引き出されることを防止してもよい。液体および固体がバッフル１７１０の固体表面を横切る際の、重力が液体および固体に働く時間を可能にすることにより、液体および固体は、回収口１７０８に向かって降下でき、それによって、吸引口１７０６から吸引されない。
【０２８２】
渦要素１７１２は、サイクロン流内の物質の流れを案内するように構成される。サイクロン流および重力は、物質の流れに含まれる液体、固体および気体を分離させる。渦要素１７１２は、セパレータ本体１７０２の円筒状キャビティ内に配置されている円筒状中央部材を含む。円筒状中央部材は、渦要素１７１２と、セパレータ本体１７０２との間に、環状キャビティを形成する。渦要素１７１２は、回収口１７０８から落ちる前に、流れの中の液体および固体が、環状キャビティを通過することを可能にするように構成される。一実施形態において、渦要素１７１２は、セパレータ本体１７０２の円すい空洞内に配置されたテーパ部分を含んでもよい。一実施形態において、渦要素１７１２は、異なる直径を有する複数の円筒部分を含んでもよい。複数の円筒部分は、環状キャビティの第１の部分を画成する第１のセクションと、環状キャビティの第２の部分を画成する第２のセクションとを含んでもよい。テーパ部および円筒部は、サイクロンの流れパターンで、セパレータ本体１７０２に、流れを案内するように構成される。一実施形態において、バッフル１７１０は、渦要素１７１２と一体化されていてもよい。一実施形態において、渦要素１７１２は、円筒状中央部材に配置された内腔を含んでいてもよく、円筒状中央部材は、少なくとも気体が、吸引口１７０６に向かって、内腔を通過することを可能にするように構成される。
【０２８３】
収集キャニスタ１７１４は、セパレータ１７０２から廃棄物を受け取るように構成される。廃棄物は、入力ポート１７０４で受け取られた物質の流れから分離された少なくとも液体および固体を含んでもよい。収集キャニスタ１７１４を使用して、入力ポート１７０４で受け取られた物質の流れから分離された液体および／または固体の量を測定してもよい。収集キャニスタ１７１４は、廃棄物の安全な収集、輸送および廃棄を可能にするように構成される。いくつかの実施形態において、収集キャニスタ１７１４が、所定量に充填されたとき、収集キャニスタ１７１４は、活性化するように構成されたバルブを含んでもよい。バルブを使用して、廃棄物が集キャニスタ１７１４を出ることを防止してもよい。いくつかの実施形態において、収集キャニスタ１７１４は、市販の収集キャニスタを含んでもよい。
【０２８４】
組織トラップ１７６２は、回収口１７０６から排出された混合流に含まれ得る固体を捕らえるように構成される。混合流に含まれる液体は、収集キャニスタ１７１４に向かって、組織トラップ１７６２を通過できる。固体は、組織、血餅、異物または他の固体形態の物質を含んでいてもよい。組織トラップ１７６２は、回収口１７０６から排出された混合流に含まれ得る固体の機械的濾過手段を含む。組織トラップ１７６２により収集された固体は、分析のために保存されるか、または安全に処分される。
【０２８５】
図１８は、逆止め弁付きセパレータ１８００を示すブロック図である。動作中、逆止め弁付きセパレータ１８００は、物質の流れの中の液体、固体および気体を分離するように構成される。物質の流れから分離された少なくとも気体を吸引口１８０６から吸引する一方、逆止め弁付きセパレータ１８００は、物質の流れから分離された液体および固体を回収口１８０８から排出する。逆止め弁付きセパレータ１８００は、吸引源から受け取った吸引によって作動する。本明細書で使用する「吸引」および「真空」という用語は、周囲の大気圧より低い圧力を指すことを理解されたい。逆止め弁１８６４が作動される場合、逆止め弁付きセパレータは、物質の流れが、吸引口１８０６を通過することを防止するように構成される。
【０２８６】
いくつかの実施形態において、逆止め弁付きセパレータ１８００は、セパレータ本体１８０２、入力ポート１８０４、吸引口１８０６、回収口１８０８、バッフル１８１０、渦要素１８１２、および逆止め弁１８６４を有する。
【０２８７】
セパレータ本体１８０２は、円筒状キャビティを画成する円筒形の壁を有する。円筒形の壁は、第１の円筒形のキャビティ端部と、第２の円筒形のキャビティ端部とを有する。セパレータ本体１８０２は、円すい空洞を形成する。円すい空洞は、広い端部と細い端部とを有する。広い端部は、セパレータ本体１８０２の第２の円筒形のキャビティ端部に嵌合する。いくつかの実施形態において、セパレータ本体１８０２は、第１の円筒形のキャビティ端部が上になるように動作するよう構成される。物質の流れから分離された気体が、吸引口１８０６からの吸引によって、引き出される一方、セパレータ本体１０２は、重力が、物質の流れから分離された少なくとも液体および固体を回収口１８０８から引き出すことを可能にするように構成される。
【０２８８】
入力ポート１８０４は、物質の流れを受け取るように構成される。いくつかの実施形態において、入力ポート１８０４は、セパレータ本体１８０２と一体化されている。入力ポート１８０４は、円筒状キャビティ壁に配置されてもよい。入力ポート１８０４は、円筒状キャビティの長手方向中心により画成される軸から軸外に位置してもよい。入力ポート１８０４は、円筒状キャビティ壁に沿って物質の流れを案内するように構成されてもよい。円筒状キャビティ壁に沿って物質の流れを案内することによって、液体および気体は、求心力の影響により空洞の壁にくっついてもよい。物質の流れは、吸引口１８０６から受け取った吸引と、吸引源または真空源によって、逆止め弁付きセパレータ１８００に誘導されてもよい。
【０２８９】
吸引口１８０６は、吸引源に連結するように構成されている。特定の実施形態において、吸引源は、真空ポンプ、吸引装置、および／またはベンチュリ効果またはコアンダ効果を活用する吸引源等の正圧作動吸引源を含んでもよい。吸引源からの吸引は、吸引口１８０６から入力ポート１８０４へ伝わる。吸引口１８０６は、第１の円筒形のキャビティ端部の近くに配置される。吸引口１８０６は、逆止め弁付きセパレータ１８００を操作するために、吸引源から受け取った吸引を提供する。いくつかの実施形態において、吸引口１８０６は、チューブを取り付けるように構成されたフィッティングを有していてもよい。例えば、とげのある、または迅速交換式のフィッティングを使用して、チューブを吸引口１８０６に連結してもよい。チューブを使用して、吸引口１８０６を、吸引源または別のセパレータの入力ポート１８０４に連結してもよい。
【０２９０】
回収口１８０８は、少なくとも液体および固体を排出するように構成される。回収口１８０８は、セパレータ本体１８０２の円すい空洞の細い端部の近くに配置される。一実施形態において、回収口１８０８は、収集キャニスタに連結するように構成される。収集キャニスタを使用して、逆止め弁付きセパレータ１８００から収集された物質を測定してもよい。収集キャニスタは、逆止め弁付きセパレータ１８００から受け取った廃棄物の安全な収集、輸送および廃棄のために使用されてもよい。いくつかの実施形態において、回収口１８０８は、チューブまたはパイプに連結されて、物質を廃棄物ドレーンに案内してもよい。いくつかの実施形態において、回収口１８０８は、回収口１８０８とチューブまたは収集キャニスタとの間にシールを形成するように構成された取り付けリングを含んでもよい。
【０２９１】
バッフル１８１０は、セパレータ本体１８０２の円筒形の壁の円周の少なくとも第１の部分を横切ることなく、流れの中の液体または固体が、直接、入力ポート１８０４から吸引口１８０６へ引き出されることを防止するように構成される。バッフル１８１０は、入力ポート１８０４と吸引口１８０６との間に配置されている。いくつかの実施形態において、バッフル１８１０は開口を含んでもよく、開口は、少なくとも物質の流れの中の気体が、流れの中に含まれていてもよい液体および固体から分離することを可能にするように構成される。気体は、バッフル１８１０を介して、吸引口１８０６から引き出される。一実施形態において、バッフル１８１０は、入力ポート１８０４の近位に位置する固体表面を含んでいてもよい。液体および固体がバッフル１８１０の開口に達する前に、重力が液体および固体に働く時間を可能にすることによって、バッフル１８１０に含まれてもよい固体表面を使用して、流れの中の液体および固体が、直接、入力ポート１８０４から吸引口１８０６へ引き出されることを防止してもよい。液体および固体がバッフル１８１０の固体表面を横切る際の、重力が液体および固体に働く時間を可能にすることによって、液体および固体は、回収口１８０８に向かって降下でき、それによって、吸引口１８０６から吸引されない。
【０２９２】
渦要素１８１２は、サイクロン流内の物質の流れを案内するように構成される。サイクロン流および重力は、物質の流れに含まれる液体、固体および気体を分離させる。渦要素１８１２は、セパレータ本体１８０２の円筒状キャビティ内に配置されている円筒状中央部材を有する。円筒状中央部材は、渦要素１８１２と、セパレータ本体１８０２との間に、環状キャビティを形成する。渦要素１８１２は、回収口１８０８から落ちる前に、流れの中の液体および固体が環状キャビティを通過することを可能にする。一実施形態において、渦要素１８１２は、セパレータ本体１８０２の円すい空洞内に配置されたテーパ部分を有していてもよい。一実施形態において、渦要素１８１２は、異なる直径を有する複数の円筒部分を有していてもよい。複数の円筒部分は、環状キャビティの第１の部分を画成する第１のセクションと、環状キャビティの第２の部分を画成する第２のセクションとを有していてもよい。テーパ部および円筒部は、サイクロンの流れパターンで、セパレータ本体１８０２内に流れを案内するように構成される。一実施形態において、バッフル１８１０は、渦要素１８１２と一体化されていてもよい。一実施形態において、渦要素１８１２は、円筒状中央部材に配置された内腔を有していてもよく、円筒状中央部材は、少なくとも気体が、円筒状中央部材を介して、吸引口１８０６から引き出されることを可能にする。
【０２９３】
逆止め弁１８６４は、活性化されたときに、物質が、吸引口１８０６を通過することを防止するように構成される。逆止め弁１８６４を作動させるいくつかの事象は、所定量まで充填する収集キャニスタ、回収口１８０８のブロック、直接、入力ポート１８０４から吸引口１８０６へ流れる液体、またはその他の事象を含み、物質が吸引口１８０６を通過することは望ましくない。いくつかの実施形態において、逆止め弁１８６４は、スプリング式バルブを備えていてもよい。いくつかの実施形態において、液体がセパレータ本体１８０２を所定のレベルまで充填したときに、逆止め弁１８６４は、活性化する浮き部材を有していてもよい。いくつかの実施形態において、逆止め弁１８６４は、ダイヤフラム式バルブを有していてもよい。いくつかの実施形態において、逆止め弁１８６４は、シャトルバルブを有していてもよい。
【０２９４】
物質の流れは、気体、液体、固体、またはそれらの任意の組み合わせを有していてもよい。物質の流れは、１つ以上の気体を有していてもよい。物質の流れは、１つ以上の液体を有していてもよい。物質の流れは、１つ以上の固体を有していてもよい。物質の流れは、血液、細胞外液、リンパ液、尿、胆汁、精液、糞便、汗、細胞、細胞フラグメント、組織、組織フラグメント、微粒子、羊水、房水、硝子体液、胆汁、母乳、脳脊髄液、乳糜、滲出液、胃液、心嚢液、腹水、胸膜液、膿汁、分泌物、唾液、皮脂、漿液、痰、漿液、涙、噴出等の生物学的材料を含んでもよい。物質の流れは、食塩水、マグネシウム塩、電解質ベースの流体、糖含有流体、または二酸化炭素ガスを含んでいてもよい。物質の流れは、洗浄液等の外科廃棄物を含んでいてもよい。物質の流れは、外科手術から生成された気体、液体または固体を含んでいてもよい。
【０２９５】
システムの１つ以上の成分は、使い捨てである。１つ以上の手術器具、１つ以上の流れ分離装置、１つ以上のキャニスタ、またはそれらの任意の組み合わせは、使い捨てである。手術器具は、使い捨てである。流れ分離装置は、使い捨てである。キャニスタは、使い捨てである。
【０２９６】
システムの１つ以上の成分は、複数回の使用に適している。１つ以上の手術器具、１つ以上の流れ分離装置、１つ以上のキャニスタ、またはそれらの任意の組み合わせは、複数回の使用に適している。手術器具は、複数回の使用に適している。流れ分離装置は、複数回の使用に適している。キャニスタは、複数回の使用に適している。
【０２９７】
システムの１つ以上の成分が、滅菌される。１つ以上の手術器具、１つ以上の流れ分離装置、１つ以上のキャニスタ、またはそれらの任意の組み合わせは、滅菌される。手術器具は、滅菌される。流れ分離装置は、滅菌される。キャニスタは、滅菌される。
【０２９８】
図１９は、手術システム１９００のエレメントとしてのセパレータ１９０２を示す。いくつかの実施形態において、手術システム１９００は、吸引源１９１６、チューブ１９３６、セパレータ１９０２、キャニスタ１９１４、チューブ１９３０、および吸引具１９４６を備える。
【０２９９】
本明細書に記載のとおり、システム１９００において、吸引源１９１６は、吸引をセパレータ１９０２に適用する。吸引源１９１６によって提供される吸引は、本明細書に記載のとおり、気体と、セパレータ１９０２内の固体および／または液体吸引流の分離を促進する。いくつかの実施形態において、気体は、電気焼灼器具によって生成された外科煙を含む。いくつかの実施形態において、セパレータ１９０２で分離された外科煙は、トラッブに排出される。いくつかの実施形態において、セパレータ１９０２で分離された外科煙は、フィルタまたは一連のフィルタを通過し、フィルタは、有毒な粒子および／または煙の中の生物学的要素（例えば、ウイルス）を捕らえるように構成される。吸引具１９４６は、例えば、吸収嘴管の先端等の吸引先端を備えていてもよい。吸引具１９４６は、外科医によって、手術野から物質を吸引するために使用され、手術野は、例えば、血液、脂肪、膿汁、灌注流体、骨、外科煙、および他の同様の有機および無機材料を含む。手術野から吸引された材料は、入力チューブ１９３０を介して、セパレータ１９０２に伝達される。本明細書に記載のとおり、外科吸引器を介して吸引された材料は、セパレータ１９０２において、分離され、気体（例えば、外科煙）は、セパレータ１９０２の上部を介して引き出され、任意の液体および／または固体材料が、重力（および／または吸引）によって、キャニスタ１９１４に引き出される。１つのキャニスタおよびセパレータが示されているが、手術システム１９００は、本明細書に記載されているように、２つ以上の直列、または並行のセパレータと使用されてもよいことを理解されたい。
【０３００】
システムは、手術器具、吸引源、および１つ以上のセパレータを有していてもよい。１つ以上のセパレータは、チューブを介して接続されるなど、順次、動作可能に接続されてもよい。場合によっては、システムは、１つ以上のセパレータのそれぞれに取り付け可能な収集キャニスタを有していてもよい。場合によっては、１つ以上のセパレータの少なくとも１つは、その中に形成されたキャニスタを含む。１つ以上のセパレータを順次備えるシステムは、一連の第１のキャニスタの体積を物質の流れの液体で充填し、その後、一連の第２のキャニスタの体積を、物質の流れの液体で充填し、その後、一連の第３のキャニスタの体積を充填することなどを可能にする。
【０３０１】
第１のキャニスタの体積の少なくとも一部が充填されるまで、第２のキャニスタは、物質の流れからの液体で充填されないことがある。第２のキャニスタおよび第１のキャニスタの体積の少なくとも一部が充填されるまで、第３のキャニスタは、液体で充填されないことがある。液体で充填された部分は、総キャニスタ量の約７０％、約７５％、約８０％、約８５％、約９０％、約９５％、約９６％、約９７％、約９８％、約９９％、または１００％であってもよい。液体で充填された部分は、総キャニスタ量の少なくとも約７０％であってもよい。充填された部分は、総キャニスタ量の少なくとも約８０％であってもよい。充填された部分は、総キャニスタ量の少なくとも約８０％であってもよい。充填された部分は、総キャニスタ量の少なくとも約９０％であってもよい。充填された部分は、総キャニスタ量の少なくとも約９５％であってもよい。
【０３０２】
約９０％のような、第１のキャニスタの体積の一部が液体で充填されると、第２のキャニスタを充填するために、物質の流れは、第２のセパレータに順次に自動的に案内される。第１のキャニスタおよび第２のキャニスタの体積の一部が、液体で充填されている場合、気体と液体を物質の流れが分離し、第３のキャニスタを充填するために、物質の流れは、順次、第３のセパレータに自動的に案内される。一連のセパレータのシステムは、一連のキャニスタへの物質の流れからの液体の収集、および手術器具の連続吸引の使用中の、物質の流れからの気体の分離を可能にする。一連のセパレータのシステムは、単一のセパレータと比較して、大きな液体収集量での手術器具の連続吸引の使用を可能にする。
【０３０３】
図２０Ａは、キャニスタ上部と連結されたセパレータの一実施形態を示す。図示された実施形態において、キャニスタ上部とのセパレータインターフェースは、前述のために、セパレータの底部での収束を提供し、セパレータは、その最も広い直径を維持し、キャニスタの最も広い直径で、直接、キャニスタ内を空にする（即ち、小さい出口ポートを形成するために、セパレータの先細りなしに）。いくつかの実施形態において、キャニスタ上部は、図示されるように、セパレータの広い口径出口（即ち、開口）を受けて、これと連結するように構成されている。いくつかの実施形態において、キャニスタ上部とセパレータが結合して、１連続片を形成する。
【０３０４】
図２０Ｂは、本明細書に記載のセパレータ部品の分解図を示す。図２０Ａおよび２０Ｂに示すセパレータおよびキャニスタ上部の実施形態は、本明細書に記載の任意のおよび全ての装置、システム、および方法と使用されることを理解されたい。
【０３０５】
いくつかの実施形態において、流れ分離装置（即ち、セパレータ）は、キャニスタに動作可能に連結されている。いくつかの実施形態において、流れ分離装置は、既存のキャニスタに組み込まれる。いくつかの実施形態において、流れ分離装置は、キャニスタと一体化される。
【０３０６】
流れ分離装置は、手術器具に動作可能に連結されている。流れ分離装置は、入力ポートを介して、手術器具に動作可能に連結されている。流れ分離装置は、チューブを介して、手術器具と流体連通している。流れ分離装置は、手術器具に取り付け可能である。流れ分離装置は、既存の手術器具に組み込まれる。流れ分離装置は、手術器具へのオプションのアクセサリのようなアクセサリである。
【０３０７】
いくつかの実施形態において、流れ分離装置は、煙ろ過キャニスタに動作可能に連結されている。いくつかの実施形態において、流れ分離装置は、吸引口等のポートを介して、煙ろ過キャニスタに動作可能に連結されている。いくつかの実施形態において、流れ分離装置は、チューブを介して、煙ろ過キャニスタと流体連通している。いくつかの実施形態において、流れ分離装置は、煙ろ過キャニスタに取り付け可能である。いくつかの実施形態において、流れ分離装置は、既存の煙ろ過キャニスタに組み込まれる。いくつかの実施形態において、流れ分離装置には、煙ろ過キャニスタに形成されている。いくつかの実施形態において、流れ分離装置は、煙ろ過キャニスタに組み込まれている。いくつかの実施形態において、流れ分離装置は、煙ろ過キャニスタへのオプションのアクセサリ等のアクセサリである。
【０３０８】
いくつかの実施形態において、物質の流れは、入力ポートで手術器具から、流れ分離装置に入る。物質の流れは、気体、液体、固体、またはそれらの任意の組み合わせを含んでもよい。流れ分離装置は、動作可能に連結された流れ分離装置を備えない手術器具と比較して、手術器具の吸引能力を強化する。流れ分離装置は、動作可能に連結された流れ分離装置を備えないシステムと比較して、受動的な吸引源等の吸引源の吸引能力を強化する。流れ分離装置は、気体、液体、固体、またはそれらの任意の組み合わせを分離するように構成される。気体は、液体が抜け出る異なるポートから、流れ分離装置から抜け出る。例えば、気体は、吸引口から抜け出て、流体は回収口から抜け出る。いくつかの実施形態において、流れ分離装置の回収口から抜け出る液体は、流れ分離装置に動作可能に連結された収集キャニスタ等のキャニスタに収集される。固体は、流れ分離装置の１つ以上のフィルタに収集される。いくつかの実施形態において、固体は、液体と回収口から抜け出る。
【０３０９】
システムは、遮断弁、ボールバルブ、バタフライバルブ、クラッパーバルブ、逆止め弁、チョークバルブ、ダイヤフラムバルブ、仕切り弁、ピンチ弁、ピストンバルブ、プラグ弁、ポペット弁、安全弁、またはそれらの任意の組み合わせ等の１つ以上のバルブを含んでもよい。１つ以上のバルブは、流れ分離装置、手術器具、吸引源、またはそれらの任意の組み合わせに動作可能に連結されている。１つ以上のバルブが、システムの安全機能として含まれる。システムの性能を最適化するために、１つ以上のバルブが含まれる。７０％、７５％、８０％、８５％、９０％、９５％、９６％、９７％、９８％、９９％より大きい体積、即ち、流れ分離装置の中空体の全内部容積等、流れ分離装置内の液体の体積が指定された体積を超える場合、例えば、遮断弁が、システムを遮断してもよい。流れ分離装置内の液体の体積が、７０％を超える体積、即ち、流れ分離装置の中空体の全内部容積を超える場合、遮断弁が、システムを遮断してもよい。流れ分離装置内の液体の体積が、８０％を超える体積、即ち流れ分離装置の中空体の全内部容積を超える場合、遮断弁が、システムを遮断してもよい。流れ分離装置内の液体の体積が、液体を流れ分離装置の全てのポートから抜け出させる場合、遮断弁が、システムを遮断してもよい。
【０３１０】
システムは、１つ以上のアラートを有していてもよい。１つ以上のアラートは、流れ分離装置、手術器具、吸引源、またはそれらの任意の組み合わせに動作可能に連結されている。１つ以上のアラートは、システムの安全機能をして含まれる。システムの性能を最適化するために、１つ以上のアラートは含まれる。１つ以上のアラートは、視覚的警告、可聴警告、機械的警告、またはそれらの任意の組み合わせである。視覚的警告は、一定の光、点滅する光、ストロボ光、特定の色の光（例えば、赤＝システムオフ、緑＝システムオン）、またはそれらの任意の組み合わせである。可聴警告は、リング、バズ、チャイム、ベル、ホーン、振動または他の可聴音である。アラートは、ポップアウトボタンまたはフリップタブ等の機械的警告である。
【０３１１】
図２１Ａ、２１Ｂ、および２１Ｃは、セパレータの一実施形態を示し、中空体の中心軸に対するセパレータの入力ポートの角度は、９０度未満である。いくつかの実施形態において、入力ポートは、中心軸に対して、約８５°、８０°、７５°、７０°、６５°、６０°、５５°、５０°、４５°、４０°、３５°、３０°、２５°、２０°以下の角度をなす。いくつかの実施形態において、入力ポートは、約７０°以下の角度をなす。いくつかの実施形態において、入力ポートは、約６０°以下の角度をなす。入力ポートは、約５０°以下の角度をなす。いくつかの実施形態において、入力ポートは、約４０°以下の角度をなす。いくつかの実施形態において、入力ポートは、約３０°以下の角度をなす。いくつかの実施形態において、入力ポートは、約２０°から約５０°の角度をなす。いくつかの実施形態において、入力ポートは、約４０°から約７０°の角度をなす。いくつかの実施形態において、入力ポートへの物質の流れの進入の強化、中空体の内面に沿う流れのサイクロンパターンの強化、または回収口に向かう液体の移動の強化、またはそれらの任意の組み合わせのために、セパレータの入力ポートは、角度をなす。いくつかの実施形態において、中空体の内面に沿う流れのサイクロンパターンは、気体の、物質の流れの液体からの分離に役立つ。いくつかの実施形態において、セパレータの入力ポートは、流れがセパレータに入るときに、セパレータに入る流れをセパレータの壁に対して案内するように構成されている。
【０３１２】
図２１Ｄは、一実施形態の底面図を示し、入力ポート開口がセパレータに入り、セパレータの中央の列（またはシャフト）に接触する。典型的に、小径管から大きな直径導管に進む流体は、より小さい導管とより大きい導管との交点で拡大する傾向がある。図示されるように、入力ポートの開口が、セパレータのより大きい直径の内部に入り、流体の拡張は減少する（例えば、より大きな導管に直接開口する入力ポートと比較して）。図示されているように、開口が、徐々にその点から離れて曲がる一方、入力ポートの開口は、入力ポート開口の側部が中央の列（またはシャフト）に延びて接触するよう、成形され、開口の端は、入力ポートの開口が中央の列に接触する点から離れて、先細になる。入力ポートとコラムの接触は、コアンダ効果のため、中央の列の周りの吸引流における気体成分の流れを引き出す傾向にある一方、この構成は、液体および／または固体吸引物質の流れを、セパレータの内面に対して案内する。図２１Ｄに図示されるように、入力ポートの形状および位置による、気体および流体の最初の分離は、本明細書に記載の分離を強化する。
【０３１３】
図２２Ａおよび２２Ｂは、セパレータに開口する入力ポートの側面図および底面図をそれぞれ示し、開口は、中央の列（またはシャフト）に接触する。図２１Ｄで示される実施形態とは異なり、入力ポートの開口は、本質的に平らであり、先細りではない。図２１Ｄに示された実施形態と類似して、吸引流が、コアンダ効果により、セパレータに入る場合、吸引流の気体成分は、セパレータの中央の列の周りに引き出される傾向がある。図２１Ｄのように、入力ポートの開口は、セパレータ内に開口しているので、吸引流が入力ポートをでるときに、吸引流の膨張が減少または防止される。
【０３１４】
図２１Ｄおよび２２Ｂに図示されているように、バッフルは、入力ポートの開口の近位にある固体表面を含む。バッフルの開口は、バッフルの全周の周りに延びない。バッフルの固体表面および、入力ポートの開口のすぐ近位の固体表面の位置は、液体および／または固体がセパレータに入ることをブロックし、液体および／または固体は、セパレータの吸引口から直ちに引き出されない。むしろ、バッフルの固体部分により、吸引流の固体成分および／または液体成分の初期の脱出のブロックは、重力（および／またキャニスタの方向からの吸引）が、液体および／または固体をセパレータの底部に向かって引き出すことを可能にする。混合物の気体成分もバッフルの固体成分によって最初にブロックされるが、これらの成分は、吸引口を介した吸引力によってより強く影響を受け、（即ち、重力および／またはキャニスタの方向からの吸引力よりも強く）、吸引口は、バッフルの穴を介して、セパレータから気体成分を引き出し、バッフルは、バッフルの固体部分を通過して配置されている。
【０３１５】
入力ポートに近い固体部分を有するバッフルの実施形態は、本明細書に記載の任意のおよび全ての装置、システム、および方法と共に使用されることを理解されたい。
【０３１６】
いくつかの実施形態において、セパレータは、１つ以上のバッフルを含んでいる。１つ以上のバッフルは、それぞれ、複数の開口を含んでいてもよい。複数の開口は、３、４、５、６、７、８、９、１０、またはそれ以上の開口を含んでいてよい。いくつかの実施形態において、複数の開口は３個である。いくつかの実施形態において、複数の開口は、４個である。いくつかの実施形態において、複数の開口は、５個である。いくつかの実施形態において、複数の開口は、６個である。いくつかの実施形態において、複数の開口は、７個である。いくつかの実施形態において、複数の開口は、８個である。いくつかの実施形態において、複数の開口は、９個である。いくつかの実施形態において、複数の開口は、１０個である。いくつかの実施形態において、複数の開口は、１つ以上のバッフル上に配置され、入力ポートの遠位にある。いくつかの実施形態において、１つ以上のバッフルは、第２の円錐形の端部に隣接するシャフトの第１の端部に配置される。いくつかの実施形態において、１つ以上のバッフルは、１つ以上の開口を通過するために、物質の流れの少なくとも一部を受け取るように構成される。いくつかの実施形態において、１つ以上のバッフルは、セパレータに入る物質の流れの液体の、気体からの分離に役立つ。
【０３１７】
図２３Ａから２３Ｄは、らせん状表面と連結されたバッフルの異なる図を示す。いくつかの実施形態において、バッフルは、らせんに成形され、らせんと連結されていてもよい。らせんは、ヘリカルトラックに沿って、吸引流内の液体および／または固体成分の流れをセパレータの底部に向かって案内するように構成される（即ち、出口）。らせん状のバッフルは、右利きまたは左利きでもよい。らせん状のバッフルは、円錐らせん、円形らせん、円筒形らせん、またはその他であってもよい。らせん状のバッフルは、シャフトの周りに単一の完全な回転を形成してもよい。らせん状のバッフルは、中空体の周りに単一の完全な回転を形成してもよい。らせん状のバッフルは、シャフトの周りに複数の完全な回転を形成してもよい。らせん状のバッフルは、シャフトの一部に沿って、回転を形成してもよい。らせん状のバッフルは、中空体の一部に沿って、回転を形成してもよい。らせん状のバッフルは、シャフトまたは中空体の周りに、吸引口と入力ポートとの間に、シャフトまたは中空体の一部に沿って回転を形成してもよい。
【０３１８】
シャフトは、くぼみまたは突起等の、１つ以上の螺旋構造を有していてもよい。螺旋構造は、右利きでまたは左利きでもよい。螺旋構造は、円錐らせん、円形らせん、円筒形らせん、またはその他であってもよい。螺旋構造は、シャフトの周りに単一の完全な回転を形成してもよい。螺旋構造は、シャフトの周りに、複数の完全な回転を形成してもよい。螺旋構造は、シャフトの一部に沿って、回転を形成してもよい。螺旋構造は、吸引口と、入力ポートとの間のシャフトの一部に沿って、シャフトの周りに回転を形成してもよい。螺旋構造は、入力ポートと、回収口との間のシャフトの一部に沿って、シャフトの周りに回転を形成してもよい。螺旋構造は、シャフトの全長に沿って、シャフトの周りに回転を形成してもよい。
【０３１９】
図２４Ａは、セパレータのシャフトおよびバッフルの一実施形態を示す。図示された実施形態において、シャフトは、球状部分を含み、最上部形状は、円錐を含む。シャフトは、セパレータに組み込まれてもよく、セパレータの中空体の内側部に取り付けられてもよい。
【０３２０】
シャフトは、１つ以上の開口を有していてもよい。吸引口に向かって、シャフトの中空内腔を介して等、シャフトの開口は、１つ以上の気体が中空体から抜け出ることを可能にする。シャフト上の開口は、環状開口等の周方向隙間であってもよい。シャフト上の開口は、入力ポートの遠位に配置されてもよい。シャフト上の開口は、球形端部の一部に配置されてもよい。
【０３２１】
シャフトは、細長いシャフトでもよい。シャフトは、円筒形シャフトでもよい。シャフトは、中空内腔を含んでもよい。シャフトは、シャフトの長さに沿った１つ以上の周方向断面領域を含んでもよい。シャフトの長さに沿った周方向断面領域は、同じであってもよい。シャフトの長さに沿った周方向断面領域は、異なってもよい。例えば、様々な周方向断面領域は、球形端部、突出端、球状端部、またはその他を有するシャフトを形成してもよい。シャフトに沿った周方向断面領域を変化させることにより、中空体内の層流を強化し、渦電流を減少させ、流れの収束を防止し、流れの発散を防止し、またはそれらの任意の組み合わせであってもよい。例えば、中空体の周方向断面領域とは異なる周方向断面領域を有する回収口等のポートに隣接して配置された球形端部を有するシャフトは、中空体内の層流を強化し、渦電流を減少させ、流れの収束を防止し、流れの発散を防止してもよく、またはそれらの任意の組み合わせでもよい。
【０３２２】
シャフトの球形端部は、周拡大の初期角度と、周収縮の第２の角度とを形成してもよい。初期角度と、第２の角度は、同じでもよい。初期角度と、第２の角度は、異なっていてもよい。
【０３２３】
初期角度は、シャフトの中心軸に対して、約５度、１０度、１５度、２０度、２５度、３０度、３５度、４０度、４５度、５０度、５５度、６０度、６５度、７０度、７５度、または８０度であってもよい。初期角度は、シャフトの中心垂直軸に対して、約２５度であってもよい。初期角度は、シャフトの中心垂直軸に対して、約３０度であってもよい。初期角度は、シャフトの中心垂直軸に対して、約３５度であってもよい。初期角度は、シャフトの中心垂直軸に対して、約４０度であってもよい。初期角度は、シャフトの中心垂直軸に対して、約４０度であってもよい。
【０３２４】
第２の角度は、シャフトの中心垂直軸に対して、約５度、１０度、１５度、２０度、２５度、３０度、３５度、４０度、４５度、５０度、５５度、６０度、６５度、７０度、７５度、または８０度であってもよい。第２の角度は、シャフトの中心垂直軸に対して、約２５度であってもよい。第２の角度は、シャフトの中心垂直軸に対して、約３０度であってもよい。第２の角度は、シャフトの中心垂直軸に対して、約３５度であってもよい。第２の角度は、シャフトの中心垂直軸に対して、約４０度であってもよい。第２の角度は、シャフトの中心垂直軸に対して、約４０度であってもよい。
【０３２５】
セパレータは、中空体内に１つ以上のバッフルを有していてもよい。バッフルは、中空体の内部容積に入る物質の流れ等の、物質の流れを案内してもよい。場合によっては、物質の流れは、入力ポートを介して、内部容積に入る。バッフルは、入力ポートに入る液体の流れを、サイクロン流等の回収口に向かって案内する。バッフルは、吸引口から離れて、液体の流れを案内する。バッフルは、液体の流れと気体の流れへの物質の流れの分離を促す。
【０３２６】
バッフルは、シャフトの中心垂直軸に対して、角度をなしてもよい。バッフルは、シャフトの中心垂直軸に対して、約２０度、２５度、３０度、３５度、４０度、４５度、５０度、５５度、６０度、６５度、７０度、または約７５度の角度をなしてもよい。バッフルは、シャフトの中心垂直軸に対して、約２５度の角度をなしてもよい。バッフルは、シャフトの中心垂直軸に対して、約３０度の角度をなしてもよい。バッフルは、シャフトの中心垂直軸に対して、約３５度の角度をなしてもよい。バッフルは、シャフトの中心垂直軸に対して、約４０度の角度をなしてもよい。
【０３２７】
１つ以上のバッフルは、シャフトに取り付け可能であってもよい。１つ以上のバッフルは、シャフト内に形成されてもよい。バッフルは、回収口の遠位で、吸引口に隣接する位置で、シャフトに沿って、配置されてもよい。バッフルは、回収口の遠位で、吸引口と、入力ポートとの間の位置に、シャフトに沿って配置されてもよい。バッフルは、入力ポートを介して中空体に入る液体が、吸引口から抜け出ることを防止してもよい。バッフルは、物的障壁であってもよく、入力ポートを介して中空体に入る液体が、吸引口から抜け出ることを防止してもよい。バッフルは、入力ポートを介して中空体に入る液体が、回収口に向かって流れるよう案内する。
【０３２８】
バッフルは、１つ以上の開口を含んでいてもよい。バッフルは、穿孔されていてもよい。バッフルの穿孔または開口は、１つ以上の気体が、吸引口を介して等、中空体から抜け出ることを可能にする。バッフルは、少なくとも１個の開口を含んでいてもよい。バッフルは、少なくとも２個の開口を含んでいてもよい。バッフルは、少なくとも３個の開口を含んでいてもよい。バッフルは、少なくとも４個の開口を含んでいてもよい。バッフルは、少なくとも５個の開口を含んでいてもよい。バッフルは、少なくとも６個の開口を含んでいてもよい。バッフル上の開口は、円形、長方形、楕円形、正方形、丸い縁を有する正方形、またはその他であってもよい。バッフル上の開口は、環状開口等の周方向隙間であってもよい。バッフル上の環状開口は、シャフトに隣接し、中空体の外面から遠位に配置されてもよい。バッフル上の開口は、入力ポートの遠位に配置されてもよい。
【０３２９】
図２４Ａから２４Ｃは、バッフルの開口上の方向翼またはフィンを含むバッフルの実施形態の異なる図を示す。これらの実施形態において、翼またはフィンは、吸引混合物内の流体および／または固体が、バッフルの開口を介して通過することをブロックする。翼またはフィンが、直接、流れの方向とバッフルの開口との間にあり、開口への液体および／または固体流を物理的にブロックし、液体および／または固体成分を下に向け直すことにより、開口を隠蔽するように、翼またはフィンは配置される。いくつかの実施形態において、翼またはフィンは、ランプ形状を有しており、翼またはフィンは、バッフルの開口を離れて、液体および／または固体の流れを案内する。翼またはフィンは、開口への気体の進入をブロックしないように構成される。
実施例
【０３３０】
【表１】
2018175878.tif 000003
【０３３１】
表１は、セパレータの試験結果を示すチャートである。チャートは、使用中のセパレータを含む場合と含まない場合両方の、２つの異なるタイプの吸引装置に関するデータを示す。チャートに記載される最初のタイプの吸引装置は、吸収嘴管の吸引先端である。吸収嘴管の吸引先端は、典型的には、球根状の頭部によって取り囲まれた大きな開口を有するしっかりとプラスチック吸引先端からなる経口吸引ツールであって、周囲の組織にダメージを与えない効果的な吸引を可能にするように設計されている。チャートに記載される第２の吸引装置（最初）は、様々な外科手術で使用されるように設計された吸引装置であって、第１の装置によって吸引される液体、固体および気体の比率を調節するために、可変に開閉されるポートを含んでもよい。用語「ＳＬＳ」は、本明細書に開示されるセパレータを指す。
【０３３２】
一般的な手術室のセットアップで使用されるように、テストセットアップは、順次、連結された４つの収集キャニスタを含んでいた。図１２は、順次、連結された２つのセパレータ１２０２、１２２２を含む２つの収集キャニスタ１２１４、１２３４の一例を示す。キャニスタは、ＣＯＮＭＥＤ（登録商標）Ｓｙｓｔｅｍ１２００（商標）排煙システム（ＳＥＳ）に連結されていた。チャートは、室温で、３５％グリセリン溶液５００ｃｃを吸引するのに要する時間を示す。さらに、チャートは、２つの吸引装置の吸引強度に関するデータを示す。
【０３３３】
表１に示されているように、吸収嘴管デバイスは、使用中のセパレータを含む場合と含まない場合両方の、強い吸引を提供した。しかしながら、本明細書に記載されたセパレータの例のような、セパレータシステムの使用により、吸引時間は、１８秒から１１秒に減少した。第１の装置は、セパレータを使用せずに、１３３秒で、３５％グリセロール５００ｃｃを吸引できる。１つのセパレータをシステムに追加すると、吸引時間が７０秒に減少された。第２のセパレータをシステムに追加することによって、第１の装置の性能は、更に改善される。第１の装置の吸引時間は、２つのセパレータと一緒に、５０秒に減少された。データは、セパレータの使用、即ち、本明細書に記載される例は、様々な吸引時間の吸引時間をほぼ半分に減少させることを示している。
【０３３４】
本発明の前述の説明は、図示および記載のために提示されたものである。徹底的であることを意図するものではなく、本発明を開示された正確な形態に限定することを意図するものではなく、上記の教示に照らして他の変更および変形が可能である。この実施形態は、本発明の原理およびその実際的な適用を最もよく説明し、それにより当業者が意図された特定の用途に適した様々な実施形態および様々な変更において本発明を最も有効に利用できるように選択および記載された。添付の特許請求の範囲は、従来技術によって制限される場合を除いて、本発明の他の代替的な実施形態を含むと解釈されることが意図される。
【図１】
2018175878.tif 000004
【図２Ａ】
2018175878.tif 000005
【図２Ｂ】
2018175878.tif 000006
【図３】
2018175878.tif 000007
【図４Ａ】
2018175878.tif 000008
【図４Ｂ】
2018175878.tif 000009
【図４Ｃ】
2018175878.tif 000010
【図５】
2018175878.tif 000011
【図６】
2018175878.tif 000012
【図７】
2018175878.tif 000013
【図８Ａ】
2018175878.tif 000014
【図８Ｂ】
2018175878.tif 000015
【図８Ｃ】
2018175878.tif 000016
【図８Ｄ】
2018175878.tif 000017
【図９Ａ】
2018175878.tif 000018
【図９Ｂ】
2018175878.tif 000019
【図９Ｃ】
2018175878.tif 000020
【図９Ｄ】
2018175878.tif 000021
【図１０Ａ】
2018175878.tif 000022
【図１０Ｂ】
2018175878.tif 000023
【図１０Ｃ】
2018175878.tif 000024
【図１０Ｄ】
2018175878.tif 000025
【図１１Ａ】
2018175878.tif 000026
【図１１Ｂ】
2018175878.tif 000027
【図１１Ｃ】
2018175878.tif 000028
【図１２】
2018175878.tif 000029
【図１３Ａ】
2018175878.tif 000030
【図１３Ｂ】
2018175878.tif 000031
【図１３Ｃ】
2018175878.tif 000032
【図１４】
2018175878.tif 000033
【図１５】
2018175878.tif 000034
【図１６】
2018175878.tif 000035
【図１７】
2018175878.tif 000036
【図１８】
2018175878.tif 000037
【図１９】
2018175878.tif 000038
【図２０Ａ】
2018175878.tif 000039
【図２０Ｂ】
2018175878.tif 000040
【図２１Ａ】
2018175878.tif 000041
【図２１Ｂ】
2018175878.tif 000042
【図２１Ｃ】
2018175878.tif 000043
【図２１Ｄ】
2018175878.tif 000044
【図２２Ａ】
2018175878.tif 000045
【図２２Ｂ】
2018175878.tif 000046
【図２３Ａ】
2018175878.tif 000047
【図２３Ｂ】
2018175878.tif 000048
【図２３Ｃ】
2018175878.tif 000049
【図２３Ｄ】
2018175878.tif 000050
【図２４Ａ】
2018175878.tif 000051
【図２４Ｂ】
2018175878.tif 000052
【図２４Ｃ】
2018175878.tif 000053